(57)【要約】【課題】大当り遊技中において、可変始動入賞装置が非作動時であっても、可変始動入賞装置内の始動入賞口に入賞したこと有効とし、遊技者に対して不利益を与えることを防止する。【解決手段】当選態様で普通図柄が停止表示された場合、規定期間にわたり内部抽選の抽選契機の発生を不能とする非作動状態から、発生を可能とする作動状態に変化する作動を行う作動手段と、作動状態に変化した作動手段に案内された遊技球の入球を検出する入球検出手段と、所定の入球有効条件を満たした状態で入球検出手段により入球が検出されると、内部抽選を実行し、内部抽選の結果を表す特定の当選態様で特別図柄が停止表示されると、可変入賞装置を用いて通常とは異なる特別な条件が適用された特別遊技を実行し、特別遊技が実行されている間に、入球検出手段により遊技球の入球が検出された場合、所定の入球有効条件を満たす決定を行う入球有効条件決定手段とを備える。【選択図】図９
2013215350.tif 000002
【特許請求の範囲】
【請求項１】
遊技中に作動抽選契機が発生すると、作動抽選を実行する作動抽選実行手段と、
前記作動抽選実行手段により前記作動抽選が実行されると、所定の変動時間にわたって普通図柄を変動表示した後に、前記作動抽選の結果を表す態様で前記普通図柄を停止表示する普通図柄表示手段と、
前記普通図柄表示手段により当選態様で前記普通図柄が停止表示された場合、規定期間にわたり入球の発生が不能な非作動状態から、入球の発生が可能な作動状態に変化する作動を行う作動手段と、
前記作動手段での入球の発生を検出する入球検出手段と、
所定の入球有効条件を満たした状態で前記入球検出手段により前記入球の発生が検出されると、前記作動抽選とは別の内部抽選の抽選契機を発生させる内部抽選契機発生手段と、
所定の実行条件を満たした状態で前記内部抽選契機発生手段により前記内部抽選の抽選契機が発生されると、前記内部抽選を実行する内部抽選実行手段と、
前記内部抽選実行手段により前記内部抽選が実行されると、所定の変動時間にわたって特別図柄を変動表示した後に、前記内部抽選の結果を表す態様で前記特別図柄を停止表示する特別図柄表示手段と、
入賞の発生を不能とする閉止状態から、前記入賞の発生を可能とする開放状態に変化する開放動作を行う可変入賞手段と、
前記特別図柄表示手段により特定の当選態様で前記特別図柄が停止表示されると、前記可変入賞装置の開閉動作を所定条件が満たされるまで行う特別遊技を実行する特別遊技実行手段と、
前記特別遊技実行手段により前記特別遊技が実行されている間に、前記入球検出手段により前記遊技球の入球が検出された場合、前記所定の入球有効条件を満たす決定を行う入球有効条件決定手段と
を備えることを特徴とする遊技機。
【請求項２】
請求項１に記載の遊技機において、
前記特別図柄表示手段により前記特定の当選を表す態様で前記特別図柄が停止表示された場合、前記特別遊技実行手段による前記特別遊技の終了後に、前記特別図柄の変動表示及び停止表示の回数に対応する特別遊技後変動回数が特定回数に達するまでの間、前記作動手段が作動する非時間短縮状態から、この非時間短縮状態に比較して高い頻度で前記作動手段が作動する時間短縮状態に移行させる時間短縮状態移行手段
をさらに備え、
前記入球有効条件決定手段は、前記時間短縮状態にある間に、前記入球検出手段により前記遊技球の入球が検出された場合、前記所定の入球有効条件を満たす決定を行うことを特徴とする遊技機。
【請求項３】
請求項１又は２に記載の遊技機において、
前記入球有効条件決定手段は、前記作動手段の作動が終了してから所定時間の間に、前記入球検出手段により前記遊技球の入球が検出された場合、前記所定の入球有効条件を満たす決定を行うことを特徴とする遊技機。
【請求項４】
請求項１から３のいずれかに記載の遊技機において、
前記所定の入球有効条件を満たしている状態で前記入球検出手段により前記入球が検出された場合、又は、前記入賞が発生した場合、賞球を払い出す賞球払出手段をさらに備えることを特徴とする遊技機。
【請求項５】
請求項１から４のいずれかに記載の遊技機において、
前記入球検出手段により前記遊技球の入球を検出すると、その検出時ごとに入賞検出情報を生成する入賞検出情報生成手段と、
前記入球有効条件設定手段により前記所定の入球有効条件を満たす決定が行われなかった場合、前記入賞検出情報生成手段により生成された前記入賞検出情報を消去する入賞検出情報消去手段と
をさらに備えることを特徴とする遊技機。
【発明の詳細な説明】
【技術分野】
【０００１】
本発明は、例えば抽選結果に応じて入賞の発生が可能となる動作を行い、そこで実際に発生した入賞に対する特典を付与する遊技機に関するものである。
【背景技術】
【０００２】
従来、この種の遊技機として、大当りか否かを決定する内部抽選と、可変始動入賞装置の開閉部材を作動（開放）させて始動入賞口への入球（入賞）を可能とするか否かを決定する作動抽選とを実行する遊技機が知られている。先行技術として、作動抽選に当選しておらず可変始動入賞装置が作動していない（閉鎖状態）時に、始動入賞口への入球（入賞）を検出するとエラーを報知する遊技機が知られている（例えば、特許文献１参照）。これにより、例えば、始動入賞口への入球（入賞）が不可能な閉鎖状態にある可変始動入賞装置を不正な方法で開放し始動入賞口に入賞させて賞球を得ていることを外部に報知することで、不正行為（ゴト行為）を防止できると考えられる。
【０００３】
また、別の先行技術として、作動抽選に当選してから可変始動入賞装置が作動し、その作動が終了（閉鎖）してから所定の時間が経過するまでの間に、可変始動入賞装置内の始動入賞口への入球（入賞）を検出したとしても不正行為を行ったと判定せずに、エラーを報知しない遊技機が知られている（例えば、特許文献２，３参照）。なお、これら特許文献２，３では、それ以外の状態で可変始動入賞装置内の始動入賞口への入球（入賞）を検出した場合は、エラーを報知することで、不正行為（ゴト行為）を防止できると考えられる。
【０００４】
また、別の先行技術として、作動抽選に当選してから可変始動入賞装置の作動し、その作動が終了（閉鎖）した時点に所定の期間を有するタイマのカウントダウンを実行し、タイマのカウントダウンが終了するまで（０になるまで）に、可変始動入賞装置内の始動入賞口への入球（入賞）を検出したとしても不正行為を行ったと判定せずに、エラーを報知しない遊技機が知られている（例えば、特許文献４参照）。さらに、特許文献４の技術では、タイマのカウントダウンが終了するまで（０になるまで）に、可変始動入賞装置内の始動入賞口への入球（入賞）を検出した場合、検出した時点から再度所定の期間を有するタイマをセットし、そのタイマのカウントダウンを実行している。そして、そのカウントダウンが終了した時点（０になった時点）以降に可変始動入賞装置内の始動入賞口への入球（入賞）を検出した場合は、エラーを報知することで、不正行為（ゴト行為）を防止できると考えられる。また、エラーの報知に伴いその入賞による賞球を無効にしていた。
【先行技術文献】
【特許文献】
【０００５】
【特許文献１】特開２００８−１８８０９１号公報
【特許文献２】特開２００８−１２５６２５号公報
【特許文献３】特開２０１１−５６３１６号公報
【特許文献４】特開２００９−２７９１５３号公報
【発明の概要】
【発明が解決しようとする課題】
【０００６】
上述した各先行技術は、不正行為を防止するために、可変始動入賞装置の非作動状態時や、作動状態後の入賞を有効とするタイマがカウントされていない状態時に、始動入賞口への入球を検出した場合、エラーを報知し、その入球に対する入賞を無効としていた。
【０００７】
しかしながら、大当り遊技中において、作動抽選に当選して可変始動入賞装置が作動することがあり、その作動が終了する段階で開閉部材に遊技球が挟まり（球噛みして）、上記タイマのカウントが終了した後しばらくして始動入賞口に入球（入賞）した場合、その入賞が無効になってしまっていた。したがって、偶発的に発生した開閉部材による球噛みにより、本来得られるはずの賞球が得られないことから、遊技者に対して不利益を与えていた。
【０００８】
そこで本発明は、大当り遊技中において、可変始動入賞装置が非作動時であっても、可変始動入賞装置内の始動入賞口に入賞したこと有効とし、遊技者に対して不利益を与えることを防止する技術の提供を課題としたものである。
【課題を解決するための手段】
【０００９】
本発明は、上記の課題を解決するため以下の手段を採用する。
解決手段１：本発明の遊技機は、遊技中に作動抽選契機が発生すると、作動抽選を実行する作動抽選実行手段と、前記作動抽選実行手段により前記作動抽選が実行されると、所定の変動時間にわたって普通図柄を変動表示した後に、前記作動抽選の結果を表す態様で前記普通図柄を停止表示する普通図柄表示手段と、前記普通図柄表示手段により当選態様で前記普通図柄が停止表示された場合、規定期間にわたり入球の発生が不能な非作動状態から、入球の発生が可能な作動状態に変化する作動を行う作動手段と、前記作動手段での入球の発生を検出する入球検出手段と、所定の入球有効条件を満たした状態で前記入球検出手段により前記入球の発生が検出されると、前記作動抽選とは別の内部抽選の抽選契機を発生させる内部抽選契機発生手段と、所定の実行条件を満たした状態で前記内部抽選契機発生手段により前記内部抽選の抽選契機が発生されると、前記内部抽選を実行する内部抽選実行手段と、前記内部抽選実行手段により前記内部抽選が実行されると、所定の変動時間にわたって特別図柄を変動表示した後に、前記内部抽選の結果を表す態様で前記特別図柄を停止表示する特別図柄表示手段と、入賞の発生を不能とする閉止状態から、前記入賞の発生を可能とする開放状態に変化する開放動作を行う可変入賞手段と、前記特別図柄表示手段により特定の当選態様で前記特別図柄が停止表示されると、前記可変入賞装置の開閉動作を所定条件（例えば、所定の開閉回数が１５回になった場合、１回の開放状態が所定の時間（２９秒）に達した場合、１回の開放状態の際に所定の入賞個数（９個）に達した場合）が満たされるまで行う特別遊技を実行する特別遊技実行手段と、前記特別遊技実行手段により前記特別遊技が実行されている間に、前記入球検出手段により前記遊技球の入球が検出された場合、前記所定の入球有効条件を満たす決定を行う入球有効条件決定手段とを備えることを特徴とする遊技機である。
【００１０】
本発明の遊技機による遊技は、例えば以下に示される流れに沿って進行する。なお、括弧書中の文言はあくまで例示であり、本発明はこれに限定されるものではない。
（１）遊技中に作動抽選契機が発生（遊技球が始動ゲートを通過）すると、作動抽選（普通図柄抽選）が行われる。この作動抽選契機が発生することにより、作動抽選が行われて遊技が進行していくことになる。
【００１１】
（２）上記（１）の作動抽選が実行されると、普通図柄が所定の変動時間にわたって変動表示され、作動抽選の抽選結果を表す態様で普通図柄が停止表示される。普通図柄の変動表示が開始されてから、その停止表示が行われるまでにはある程度の時間（変動時間及び停止表示時間）を要し、ひとたび普通図柄の変動表示が開始されると、その停止表示が完了するまで次の抽選は行われない。
【００１２】
（３）上記（１）の作動抽選の抽選結果が当選に該当し、上記（２）により所定の当選態様で普通図柄が停止表示されると、作動手段（例えば、可変式・開閉式の入賞口を有した普通電動役物装置）が所定の開放時間にわたって閉鎖状態から開放状態に変化する開閉動作を実行する。作動手段が開放状態にある間は、入賞口への入球の発生が可能な状態となる。ここで「入球」とは、作動手段にて発生し得る事象の１つであり、例えば、遊技媒体としての遊技球が入賞口に入る（流入する）ことが該当する。なお、「閉鎖状態」は、例えば、入賞口が閉塞されている状態（「入球」の発生が不能な状態）であり、開放状態は、例えば、入賞口の閉塞が解除されて開放されている状態（「入球」の発生が可能となる）である。
【００１３】
（４）上記（３）の作動手段が開放状態にある間、もしくは、開放状態から閉鎖状態に復帰した後に入球の発生が検出されると、所定の入球有効条件を満たしているか否かが確認される。そして、その条件を満たしていると確認された場合、入賞口に入賞したものと取り扱われて内部抽選契機が発生したものととされ、内部抽選（特別図柄抽選）が行われる。一方、満たしていないと確認された場合は、内部抽選が行われない。例えば、特定の条件を省き、作動手段が非作動状態にある場合に、入球の発生が検出されたとしても、入賞口に入賞したものとして取り扱われず、入賞は無効とされる。具体的には、作動抽選に当選していないにもかかわらず、不正に作動手段を開放して入球させたゴト行為によるものが考えられる。
【００１４】
（５）上記（４）の内部抽選が実行されると、特別図柄が所定の変動時間にわたって変動表示され、内部抽選の抽選結果を表す態様で特別図柄が停止表示される。特別図柄の変動表示が開始されてから、その停止表示が行われるまでにはある程度の時間（変動時間及び停止表示時間）を要し、ひとたび特別図柄の変動表示が開始されると、その停止表示が完了するまで次の抽選は行われない。
【００１５】
（６）上記（４）の内部抽選の抽選結果が非当選以外に該当し、上記（５）により所定の当選態様で特別図柄が停止表示されると、可変入賞手段（例えば、可変式・開閉式の大入賞口を有した特別電動役物装置）が所定の開放時間（例えば２９秒）にわたって、もしくは、所定の入賞個数（例えば９個）に達するまで閉鎖状態から開放状態に変化する開閉動作を所定の回数（例えば１５回）実行する。可変入賞手段が開放状態にある間は、大入賞口への入球の発生が可能な状態となる。なお、非当選以外に該当するとは、具体的には、大当り、又は、小当りに該当することを表している。
【００１６】
（７）上記（４）により特定の当選態様（大当りを表す態様）で特別図柄が停止表示されると、可変入賞装置を用いて、通常（例えば、内部抽選及び特別図柄の変動が行われるという状態）とは異なる特別な条件（例えば、内部抽選及び特別図柄の変動は行われず、可変入賞装置が連続して作動するという条件）が適用された特別遊技（大当り遊技）が実行される。ここで、特定の当選態様とは、大当りを表す態様を示しており、小当りを表す態様ではない。したがって、小当りではなく大当りを表す態様で特別図柄が停止表示されると、大当り遊技が実行される。
【００１７】
（８）上記（７）により大当り遊技が実行されている間においても、上記（１）の作動抽選契機が発生し（遊技球が始動ゲートを通過し）、作動抽選（普通図柄抽選）が行われ、その結果当選した場合、上記（３）の作動手段（例えば、可変式・開閉式の入賞口を有した普通電動役物装置）が所定の開放時間にわたって閉鎖状態から開放状態に変化する開閉動作を実行される。そうすると、上記（４）のように、作動手段が開放状態にある間、もしくは、開放状態から閉鎖状態に復帰した後に入球の発生が検出される場合もある。その際、本発明では、入球有効条件として、大当り遊技中における入球の検出は有効とする条件を設定してあるため、入賞口への入球の発生が検出されると、入球有効条件を満たしていると確認され、入賞口に入賞したものとして取り扱われて内部抽選契機が発生したものととされ、内部抽選（特別図柄抽選）が行われる。
【００１８】
したがって、作動手段が開放状態から閉鎖状態になった際に、遊技球が作動手段に挟まった状態（所謂、「球噛み」した状態）になり、その後ある程度時間が経過して作動手段が非作動状態にある場合に入球が検出された場合、遊技状態が大当り遊技中である限り、その入球の検出は有効とされ、入賞口に入賞したものとして取り扱われる。
【００１９】
つまり、大当り遊技中において、可変始動入賞装置が非作動時であっても、可変始動入賞装置内の始動入賞口に入賞したものとして取り扱われるため、遊技者に対して不利益を与えることを防止することができる。
【００２０】
解決手段２：本発明の遊技機は、解決手段１において、前記特別図柄表示手段により前記特定の当選を表す態様で前記特別図柄が停止表示された場合、前記特別遊技実行手段による前記特別遊技の終了後に、前記特別図柄の変動表示及び停止表示の回数に対応する特別遊技後変動回数が特定回数に達するまでの間、前記作動手段が作動する非時間短縮状態から、この非時間短縮状態に比較して高い頻度で前記作動手段が作動する時間短縮状態に移行させる時間短縮状態移行手段をさらに備え、前記入球有効条件決定手段は、前記時間短縮状態にある間に、前記入球検出手段により前記遊技球の入球が検出された場合、前記所定の入球有効条件を満たす決定を行うことを特徴とする遊技機である。
【００２１】
本解決手段により、上記（１）〜（８）に追加して以下の流れが実現される。
（９）上記（７）の特別遊技（大当り遊技）の終了後において、特別遊技変動回数が特定回数（例えば、１００回、１００００回等）に達するまでの間については、非時間短縮状態から時間短縮状態に移行される。なお、「特別遊技後変動回数」とは、特別遊技の終了後に上記（５）により実行された特別図柄の変動表示及び停止表示の回数であり、例えば、特別図柄の変動表示が１回実行され、特別図柄の停止表示が１回実行されれば、特別遊技後変動回数は「１回」となる。また「特定回数」は上記の値に限定されるものではなく、遊技仕様によっては様々な値を設定することができる。
【００２２】
また「非時間短縮状態」とは、少なくとも通常の頻度で内部抽選の抽選契機が発生する状態である。この状態は、例えば、作動抽選の当選確率が通常の確率（例えば、１／９９）に設定され、普通図柄の変動時間が通常の長さ（例えば、設定時間（１５秒〜１８０秒程度等））に設定された状態であり、いわゆる電チューサポートが行われていない状態である。
【００２３】
これに対して「時間短縮状態」とは、先の「非時間短縮状態」に比較して高い頻度で前記内部抽選の抽選契機の発生が可能となる状態である。この状態は、例えば、作動抽選の当選確率が高確率（例えば、９８／９９）に設定され、普通図柄の変動時間が短縮された長さ（例えば、０．６秒程度）に設定された状態であり、いわゆる電チューサポートが行われている状態である。
【００２４】
（１０）ここで、上記（９）により大当り遊技終了後の遊技状態が時間短縮状態にある間においても、上記（１）の作動抽選契機が発生し（遊技球が始動ゲートを通過し）、作動抽選（普通図柄抽選）が行われ、その結果当選した場合、上記（３）の作動手段（例えば、可変式・開閉式の入賞口を有した普通電動役物装置）が所定の開放時間にわたって閉鎖状態から開放状態に変化する開閉動作を実行される。そうすると、上記（４）のように、作動手段が開放状態にある間、もしくは、開放状態から閉鎖状態に復帰した後に入球の発生が検出される場合もある。その際、本発明では、入球有効条件として、遊技状態が時間短縮状態にある間における入球の検出は有効とする条件を設定してあるため、入賞口への入球の発生が検出されると、入球有効条件を満たしていると確認され、入賞口に入賞したものとして取り扱われて内部抽選契機が発生したものととされ、内部抽選（特別図柄抽選）が行われる。
【００２５】
したがって、作動手段が開放状態から閉鎖状態になった際に、遊技球が作動手段に挟まった状態（所謂、「球噛み」した状態）になり、その後ある程度時間が経過して作動手段が非作動状態にある場合に入球が検出された場合、遊技状態が時間短縮状態である限り、その入球の検出は有効とされ、入賞口に入賞したものとして取り扱われる。
【００２６】
つまり、時間短縮状態にある間において、可変始動入賞装置が非作動時であっても、可変始動入賞装置内の始動入賞口に入賞したものとして取り扱われるため、遊技者に対して不利益を与えることをさらに防止することができる。
【００２７】
解決手段３：本発明の遊技機は、解決手段１又は２において、前記入球有効条件決定手段は、前記作動手段の作動が終了してから所定時間の間に、前記入球検出手段により前記遊技球の入球が検出された場合、前記所定の入球有効条件を満たす決定を行うことを特徴とする遊技機である。
【００２８】
本解決手段により、上記（１）〜（１０）に追加して以下の流れが実現される。
（１１）上記（３）の作動手段が開放状態から閉鎖状態になった後の所定の時間（例えば、５秒間程度）を有効時間として設定し、この有効時間内であれば、検出された入球を有効なものとして取り扱うこととしている。したがって、作動手段が開放状態から閉鎖状態になった際に、遊技球が作動手段に挟まった状態（所謂、「球噛み」した状態）になり、その後ある程度時間が経過して作動手段が非作動状態にある場合に入球が検出された場合、その入球が検出された時点が有効時間内にある限り、その入球の検出は有効とされ、入賞口に入賞したものとして取り扱われる。
【００２９】
このため、閉鎖状態後から所定の時間を有効時間と設定することで、可変始動入賞装置が非作動時であっても、可変始動入賞装置内の始動入賞口に入賞したこと有効とし、遊技者に対して不利益を与えることを防止することができる。
【００３０】
解決手段４：本発明の遊技機は、解決手段１から３のいずれかにおいて、前記所定の入球有効条件を満たしている状態で前記入球検出手段により前記入球が検出された場合、又は、前記入賞が発生した場合、賞球を払い出す賞球払出手段をさらに備えることを特徴とする遊技機である。
【００３１】
本解決手段により、上記（１）〜（１１）に追加して以下の流れが実現される。
（１２）上記（８）、（１０）、又は、（１１）において入球の検出から始動入賞口への入賞が有効なものとして取り扱われると、賞球を払い出す処理が行われる。したがって、作動手段が開放状態から閉鎖状態になった際に、遊技球が作動手段に挟まった状態（所謂、「球噛み」した状態）になり、その後ある程度時間が経過して作動手段が非作動状態にある場合に入球が検出された場合、その入球の検出は有効とされ、入賞口に入賞したものとして取り扱われると賞球が払い出される。
【００３２】
このため、可変始動入賞装置が非作動時であっても、可変始動入賞装置内の始動入賞口に入賞したこと有効として取り扱われると賞球が払い出されるため、遊技者に対して不利益を与えることをさらに防止することができる。
【００３３】
解決手段５：本発明の遊技機は、解決手段１から４のいずれかにおいて、前記入球検出手段により前記遊技球の入球を検出すると、その検出時ごとに入賞検出情報を生成する入賞検出情報生成手段と、前記入球有効条件設定手段により前記所定の入球有効条件を満たす決定が行われなかった場合、前記入賞検出情報生成手段により生成された前記入賞検出情報を消去する入賞検出情報消去手段とをさらに備えることを特徴とする遊技機である。
【００３４】
本解決手段により、上記（１）〜（１２）に追加して以下の流れが実現される。
（１３）上記（４）において、作動手段が開放状態にある間、もしくは、開放状態から閉鎖状態に復帰した後に入球の発生が検出されると、検出情報が生成される（例えば、始動口検出信号が生成される）。なお、この検出情報に基づいて、内部抽選契機が発生したか否かの決定が行われる。その後、所定の入球有効条件を満たしているか否かが確認される、すなわち、上記（８）、（１０）、又は、（１１）の条件（大当り遊技中、時間短縮状態中、有効時間内であるか否かの条件）を満たしているか否かが確認される。
【００３５】
（１４）上記（１３）の結果、上記（８）、（１０）、又は、（１１）のいずれの条件を満たしていない場合、検出情報が消去されることとなり、内部抽選契機が発生したものとはされないため、内部抽選（特別図柄抽選）は行われない。
【００３６】
したがって、作動抽選に当選していないにもかかわらず、不正に作動手段を開放して入球させたゴト行為によるものを、入賞口に入賞したものとして取り扱わせず、入賞を無効とするため、不正行為を防止するとことができる。さらに、賞球の払出、および、内部抽選の実行をさせなくすることができるため、不正な行為を行う遊技者に利益（賞球や抽選の機会）を与えることを防止することができる。
【発明の効果】
【００３７】
本発明の遊技機によれば、大当り遊技中において、可変始動入賞装置が非作動時であっても、可変始動入賞装置内の始動入賞口に入賞したこと有効とし、遊技者に対して不利益を与えてしまうことを防止することができる。
【図面の簡単な説明】
【００３８】
【図１】パチンコ機の正面図である。
【図２】パチンコ機の背面図である。
【図３】遊技盤を単独で示す正面図である。
【図４】遊技盤の一部を拡大して示す正面図である。
【図５】パチンコ機に装備された各種の電子機器類を示すブロック図である。
【図６】リセットスタート処理の手順例を示すフローチャート（１／２）である。
【図７】リセットスタート処理の手順例を示すフローチャート（２／２）である。
【図８】割込管理処理の手順例を示すフローチャートである。
【図９】スイッチ入力イベント処理の手順例を示すフローチャートである。
【図１０】可変始動入賞装置の動作例について説明する図である。
【図１１】可変始動入賞装置において「球噛み」が発生した場合の動作例について説明する図である。
【図１２】普通図柄記憶更新処理の手順例を示すフローチャートである。
【図１３】普通図柄遊技処理の構成例を示すフローチャートである。
【図１４】普通図柄変動前処理の手順例を示すフローチャートである。
【図１５】可変始動入賞装置管理処理の構成例を示すフローチャートである。
【図１６】普通図柄作動条件設定テーブルの構成例を示す図である。
【図１７】可変始動入賞装置管理処理中の終了処理の手順例を示すフローチャートである。
【図１８】特別図柄記憶処理の手順例を示すフローチャートである。
【図１９】特別図柄遊技処理の構成例を示すフローチャートである。
【図２０】特別図柄変動前処理の手順例を示すフローチャートである。
【図２１】大当り時停止図柄選択テーブルの構成列を示す図である。
【図２２】特別図柄停止表示中処理の手順例を示すフローチャートである。
【図２３】表示出力管理処理の構成例を示すフローチャートである。
【図２４】可変入賞装置管理処理の構成例を示すフローチャートである。
【図２５】終了処理の手順例を示すフローチャートである。
【図２６】パチンコ機１による通常の遊技を通じて発生する各種状態の変化を示すタイミングチャートである。
【図２７】パチンコ機１による不正な遊技を通じて発生する各種状態の変化を示すタイミングチャートである。
【図２８】パチンコ機による遊技の流れを一例として示すゲームフロー図である。
【図２９】「リミッタ回数」が残り０回に到達した場合の遊技の流れを示すゲームフロー図である。
【図３０】ゲームフローのパターンを分類して示す概念図である。
【図３１】ゲームフローのパターンを分類して示す概念図である。
【図３２】普通図柄非当選時に実行される演出例を示す連続図である。
【図３３】普通図柄当り時に実行される演出例を示す連続図である。
【図３４】可変始動入賞装置作動時に実行される演出例を示す図である。
【図３５】特別図柄変動時（変動時間内）に実行される演出例を示す連続図（１／２）である。
【図３６】特別図柄変動時（変動時間内）に実行される演出例を示す連続図（２／２）である。
【図３７】チャンスゾーンに突入しない場合の特別図柄変動時に実行される演出例を示す連続図である。
【図３８】可変入賞装置作動から確変中にゲームフローが進行する場合に実行される演出例を示す図である。
【図３９】確変中の単発当選によるリミッタ上乗せが発生した場合に実行される演出例を示す図である。
【図４０】リミッタ到達後に実行される演出例を示す図である。
【図４１】ゲームフローの進行に伴って変化していく背景画像の例を示した図である。
【図４２】リミッタ到達後にチャンスゾーンに再突入しない場合（通常遊技中に復帰する場合）に実行される演出例を示す図である。
【図４３】演出制御処理の手順例を示すフローチャートである。
【図４４】普通図柄当り後演出管理処理の手順例を示すフローチャートである。
【図４５】大役開始後演出処理の手順例を示すフローチャートである。
【図４６】チャンス中演出パターン選択処理の手順例を示すフローチャートである。
【図４７】別実施形態のパチンコ機を示す正面図である。
【図４８】遊技盤の一部を拡大して示す正面図である。
【図４９】別実施形態のパチンコ機に装備された各種の電子機器類を示すブロック図である。
【図５０】別実施形態のスイッチ入力イベント処理の手順例を示すフローチャートである。
【図５１】別実施形態のパチンコ機で用いる可変始動入賞装置の動作例について説明する図である。
【図５２】可変始動入賞装置において球噛みが発生した場合の動作例について説明する図である。
【図５３】別実施形態におけるパチンコ機１による通常の遊技を通じて発生する各種状態の変化を示すタイミングチャートである。
【図５４】別実施形態におけるパチンコ機１による不正な遊技を通じて発生する各種状態の変化を示すタイミングチャートである。
【発明を実施するための形態】
【００３９】
以下、本発明の実施形態について、図面を参照しながら説明する。
図１は、パチンコ遊技機（以下、「パチンコ機」と略称する。）１の正面図である。また図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば、遊技者が獲得した遊技球の数に基づいて遊技価値に換算することができる。以下、図１及び図２を参照しつつ遊技機の全体構成について説明する。
【００４０】
〔遊技機の全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００４１】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００４２】
一体扉ユニット４は、その下部位置に受皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００４３】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００４４】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００４５】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤８が直に露出し、この状態で遊技場の管理者が盤面内での球詰まり等の障害を取り除くことができる。また一体扉ユニット４を開放すると、受け皿ユニット６も一緒に前面側へ開放される。
【００４６】
またパチンコ機１は、遊技用ユニットとして上記の遊技盤８を備えている。遊技盤８は、一体扉ユニット４の背後（内側）で上記の内枠アセンブリ７に支持されている。遊技盤８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、一体扉ユニット４の裏側に図示しない取り付け具を介して取り付けられる。遊技盤８の前面には遊技領域８ａ（盤面）が形成されており、この遊技領域８ａは窓４ａを通じて前面側から遊技者に視認可能である。一体扉ユニット４が閉じられると、ガラスユニットの内面と盤面との間に遊技球が流下できる空間が形成される。
【００４７】
受け皿ユニット６は、全体的に一体扉ユニット４から前面側へ突出した形状をなしており、その上面に上皿６ｂが形成されている。この上皿６ｂには、遊技者に貸し出された遊技球（貸球）や入賞により獲得した遊技球（賞球）を貯留することができる。また受け皿ユニット６には、上皿６ｂの下段位置に下皿６ｃが形成されている。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００４８】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００４９】
また、受け皿ユニット６の上面には、上段位置にある上皿６ｂの手前に上皿球抜きボタン６ｄが設置されており、そして下皿６ｃの手前でその中央部には下皿球抜きレバー６ｅが設置されている。遊技者は上皿球抜きボタン６ｄを例えば押し込み操作することで、上皿６ｂに貯留された遊技球を下皿６ｃへ流下させることができる。また遊技者は、下皿球抜きレバー６ｅを例えば左方向へスライドさせることで、下皿６ｃに貯留された遊技球を下方へ落下させて排出することができる。排出された遊技球は、例えば図示しない球受け箱等に受け止められる。
【００５０】
受け皿ユニット６の右下部には、ハンドルユニット１６が設置されている。遊技者はこのハンドルユニット１６を操作することで発射制御基板セット１７４を作動させ、遊技領域８ａに向けて遊技球を発射する（打ち込む）ことができる（球発射装置）。発射された遊技球は、遊技盤８の下縁部から左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面）の構成については、別の図面を参照しながらさらに後述する。
【００５１】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から受皿ユニット６の前面部にまで回り込むようにして延びている。一体扉ユニット４においてガラス枠トップランプ４６や左右のガラス枠装飾ランプ４８，５０，５２等は、ガラスユニット（参照符号なし）を取り巻くようにして配置されている。
【００５２】
上述した各種ランプ４６，４８，５０，５２は、例えば内蔵するＬＥＤの発光（点灯や点滅、輝度階調の変化、色調の変化等）により演出を実行する。また一体扉ユニット４の上部において、左トップレンズユニット４７及び右上電飾ユニット４９にはそれぞれガラス枠上スピーカ５４，５５が組み込まれている。一方、外枠ユニット２の左下位置には外枠スピーカ５６が組み込まれている。これらスピーカ５４，５５，５６は、効果音やＢＧＭ、音声等（音響全般）を出力して演出を実行するものである。
【００５３】
また受け皿ユニット６の中央には、上皿６ｂの手前位置に演出切替ボタン４５が設置されている。演出切替ボタン４５は、例えば押し込み式の円形状ボタンとその周囲に回転式のジョグリング（ジョグダイアル）を組み合わせた形態である。遊技者は、この演出切替ボタン４５を押し込み操作又は回転操作することで演出内容（例えば液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００５４】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。なお、電子機器類については別のブロック図（図５）に基づいてさらに後述する。
【００５５】
上記の払出装置ユニット１７２は、例えば賞球タンク１７２ａ及び賞球ケース（参照符号なし）を有しており、このうち賞球タンク１７２ａは内枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００５６】
また上記の外部端子板１６０は、パチンコ機１を外部の電子機器（例えばデータ表示装置、ホールコンピュータ等）に接続するためのものであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００５７】
電源コード１６４は、例えば遊技場の島設備に設置された電源装置（例えばＡＣ２４Ｖ）に接続されることで、パチンコ機１の動作に必要な電源（電力）を確保するものである。またアース線１６６は、同じく島設備に設置されたアース端子に接続されることで、パチンコ機１のアース（接地）を確保するものである。
【００５８】
〔盤面の構成〕
図３は、遊技盤８を単独で示した正面図である。遊技領域８ａ内には、その中央位置に比較的大型の演出ユニット４０が配置されており、この演出ユニット４０を中心として遊技領域８ａが左側部分、右側部分及び下部分に大きく分かれている。また遊技領域８ａ内には、演出ユニット４０の周辺に中始動ゲート２０や右始動ゲート２１、普通入賞口２２，２４，２５、可変始動入賞装置２８、可変入賞装置３０等が分布して設置されている。このうち中始動ゲート２０は遊技領域８ａの下部分の中央に位置しており、右始動ゲート２１は遊技領域８ａの右側部分でその上部寄りに位置している。また、３つの普通入賞口２２は遊技領域８ａの左側部分でその下寄りに位置しており、他の１つの普通入賞口２４は中始動ゲート２０の下方に位置している。残るもう１つの普通入賞口２５は、遊技領域８ａの右側部分にあって、右始動ゲート２１の下方に位置しており、その直下方に可変入賞装置３０が配置されている。また、可変始動入賞装置２８は遊技領域８ａの右側部分でその下寄りに位置し、中始動ゲート２０の右方に並んで配置されている。
【００５９】
遊技領域８ａ内に放り込まれた遊技球は、その流下の過程で中始動ゲート２０や右始動ゲート２１を通過したり、普通入賞口２２，２４，２５に入球（入賞）したり、あるいは、作動時の可変始動入賞装置２８や開放動作時の可変入賞装置３０に入球（入賞）したりする。なお、遊技領域８ａの左側領域を流下する遊技球は、主に中始動ゲート２０を通過するか、もしくは普通入賞口２２，２４に入球（入賞）する可能性がある。遊技領域８ａの右側領域を流下する遊技球は、主に右始動ゲート２１を通過するか、普通入賞口２５に入球（入賞）するか、あるいは、作動時の可変始動入賞装置２８や開放動作時の可変入賞装置３０に入球（入賞）する可能性がある。中始動ゲート２０や右始動ゲート２１を通過した遊技球は続けて遊技領域８ａ内を流下するが、普通入賞口２２，２４，２５や可変始動入賞装置２８、可変入賞装置３０に入球（入賞）した遊技球は遊技板（遊技盤８を構成する合板材、透明板等）に形成された貫通穴を通じて遊技盤８の裏側へ回収される。
【００６０】
本実施形態において、上記の可変始動入賞装置２８は、所定の作動条件が満たされた場合（普通図柄が当りの態様で所定の停止表示時間にわたり停止表示された場合）に作動し、それに伴って始動入賞口２８ａへの入球（入賞）を可能にする（普通電動役物）。可変始動入賞装置２８は、例えば１つの開閉部材２８ｂを有しており、この開閉部材２８ｂは、例えば図示しないソレノイドを用いたリンク機構の働きにより、盤面に対して前後方向に往復動作する。図示のように盤面に沿った状態で開閉部材２８ｂは閉位置（閉鎖状態）にあり、このとき始動入賞口２８ａへの入球は不能（始動入賞口２８ａが閉鎖中）である。可変始動入賞装置２８が作動すると、開閉部材２８ｂがその下端縁部分をヒンジとして前方へ倒れ込むようにして変位し、始動入賞口２８ａを開放する（開放状態）。この間に可変始動入賞装置２８は遊技球の流入が不能ではない状態、つまり入球が可能な開放状態となり、始動入賞口２８ａへの入賞という事象（抽選契機）を発生させることができる（可変入賞手段）。なお、このとき開閉部材２８ａは始動入賞口２８ａへの遊技球の流入を案内する部材としても機能する。また、遊技盤８に設置されている障害釘の配列は、基本的に可変始動入賞装置２８（作動時の始動入賞口２８ａ）に向かう遊技球の流下を極端に阻害しない態様となっているが、遊技球が作動時の可変始動入賞装置２８に必ず流入するというわけではなく、あくまで流入は無作為に発生する。
【００６１】
また上記の可変入賞装置３０は、規定の条件が満たされた場合（特別図柄が非当選以外の態様で規定の停止表示時間にわたり停止表示された場合）に作動し、大入賞口３０ｂへの入球（入賞）を可能にする（特別電動役物）。可変入賞装置３０は例えば左右一対の開閉部材３０ａを有しており、これら開閉部材３０ａもまた、例えば図示しないソレノイドを用いたリンク機構の働きにより、盤面に沿って左右方向に往復動作する。すなわち、図３中に実線で示されるように、左右の開閉部材３０ａは各先端が上を向いた状態で閉止位置にあり、このとき大入賞口３０ｂへの入球（入賞）は不能（遊技球が流入できる隙間がない状態）となっている。一方、可変入賞装置３０が作動すると、左右の開閉部材３０ａはそれぞれ閉止位置から開放位置に向けて変位（拡開）し、左右に開口幅を拡大して大入賞口３０ｂを開放する。この間に可変入賞装置３０は遊技球の流入が可能な状態となり、大入賞口３０ｂへの入球（入賞）を発生させることができる（可変入賞手段）。ここでも同様に、遊技盤８に設置されている障害釘の配列は、基本的に可変入賞装置３０（開放時の大入賞口３０ｂ）へ向かう遊技球の流下を極端に阻害しない態様となっているが、遊技球が開放動作時の可変入賞装置３０（大入賞口３０ｂ）に必ず流入するというわけではなく、あくまで流入は無作為に発生する。
【００６２】
その他、遊技領域８ａ内にはアウト口３２が形成されており、入賞しなかった遊技球は最終的にアウト口３２を通じて遊技盤８の裏側へ回収される。また、普通入賞口２２，２４，２５や可変始動入賞装置２８（始動入賞口２８ａ）、可変入賞装置３０（大入賞口３０ｂ）に入球した遊技球も含めて、遊技領域８ａ内に打ち込まれた全ての遊技球は遊技盤８の裏側へ回収される。回収された遊技球は、図示しないアウト通路アセンブリを通じてパチンコ機１の裏側から枠外へ排出され、さらに図示しない島設備の補給経路に合流する。
【００６３】
図４は、遊技盤８の一部（窓４ａ内の右下位置）を拡大して示す正面図である。すなわち遊技盤８には、例えば窓４ａ内の右下位置に普通図柄表示装置３３及び普通図柄作動記憶ランプ３３ａが設けられている他、特別図柄表示装置３４及び遊技状態表示装置３８が設けられている。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。なお、ここでは２つのランプ（ＬＥＤ）を使用することとしているが、４つのランプ（ＬＥＤ）を使用して普通図柄作動記憶ランプ３３ａを構成してもよい。この場合、点灯するランプの個数で作動記憶数を表示することができる。
【００６４】
普通図柄作動記憶ランプ３３ａは、上記の始動ゲート２０を遊技球が通過すると、その都度、作動抽選の契機となる通過が発生したことを記憶する意味で１個ずつ増加後の表示態様へと変化していき（最大４個まで）、その通過を契機として普通図柄の変動が開始されるごとに１個ずつ減少後の表示態様へと変化していく。なお本実施形態では、普通図柄作動記憶ランプ３３ａが未点灯（記憶数が０個）の場合、普通図柄が既に変動開始可能な状態（停止表示時）で始動ゲート２０を遊技球が通過しても表示態様は変化しない。すなわち、普通図柄作動記憶ランプ３３ａの表示態様によって表される記憶数（最大４個）は、その時点で未だ普通図柄の変動が開始されていない通過の回数を表している。
【００６５】
また特別図柄表示装置３４は、例えば７セグメントＬＥＤ（ドット付き）により特別図柄の変動状態と停止状態とを表示することができる（図柄表示手段）。本実施形態では１つの特別図柄を使用しているため、特別図柄表示装置３４として１個の７セグメントＬＥＤを設ければよいが、図４に示されるように、予め２個の７セグメントＬＥＤを実装しておくことで、２つの特別図柄を使用する他の機種にも同じハードウェア構成（統合表示基板８９）を適用することができる。なお、本実施形態において特別図柄に対応する作動記憶ランプや作動記憶数表示装置は設けられていない。また、１つの特別図柄を２個の７セグメントＬＥＤで表示してもよい。その他、特別図柄表示装置３４は複数のドットＬＥＤを幾何学的（例えば円形状）に配列した形態であってもよい。
【００６６】
遊技状態表示装置３８には、例えば高確率状態表示ランプ３８ｃ、時短状態表示ランプ３８ｄ、発射位置指定表示ランプ３８ｅにそれぞれ対応する３つのＬＥＤが含まれている。なお図４中、特に参照符号を付していない他のランプ（ＬＥＤ）は未使用（ブランク）のものである。本実施形態では、上述した普通図柄表示装置３３や普通図柄作動記憶ランプ３３ａ、特別図柄表示装置３４及び遊技状態表示装置３８が１枚の統合表示基板８９に実装された状態で遊技盤８に取り付けられている。
【００６７】
〔遊技盤のその他の構成：図３を参照〕
上記の演出ユニット４０は、その上縁部４０ａが遊技球の流下方向を変化させる案内部材として機能する他、その内側に各種の装飾部品４０ｂ，４０ｃ，４０ｋ，４０ｍを備えている。装飾部品４０ｂ，４０ｃ，４０ｋ，４０ｍはその立体的な造形により遊技盤８の装飾性を高めるとともに、例えば内蔵された発光器（ＬＥＤ等）により透過光を発することで、演出的な動作をすることができる。また演出ユニット４０の内側には液晶表示器４２（画像表示器）が設置されており、この液晶表示器４２には普通図柄に対応させた演出図柄をはじめ、各種の演出画像が表示される。このように遊技盤８は、その盤面の構成（図示しないセル板のデザイン）や演出ユニット４０の装飾性に基づいて、遊技者にパチンコ機１の特徴を印象付けている。
【００６８】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅは例えば上下２段に形成されており、このうち上段が遊技者からみて奥に位置し、下段が遊技者からみて手前に位置する。上下２段とも、それぞれ転動ステージ４０ｅの上面は滑らかな湾曲面を有しており、ここでは遊技球が左右方向に転動自在である。転動ステージ４０ｅ上で転動した遊技球は、やがてその下段から下方の遊技領域８ａ内に流下する。
【００６９】
また、転動ステージ４０ｅの略中央位置には流入通路４０ｇが形成されており、この流入通路４０ｇには上段の転動ステージ４０ｅから遊技球が無作為に流入し得る。流入通路４０ｇは演出ユニット４０の下縁部を下方に延びた後、手前側へＬ字形状に屈曲して形成されており、その終端に球放出口４０ｈが形成されている。球放出口４０ｈは前面に向けて開口しており、その開口位置が中始動ゲート２０の真上に位置している。このため転動ステージ４０ｅ上から流入通路４０ｇ内に流入した遊技球は、球放出口４０ｈから放出されて、その真下にある中始動ゲート２０を通過しやすくなる（ただし、常に通過するわけではない。）。
【００７０】
その他に演出ユニット４０には、演出用の可動体４０ｆ（例えばハート形の装飾物）とともに図示しない駆動源（例えばモータ、ソレノイド等）が付属している。演出用の可動体４０ｆは、液晶表示器４２による画像を用いた演出や発光器による演出に加えて、有形物の動作を伴う演出を実行することができる。このような可動体４０ｆを用いた演出により、二次元の画像を用いた演出とは別の訴求力を発揮することができる。なお、可動体４０ｆを用いた演出例については後述する。
【００７１】
〔制御上の構成〕
次に、パチンコ機１の制御に関する構成について説明する。図５は、パチンコ機１に装備された各種の電子機器類を示すブロック図である。パチンコ機１は、制御動作の中枢となる主制御装置７０を備えており、この主制御装置７０は主に、パチンコ機１における遊技の進行を制御する機能を有している。なお主制御装置７０は、上記の主制御基板ユニット１７０に内蔵されている。
【００７２】
また主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また主制御装置７０には、乱数発生器７５やサンプリング回路７７が装備されている。このうち乱数発生器７５は、特別図柄抽選の大当り判定用や普通図柄抽選の当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお回路基板上（又は内層部分）には、信号伝送経路や電源供給経路、制御用バス等が配線パターンとして形成されている。
【００７３】
上述した中始動ゲート２０及び右始動ゲート２１には、それぞれ遊技球の通過を検出するための中ゲートスイッチ７８及び右ゲートスイッチ８０が一体的に設けられている。また遊技盤８には、可変始動入賞装置２８及び可変入賞装置３０にそれぞれ対応して始動入賞口スイッチ８２（検出手段）及びカウントスイッチ８４（検出手段）が装備されている。このうち始動入賞口スイッチ８２は、可変始動入賞装置２８（始動入賞口２８ａ）への遊技球の入賞を検出するためのものである。またカウントスイッチ８４は、可変入賞装置３０（大入賞口３０ｂ）への遊技球の入賞を検出し、その数をカウントするためのものである。同様に遊技盤８には、普通入賞口２２，２４，２５への遊技球の入賞を検出する入賞口スイッチ８６が装備されている。なお、入賞口スイッチ８６は全ての普通入賞口２２，２４，２６について共通のものを用いてもよいし、普通入賞口２２，２４，２５のそれぞれに別々の入賞口スイッチ８６を設置してもよい。例えば、盤面の左右と中央にそれぞれ別の入賞口スイッチ８６を設置し、左側の入賞口スイッチ８６では盤面の左側に位置する普通入賞口２２に対する遊技球の入賞を検出し、中央の入賞口スイッチ８６では盤面の中央に位置する普通入賞口２４に対する遊技球の入賞を検出し、そして右側の入賞口スイッチ８６では盤面の右側に位置する普通入賞口２５に対する遊技球の入賞を検出することとしてもよい。
【００７４】
いずれにしても、これらスイッチ類７８〜８６の入賞検出信号は、図示しない入出力ドライバを介して主制御ＣＰＵ７２に入力される。なお遊技盤８の構成上、本実施形態では中ゲートスイッチ７８、右ゲートスイッチ８０、カウントスイッチ８４及び入賞口スイッチ８６からの入賞検出信号は、パネル中継端子板８７を経由して送信されるものとなっている。パネル中継端子板８７には、それぞれの入賞検出信号を中継するための配線パターンや接続端子等が設けられている。
【００７５】
上述した普通図柄表示装置３３や普通図柄作動記憶ランプ３３ａ、特別図柄表示装置３４及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３８及びランプ３３ａに対する制御信号を出力し、各ＬＥＤの点灯状態を制御している。また、これら表示装置３３，３４，３８及びランプ３３ａは、上記のように１枚の統合表示基板８９に実装された状態で遊技盤８に設置されており、この統合表示基板８９には上記のパネル中継端子板８７を中継して主制御ＣＰＵ７２から制御信号が送信される。
【００７６】
また遊技盤８には、可変始動入賞装置２８及び可変入賞装置３０にそれぞれ対応して普通電動役物ソレノイド８８及び大入賞口ソレノイド９０が設けられている。これらソレノイド８８，９０は主制御ＣＰＵ７２からの制御信号に基づいて動作（励磁）し、それぞれ可変始動入賞装置２８、可変入賞装置３０を作動（開放）させる。なお、これらソレノイド８８，９０についても上記のパネル中継端子板８７を中継して主制御ＣＰＵ７２から制御信号が送信される。
【００７７】
特に図示していないが、遊技盤８には磁気センサや振動センサもまた設置されており、このうち磁気センサは、その設置位置で遊技盤８に飛来してくる磁束を検出し、その密度（磁気強度）に応じた検出信号を出力する。また振動センサは、その設置位置で遊技盤８に加えられる加速度（振動）を検出し、その大きさに応じた検出信号を出力する。これら磁気センサや振動センサの検出信号は、例えばパネル中継端子板８７を通じて主制御装置７０（主制御ＣＰＵ７２）に入力されている。
【００７８】
その他に上記の一体扉ユニット４にはガラス枠開放スイッチ９１が設置されており、また上記の内枠アセンブリ７にはプラ枠開放スイッチ９３が設置されている。一体扉ユニット４が単独で開放されると、ガラス枠開放スイッチ９１からの接点信号が主制御装置７０（主制御ＣＰＵ７２）に入力され、また外枠ユニット２から内枠アセンブリ７が開放されると、プラ枠開放スイッチ９３からの接点信号が主制御装置７０（主制御ＣＰＵ７２）に入力される。主制御ＣＰＵ７２は、これら接点信号から一体扉ユニット４や内枠アセンブリ７の開放状態を検出することができる。なお主制御ＣＰＵ７２は、一体扉ユニット４や内枠アセンブリ７の開放状態を検出すると、上記の外部情報信号として扉開放情報信号を生成する。
【００７９】
パチンコ機１の裏側には、払出制御装置９２が装備されている。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。なお主制御ＣＰＵ７２は賞球指示コマンドとともに、上記の外部情報信号として賞球情報信号を生成する。
【００８０】
払出装置ユニット１７２の図示しない賞球ケース内には、払出モータ１０２（例えばステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【００８１】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。
【００８２】
またパチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。
【００８３】
またパチンコ機１の裏側には、発射制御基板１０８とともに発射ソレノイド１１０が設置されている。また、受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また発射ソレノイド１１０は、発射位置に送り出された遊技球を打撃し、上記のように遊技領域８に向けて遊技球を１個ずつ連続的（間欠的）に打ち出す動作を行う。なお遊技球の発射間隔は、例えば０．６秒程度の間隔（１分間で１００個以内）である。
【００８４】
一方、パチンコ機１の表側に位置する上記のハンドルユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。またタッチセンサ１１４は、静電容量の変化から遊技者の身体がハンドルユニット１６（発射ハンドル）に触れていることを検出し、その検出信号を出力する。そして発射停止スイッチ１１６は、遊技者の操作に応じて発射停止信号（接点信号）を生成する。
【００８５】
上記の受け皿ユニット６には発射中継端子板１１８が設置されており、発射レバーボリューム１１２やタッチセンサ１１４、発射停止スイッチ１１６からの各信号は、発射中継端子板１１８を経由して発射制御基板１０８に送信される。また、発射制御基板１０８からの駆動信号は、発射中継端子板１１８を経由して球送りソレノイド１１１に印加される。遊技者が発射ハンドルを操作すると、その操作量に応じて発射レバーボリューム１１２でアナログ信号（エンコードされたデジタル信号でもよい）が生成され、このときの信号に基づいて発射ソレノイド１１０が駆動される。これにより、遊技者の操作量に応じて遊技球を打ち出す強さが調整されるものとなっている。なお発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、発射中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【００８６】
また、受け皿ユニット６には度数表示基板１２２及び貸出及び返却スイッチ基板１２３が内蔵されている。このうち度数表示基板１２２には、上記の度数表示部の表示器（３桁分の７セグメントＬＥＤ）が設けられている。また貸出及び返却スイッチ基板１２３には球貸ボタン１０や返却ボタン１２にそれぞれ接続されるスイッチモジュールが実装されており、球貸ボタン１０又は返却ボタン１２が操作されると、その操作信号が貸出及び返却スイッチ基板１２３から遊技球等貸出装置接続端子板１２０を経由してＣＲユニットに送信される。またＣＲユニットからは、有価媒体の残り度数を表す度数信号が遊技球等貸出装置接続端子板１２０を経由して度数表示基板１２２に送信される。度数表示基板１２２上の図示しない表示回路は、度数信号に基づいて表示器を駆動し、有価媒体の残り度数を数値表示する。またＣＲユニットに有価媒体が投入されていなかったり、あるいは投入された有価媒体の残り度数が０になったりした場合、度数表示基板１２２の表示回路は表示器を駆動してデモ表示（有価媒体の投入を促す表示）を行うこともできる。
【００８７】
またパチンコ機１は制御上の構成として、演出制御装置１２４を備えている。この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。演出制御ＣＰＵ１２６には、主制御ＣＰＵ７２よりも高速（高クロック周波数）で、データバス幅が広い（例えば６４ビット）タイプのものを使用することができる。なお演出制御装置１２４は、パチンコ機１の裏側で上記の裏カバーユニット１７８に覆われる位置に設けられている。
【００８８】
また演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６，４８，５０，５２や盤面ランプ５３を発光させたり、スピーカ５４，５５，５６から実際に効果音や音声等を出力させたりする処理を行う。
【００８９】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお各種ランプには、上記のガラス枠トップランプ４６やガラス枠装飾ランプ４８，５０，５２の他に、遊技盤８に設置された装飾・演出用の盤面ランプ５３が含まれる。盤面ランプ５３は上記の演出ユニットに内蔵されるＬＥＤや、可変始動入賞装置２８、可変入賞装置３０等に内蔵されるＬＥＤに相当するものである。
【００９０】
また音響駆動回路１３４は、例えば図示しないサウンドＲＯＭや音響制御ＩＣ、アンプ等を内蔵したサウンドジェネレータであり、この音響駆動回路１３４は、上スピーカ５４及び下スピーカ５６を駆動して音響出力を行う。
【００９１】
本実施形態では一体扉ユニット４の内面にガラス枠電飾基板１３６が設置されており、ランプ駆動回路１３２や音響駆動回路１３４からの駆動信号はガラス枠電飾基板１３６を経由して各種ランプ４６，４８，５０，５２やスピーカ５４，５５，５６に印加されている。またガラス枠電飾基板１３６には、上記の演出切替ボタン４５が接続されており、遊技者が演出切替ボタン４５を押し込み操作又は回転操作すると、それぞれ接点信号（押し込み操作時）又は回転角信号（回転操作時）がガラス枠電飾基板１３６を通じて演出制御装置１２４に入力される。
【００９２】
その他、遊技盤８にはパネル電飾基板１３８が設置されており、このパネル電飾基板１３８には盤面ランプ５３の他に可動体ソレノイド５７が接続されている。可動体ソレノイド５７は、例えば図示しないリンク機構を介して上記の可動体４０ｆを駆動する。ランプ駆動回路１３２からの駆動信号は、パネル電飾基板１３８を経由して盤面ランプ５３及び可動体ソレノイド５７にそれぞれ印加されている。
【００９３】
上記の液晶表示器４２は遊技盤８の裏側に設置されており、遊技盤８に形成された略矩形の開口を通じてのその表示画面が視認可能となっている。また、遊技盤８の裏側にはインバータ基板１５８が設置されており、このインバータ基板１５８は液晶表示器４２のバックライト（例えば冷陰極管）に印加される交流電源を生成している。なお、バックライトにＬＥＤアレイを用いる場合、インバータ基板１５８に代えてＬＥＤ駆動基板（図示していない）を設置することができる。さらに、遊技盤８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。またＶＤＰ１５２は、図示しないプロセッサコアとともに画像ＲＯＭ１５４やＶＲＡＭ１５６等の半導体メモリを集積したＬＳＩとして構成されている。なおＶＲＡＭ１５６は、その記憶領域の一部をフレームバッファとして利用することができる。
【００９４】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６、可動体４０ｆを用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【００９５】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらにＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（例えば２４ビットカラー画素）を個別に駆動する。
【００９６】
その他、内枠アセンブリ７の裏側には電源制御ユニット１６２が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、インバータ基板１５８に分配されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。また上記のように電源制御ユニット１６２は、アース線１６６を通じて島設備にアース（接地）されている。
【００９７】
上記の外部端子板１６０は払出制御装置９２に接続されており、主制御装置７０（主制御ＣＰＵ７２）にて生成された各種の外部情報信号は、払出制御装置９２を経由して外部端子板１６０から外部に出力されるものとなっている。主制御装置７０（主制御ＣＰＵ７２）及び払出制御装置９２（払出制御ＣＰＵ９４）は、外部端子板１６０を通じてパチンコ機１の外部に向けて外部情報信号を出力することができる。外部端子板１６０から出力される信号は、例えば遊技場のホールコンピュータ（図示していない）で集計される。なお、ここでは払出制御装置９２を経由する構成を例に挙げているが、主制御装置７０からそのまま外部情報信号が外部端子板１６０に出力される構成であってもよい。
【００９８】
以上がパチンコ機１の制御に関する構成例である。続いて、主制御装置７０の主制御ＣＰＵ７２により実行される制御上の処理について説明する。
【００９９】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。またリセットスタート処理は、初期状態の調整後にパチンコ機１の安定した遊技動作を保証するためのメイン処理（メイン制御プログラム）として位置付けられる。
【０１００】
図６及び図７は、リセットスタート処理の手順例を示すフローチャートである。以下、主制御ＣＰＵ７２が行う処理について、各手順を追って説明する。
【０１０１】
ステップＳ１０１：主制御ＣＰＵ７２は、先ずスタックポインタにスタック領域の先頭アドレスをセットする。
【０１０２】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【０１０３】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【０１０４】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【０１０５】
ステップＳ１０５：また主制御ＣＰＵ７２、割り込みマスクを設定するためにマスクレジスタの初期設定を行う。具体的には、ＣＴＣ割り込みを有効にする値をマスクレジスタに格納する。
【０１０６】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０１０７】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０１０８】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０１０９】
ステップＳ１０９：主制御ＣＰＵ７２は、バックアップ有効判定フラグをリセット（例えば「００００Ｈ」）する。
ステップＳ１１０：また主制御ＣＰＵ７２は、前回の電源断発生直前に送信待ちであったコマンドをクリアする。
【０１１０】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄確率状態指定コマンド、作動記憶数コマンド、回数切りカウンタ残数コマンド、特別遊技状態指定コマンド等）を送信する。これを受けて演出制御装置１２４は、前回の電源遮断時に実行中であった演出状態（例えば、時間短縮状態に対応した演出状態、内部確率状態に対応した演出状態、演出図柄の表示態様、作動記憶数の演出表示態様、音響出力内容、各種ランプの発光状態等）を復帰させることができる。
【０１１１】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄の表示態様、内部確率状態、変動時間短縮機能作動／非作動状態、大当り遊技状態／非大当り遊技状態、作動記憶内容、各種フラグ状態、乱数更新状態等）を復帰させる。また主制御ＣＰＵ７２は、バックアップされていたＰＣレジスタの値を復旧する。
【０１１２】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０１１３】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また主制御ＣＰＵ７２は、ＲＡＭ７６の初期設定を行う。
【０１１４】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０１１５】
ステップＳ１１６：主制御ＣＰＵ７２は、払出制御出力処理を実行する。この処理では、主制御ＣＰＵ７２は払出制御装置９２に対して、賞球の払い出しを開始するための指示コマンドを出力する。
【０１１６】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば４ｍｓ）を設定する。これにより、次にＣＴＣ割り込みが発生すると、主制御ＣＰＵ７２はバックアップされていたＰＣレジスタのプログラムアドレスから処理を続行することができる。
【０１１７】
リセットスタート処理において以上の手順を実行すると、主制御ＣＰＵ７２は図７に示されるメインループに移行する（接続記号Ａ→Ａ）。
【０１１８】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（供給電圧の低下）を監視する。電源遮断が発生すると、主制御ＣＰＵ７２は普通電動役物ソレノイド８８及び大入賞口ソレノイド９０に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして主制御ＣＰＵ７２はバックアップ有効判定フラグ領域に上記の有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０１１９】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、特別図柄に対応する大当り決定乱数（ハードウェア乱数）及び普通図柄に対応する当り決定乱数（ハードウェア乱数）を除く各種の乱数（例えば、当り図柄乱数、大当り図柄乱数、リーチ判定乱数、変動パターン決定乱数等）をプログラム上で発生させている。なお、特別図柄に対応する変動パターン決定乱数やリーチ判定乱数については、必要に応じて発生させることができ、使用しない場合は乱数発生の処理を省略することができる。いずれにしても、これらソフトウェア乱数は、別の割込処理（図８中のステップＳ２０１）で所定範囲内のループカウンタにより更新されているが、この処理において乱数値が１巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図８中のステップＳ２０２）でも同様の処理を実行するため、これとの重複（競合）を防止するためである。なお上記のように、本実施形態において大当り決定乱数及び当り決定乱数は乱数発生器７５により発生されるハードウェア乱数であり、その更新周期はタイマ割込周期（例えば数ｍｓ）よりもさらに高速（例えば数μｓ）であるため、大当り決定乱数及び当り決定乱数の初期値を更新する必要はない。
【０１２０】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（リーチ判定乱数、変動パターン決定乱数等）である。この処理は、メインループの実行中にタイマ割込が発生し、主制御ＣＰＵ７２が別の割込管理処理（図８）を実行した場合の残り時間で行われる。なお割込管理処理の内容については後述する。
【０１２１】
〔割込管理処理（タイマ割込処理）〕
次に、割込管理処理（タイマ割込処理）について説明する。図８は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０１２２】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０１２３】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６の乱数カウンタ領域にてインクリメントされ、それぞれ規定の範囲内でループする。各種乱数には、例えば大当り図柄乱数、普通図柄当り決定乱数等が含まれる。
【０１２４】
ステップＳ２０２：主制御ＣＰＵ７２は、ここでも初期値更新乱数更新処理を実行する。処理の内容は、先に述べたものと同じである。
【０１２５】
ステップＳ２０３：主制御ＣＰＵ７２は、入力処理を実行する。この処理では、主制御ＣＰＵ７２は入出力（Ｉ／Ｏ）ポート７９から各種スイッチ信号を入力する。具体的には、中ゲートスイッチ７８及び右ゲートスイッチ８０からの検出信号や、始動入賞口スイッチ８２、カウントスイッチ８４、入賞口スイッチ８６からの入賞検出信号の入力状態（ＯＮ／ＯＦＦ）をリードする。
【０１２６】
ステップＳ２０４：ここで主制御ＣＰＵ７２は、セキュリティ管理処理を実行する。具体的には、制御ＣＰＵ７２は、上記の磁気センサや振動センサ（図示されていない）による不正行為の監視を行う。
【０１２７】
ステップＳ２０５：次に主制御ＣＰＵ７２は、スイッチ入力イベント処理を実行する。この処理では、先の入力処理で入力したスイッチ信号のうち、中ゲートスイッチ７８又は右ゲートスイッチ８０からの通過検出信号や始動入賞口スイッチ８２からの入賞検出信号に基づいて遊技中に発生した事象の判定を行い、それぞれ発生した事象に応じて、さらに別の処理を実行する。なお、スイッチ入力イベント処理の具体的な内容については、さらに別のフローチャートを用いて後述する。
【０１２８】
ステップＳ２０６，ステップＳ２０７：主制御ＣＰＵ７２は、割込管理処理中において特別図柄遊技処理及び普通図柄遊技処理を実行する。これら処理は、パチンコ機１における遊技を具体的に進行させるためのものである。このうち特別図柄遊技処理（ステップＳ２０６）では、主制御ＣＰＵ７２は先に述べた特別図柄に対応する内部抽選の実行を制御したり、特別図柄表示装置３４による変動表示や停止表示を制御したり、その表示結果に応じて可変入賞装置３０の作動を制御したりする。なお、特別図柄遊技処理の詳細については、さらに別のフローチャートを用いて後述する。
【０１２９】
また普通図柄遊技処理（ステップＳ２０７）では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は先のスイッチ入力イベント処理（ステップＳ２０５）の中で中始動ゲート２０又は右始動ゲート２１の通過を契機として取得した乱数（普通図柄当り決定乱数）を記憶しておき、この普通図柄遊技処理の中で記憶から乱数値を読み出し、所定の当り範囲内に該当するか否かの判定を行う（作動抽選実行手段）。乱数値が当り範囲内に該当する場合、普通図柄表示装置３３により普通図柄を変動表示させて所定の当り態様で普通図柄の停止表示を行った後、主制御ＣＰＵ７２は普通電動役物ソレノイド８８を励磁して可変始動入賞装置２８を作動させる（抽選契機発生動作手段）。一方、乱数値が当り範囲外であれば、主制御ＣＰＵ７２は、変動表示の後にはずれの態様で普通図柄の停止表示を行う。なお、普通図柄遊技処理の詳細についても、さらに別のフローチャートを用いて後述する。
【０１３０】
ステップＳ２０８：次に主制御ＣＰＵ７２は、賞球払出処理を実行する。この処理では、先の入力処理（ステップＳ２０３）において各種スイッチ８０，８４，８６から入力された入賞検出信号に基づき、払出制御装置９２に対して賞球個数を指示する賞球指示コマンドを出力する。なお、先のスイッチ入力イベント処理（ステップＳ２０５）において始動入賞口入賞信号がクリアされた場合は上記賞球指示コマンドが出力されることはない。
【０１３１】
ステップＳ２０９：次に主制御ＣＰＵ７２は、外部情報処理を実行する。この処理では、主制御ＣＰＵ７２は外部端子板１６０を通じて遊技場のホールコンピュータに対して上記の外部情報信号（例えば賞球情報、扉開放情報、図柄確定回数情報、大当り情報、始動口情報等）をポート出力要求バッファに格納する。
【０１３２】
なお本実施形態では、各種の外部情報信号のうち、例えば大当り情報として「大当り１」〜「大当り５」を外部に出力することで、パチンコ機１に接続された外部の電子機器（データ表示器やホールコンピュータ）に対して多様な大当り情報を提供することができる（外部情報信号出力手段）。すなわち、大当り情報を複数の「大当り１」〜「大当り５」に分けて出力することで、これらの組み合わせから大当りの種別（当選種類）を図示しないホールコンピュータで集計・管理したり、内部的な確率状態（低確率状態又は高確率状態）や図柄変動時間の短縮状態の変化を認識したり、非当選以外であっても「大当り」に分類されない小当り（条件装置が作動しない当り）の発生を集計・管理したりすることが可能となる（ただし、本実施形態では小当りを用いていない。）。また大当り情報に基づき、例えば図示しないデータ表示装置によりパチンコ機１の台ごとに過去数営業日以内の大当り発生回数を計数及び表示したり、台ごとに現在大当り中であるか否かを認識したり、あるいは台ごとに現在図柄変動時間の短縮状態であるか否かを認識したりすることができる。この外部情報処理において、主制御ＣＰＵ７２は「大当り１」〜「大当り５」のそれぞれの出力状態（ＯＮ又はＯＦＦのセット）を詳細に制御する。
【０１３３】
ステップＳ２１０：また主制御ＣＰＵ７２は、試験信号処理を実行する。この処理では、主制御ＣＰＵ７２が自己の内部状態（例えば、普通図柄遊技管理状態、特別図柄遊技管理状態、大当り中、確率変動機能作動中、時間短縮機能作動中）を表す各種の試験信号を生成し、これらをポート出力要求バッファに格納する。この試験信号により、例えば主制御装置７０の外部で主制御ＣＰＵ７２の内部状態を試験することができる。
【０１３４】
ステップＳ２１１：次に主制御ＣＰＵ７２は、表示出力管理処理を実行する。この処理では、主制御ＣＰＵ７２は普通図柄表示装置３３、普通図柄作動記憶ランプ３３ａ、特別図柄表示装置３４、遊技状態表示装置３８等の点灯状態を制御する。具体的には、先の特別図柄遊技処理（ステップＳ２０６）や普通図柄遊技処理（ステップＳ２０７）においてポート出力要求バッファに格納されている駆動信号をポート出力する。なお駆動信号は、各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０１３５】
ステップＳ２１２：また主制御ＣＰＵ７２は、出力管理処理を実行する。この処理では、主制御ＣＰＵ７２は先の外部情報処理（ステップＳ２０９）でポート出力要求バッファに格納された外部情報信号（バイトデータ）をポート出力する。また主制御ＣＰＵ７２は、ポート出力要求バッファに格納されている普通電動役物ソレノイド８８及び大入賞口ソレノイド９０の各駆動信号、試験信号等を合わせてポート出力する。
【０１３６】
ステップＳ２１３：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。
【０１３７】
ステップＳ２１４：そして主制御ＣＰＵ７２は、今回のＣＴＣ割込で格納したポート出力要求バッファをクリアする。
【０１３８】
なお本実施形態では、ステップＳ２０６〜ステップＳ２１３の処理（遊技制御プログラムモジュール）をタイマ割込処理として実行する例を挙げているが、これら処理をＣＰＵのメインループ中に組み込んで実行している公知のプログラミング例もある。
【０１３９】
ステップＳ２１５：以上の処理を終えると、主制御ＣＰＵ７２は割込終了を指定する値（０１Ｈ）を割込プログラムカウンタ内に格納し、ＣＴＣ割込を終了する。
【０１４０】
ステップＳ２１６，ステップＳ２１７：そして主制御ＣＰＵ７２は、退避しておいたレジスタ（Ａ〜Ｌ）の値を復帰し、次回のＣＴＣ割込を許可する。この後、主制御ＣＰＵ７２は、メインループ（スタックポインタで指示されるプログラムアドレス）に復帰する。
【０１４１】
〔スイッチ入力イベント処理〕
図９は、スイッチ入力イベント処理（図８中のステップＳ２０５）の手順例を示すフローチャートである。以下、各手順を追って説明する。
【０１４２】
ステップＳ１０：主制御ＣＰＵ７２は、特別図柄に対応する始動入賞口スイッチ８２から入賞検出信号が入力されたか否かを確認する。この入賞検出信号の入力が確認された場合（Ｙｅｓ）、主制御ＣＰＵ７２はステップＳ１１に進む。一方、入賞検出信号の入力がなかった場合（Ｎｏ）、主制御ＣＰＵ７２はステップＳ１５に進む。
【０１４３】
ステップＳ１１：主制御ＣＰＵ７２は、時間短縮機能が作動中か否か、又は、大当り中か否かを確認する。具体的には、主制御ＣＰＵ７２は、ＲＡＭ７６のフラグ領域を参照し、変動時間短縮機能作動フラグの値（０１Ｈ）がセットされているか否か、又は、内部状態フラグとして「大役開始（大当り遊技中）」がセットされているか否かを確認する。この変動時間短縮機能作動フラグは、後述する特別図柄変動前処理（図２０）においてセットされるものである。また、内部状態フラグとしての「大役開始（大当り遊技中）」は後述する特別図柄停止表示中処理（図２２）においてセットされるものである。確認の結果、変動時間短縮機能作動フラグ又は内部状態フラグとして「大役開始（大当り遊技中）」がセットされている場合（Ｙｅｓ）、主制御ＣＰＵ７２は次にステップＳ１３に進む。一方、変動時間短縮機能作動フラグや内部状態フラグとして「大役開始（大当り遊技中）」がセットされていない場合（Ｎｏ）、主制御ＣＰＵ７２は次にステップＳ１２に進む。
【０１４４】
ステップＳ１２：主制御ＣＰＵ７２は、普通電動役物が作動中か否か、又は、入賞有効タイマが０より大きいか否かを確認する。具体的には、主制御ＣＰＵ７２は、ＲＡＭ７６のフラグ領域を参照し、普通電動役物作動フラグの値（０１Ｈ）がセットされているか否か、又は、入賞有効タイマをカウントしているタイマカウンタ値を参照し、カウント値が０であるか否かを確認する。
【０１４５】
ここで、この普通電動役物作動フラグは、可変始動入賞装置２８（普通電動役物）が作動中であるか否かを表すための内部状態を表すフラグであり、後述する可変始動入賞装置管理処理（図２４）においてセットされるものである。また、入賞有効タイマは、可変始動入賞装置２８が非作動中の場合の不正行為を防止するための設定（入賞を無効とする設定）を、「球噛み」等によって閉鎖した後に入賞検出タイミングが大幅にずれ込むこと考慮して設けられているタイマである。したがって、その入賞タイマの値が０より大きければ可変始動入賞装置２８が非作動中の場合でも入賞（検出）を有効とされる。この入賞有効タイマの初期値の値（カウントダウン前の設定値）は、球噛みが発生した場合を考慮して設定されており、例えば、遊技球３００の自重により球噛みが自然と解消されて、そのまま転動していき、入球が検出されるまでに要する時間に基づいて設定されている。なお、その入賞有効タイマは、可変始動入賞装置２８が閉鎖してからカウントダウンが開始されるものであり、その入賞有効タイマが０になるまでの間に入球した場合は入賞したものとして取り扱い、入賞有効タイマが０になってから後に入球した場合は入賞が発生しなかったものとして取り扱うこととなる。なお、この入賞有効タイマは、後述する可変始動入賞装置管理処理内の終了処理（図１７）においてセットされるものである。
【０１４６】
確認の結果、普通電動役物作動フラグの値（０１Ｈ）がセットされている又は入賞有効タイマが０より大きい場合（Ｙｅｓ）、主制御ＣＰＵ７２は次にステップＳ１３に進む。一方、普通電動役物作動フラグの値（０１Ｈ）がセットされておらず、さらに、入賞有効タイマが０である場合（Ｎｏ）、主制御ＣＰＵ７２は次にステップＳ１４に進む。
【０１４７】
ステップＳ１３：主制御ＣＰＵ７２は、特別図柄記憶処理を実行する。なお、特別図柄記憶処理（ステップＳ１３）の具体的な内容については、別のフローチャートを用いてさらに後述する。
【０１４８】
ステップＳ１４：主制御ＣＰＵ７２は可変始動入賞装置２８（始動入賞口２８ａ）についての入賞検出信号をクリア、つまり、ＯＮになっているビットをＯＦＦに書き換える（入球有効条件決定手段）。これにより、この後の制御プロセスでは、可変始動入賞装置２８（始動入賞口２８ａ）への入賞が発生しなかったものとして取り扱うことができるため、不正入賞による特別図柄の変動や内部抽選が行われたり、賞球の払い出しが行われたりすることを確実に防止することができる。
【０１４９】
ステップＳ１５：主制御ＣＰＵ７２は、大入賞口に対応するカウントスイッチ８４から入賞検出信号が入力されたか否かを確認する。この入賞検出信号の入力が確認された場合（Ｙｅｓ）、主制御ＣＰＵ７２は次のステップＳ１６に進んで大入賞口カウント処理を実行する。大入賞口カウント処理では、主制御ＣＰＵ７２は大当り遊技中に１ラウンドごとの可変入賞装置３０への入賞球数をカウントする。一方、入賞検出信号の入力がなかった場合（Ｎｏ）、主制御ＣＰＵ７２はステップＳ１７に進む。
【０１５０】
ステップＳ１７：主制御ＣＰＵ７２は、普通図柄に対応する中ゲートスイッチ７８又は右ゲートスイッチ８０から通過検出信号が入力されたか否かを確認する。この通過検出信号の入力が確認された場合（Ｙｅｓ）、主制御ＣＰＵ７２は次のステップＳ１８に進んで普通図柄記憶更新処理を実行する。普通図柄記憶更新処理（ステップＳ１８）の具体的な内容については、別のフローチャートを用いてさらに後述する。一方、入賞検出信号の入力がなかった場合（Ｎｏ）、主制御ＣＰＵ７２は割込管理処理（図８）に復帰する。
【０１５１】
ここで、上述した特別図柄記憶処理（ステップＳ１３）の実行の選択処理（ステップＳ１１、ステップＳ１２）は、可変始動入賞装置２８の動作時における遊技球の入球の発生時から、実際にスイッチ８２で入球が検出されるまでのタイミングのずれを考慮したものである。例えば、可変始動入賞装置２８が開放動作を終了（開放→閉鎖）すると、構造上は開閉部材２８ｂによって始動入賞口２８ａが閉鎖された状態となるため、閉鎖後は基本的に始動入賞口２８ａへの入球は発生しなくなる。ただし、開閉部材２８ｂの開放中に入球した遊技球が始動入賞口スイッチ８２を通過するまでにはある程度の時間（転動時間）を要するため、開放終了と同時に、以後検出された入球を無効と判定することは適切でない。さらに、可変始動入賞装置２８については、開閉部材２８ｂの閉鎖に伴う入球不良、いわゆる「球噛み」によって入球を検出するタイミングが開放終了から大幅に遅延する場合がある。そこで、上述した遊技状態の確認（ステップＳ１１）や普通電動役物の作動及び入賞有効タイマの確認（ステップＳ１２）を行い、「球噛み」により検出が大幅に遅延して始動入賞口２８ａへ入球した場合においても、入賞が発生したものとして取り扱っている。具体的な可変始動入賞装置２８の動作において「球噛み」が発生した場合について説明する。
【０１５２】
〔可変始動入賞装置の動作例〕
図１０は、可変始動入賞装置２８の動作例について説明する図である。なお、図１０及び以下に挙げる図１１では便宜上、可変始動入賞装置２８の形態（開閉部材２８ｂの形状）を簡略化して示している。このため図１０及び図１１に示される可変始動入賞装置２８の形態は、図１及び図３に示されるものと異なっている。
【０１５３】
〔閉鎖中（開放前）〕
図１０中（Ａ）：可変始動入賞装置２８が閉鎖中である場合、開閉部材２８ｂは盤面に沿って直立した姿勢で始動入賞口２８ａを閉鎖した閉位置にあり、遊技球３００が入球できる隙間がない状態であるため、始動入賞口２８ａへの入球は不能となっている。このため、遊技領域を流下する遊技球３００は、可変始動入賞装置２８の前面側をそのまま通過するだけであり、通常は始動入賞口２８ａで入球が発生することはない。
【０１５４】
〔開放開始〕
図１０中（Ｂ）：普通図柄抽選にて当選の結果が得られ、普通図柄が当選の態様で停止表示（確定停止）されると、開閉部材２８ｂがその下端縁をヒンジとして前面側へ倒れ込むようにして開位置に変位し、始動入賞口２８ａを開放する。これにより、始動入賞口２８ａへの入球の発生が可能となる。
【０１５５】
〔開放中〕
図１０中（Ｃ）：可変始動入賞装置２８は、予め定められた開放時間（例えば６．０秒程度）が経過するまで開放状態を継続する。ただし、開放時間内に所定数（例えば８個）の遊技球３００の入球が検出されると、開放時間の経過を待たずに可変始動入賞装置２８は閉鎖状態となる。開放状態で開閉部材２８ｂは遊技球３００を案内する部材として機能し、開放中の可変始動入賞装置２８の上方から流下してきた遊技球３００は、開閉部材２８ｂに受け止められて案内され、始動入賞口２８ａに入球する。入球した遊技球３００は、上記のように可変始動入賞装置２８に設けられた始動入賞口スイッチ８２で検出される。
【０１５６】
〔閉鎖中（開放終了）〕
図１０中（Ｄ）：可変始動入賞装置２８の開放時間が経過するか、開放時間内に所定数の遊技球３００の入球が検出されると、開閉部材２８ｂは閉位置に復帰し、可変始動入賞装置２８は閉鎖される。可変始動入賞装置２８が閉鎖状態に復帰すると、遊技領域を流下する遊技球３００は再び始動入賞口２８ａへの入球が不能となる。
【０１５７】
以上は、可変始動入賞装置２８の基本的な動作であるが、可変始動入賞装置２８の開放中に球噛みが発生すると、以下のような動作となる。なお、「球噛み」とは、可変始動入賞装置２８が開放状態にある場合に、何らかの事情で遊技球３００が滞留（挟まれる等）してしまうことをいう。
【０１５８】
〔可変始動入賞装置の球噛み時の動作例〕
図１１は、可変始動入賞装置２８において「球噛み」が発生した場合の動作例について説明する図である。以下、可変始動入賞装置２８において発生し得る「球噛み」と入球の検出タイミングのずれについて説明する。
【０１５９】
〔閉鎖中〕
図１１中（Ａ）：可変始動入賞装置２８が閉鎖中である場合、同じく開閉部材２８ｂは盤面に沿って直立した姿勢で始動入賞口２８ａを閉鎖した閉位置にあり、始動入賞口２８ａでの入球の発生は不能となっている。
【０１６０】
〔開放開始〕
図１１中（Ｂ）：ここでも同様に、普通図柄抽選にて当選の結果が得られ、普通図柄が当選の態様で停止表示（確定停止）されると、開閉部材２８ｂが開位置に変位し、始動入賞口２８ａを開放する。
【０１６１】
〔閉鎖時（球噛み発生例）〕
図１１中（Ｃ）：開放時間が経過するか、もしくは開放時間内に所定数の遊技球３００の入球が検出されたため、可変始動入賞装置２８が閉鎖した場合を想定する。このとき開閉部材２８ｂは開位置から閉位置に向けて変位することで、盤面に沿って直立した姿勢に復帰しようとするが、開閉部材２８ｂが閉位置に戻りきるより前のタイミングで遊技球３００が流下してくることがある。この場合、遊技球３００は開閉部材２８ｂと盤面（始動入賞口２８ａの外側領域）との間に挟まれた状態となり、そのまま流入できなくなって球噛みが発生する。ここでは１個の遊技球３００が球噛みした例を挙げているが、複数個の遊技球３００が球噛みすることもあり得る。
【０１６２】
また、ここでは閉鎖時の開閉部材２８ｂに遊技球３００が挟まれて「球噛み」が発生した例を挙げているが、この他にも、例えば開放状態で始動入賞口２８ａには入球したが、始動入賞口２８ａ内で１個又は複数個の遊技球３００が転動できずに停滞することで「球噛み」が発生する場合もある。このような場合の「球噛み」は、可変始動入賞装置２８の開放中から発生することもあり得る。
【０１６３】
このとき、球噛みの度合いが緩やかであれば、遊技球３００の自重により球噛みが自然と解消されて、そのまま転動していくことがある。あるいは、次に流下してきた遊技球３００が球噛みしている遊技球３００に衝突することにより、その衝撃によって球噛みが解消されることもある。いずれにしても、球噛みが解消した後には、遊技球３００の滞留は解除されるため、遊技球３００は可変始動入賞装置２８の内部に進入し、始動入賞口２８ａ内を始動入賞口スイッチ８２に向けて転動していくことになる。
【０１６４】
〔入賞検出タイミング〕
図１１中（Ｄ）：球噛みが解消された頃には、既に可変始動入賞装置２８の開放時間は経過しており、さらに閉鎖時間（閉鎖後に閉鎖状態を有効に維持する時間）までがほとんど経過している場合がある。したがって、それまで球噛みしていた遊技球３００が始動入賞口スイッチ８２で検出されるタイミングは、可変始動入賞装置２８の閉鎖時間が経過した後ということもあり得る。
【０１６５】
ここで、本来なら可変始動入賞装置２８の作動が終了したことでこの入球は不正な入球としてされ、入賞が発生しなかったものとして取り扱われることとなるが、上述したスイッチ入力イベント処理において、入賞有効タイマが０より大きいことが確認されることで入賞が発生したものとして取り扱われる。また、上述したスイッチ入力イベント処理において、時間短縮機能作動中もしくは大当り遊技中であることが確認された場合、入賞有効タイマを確認することなく、その球噛みにより遅延した入球が確認されると、入賞が発生したものとして取り扱われる。いずれにしても、「球噛み」が発生した場合、全ての遊技状態において、入球が確認されると、入賞が発生したものとして取り扱われる。すなわち、「球噛み」が発生したとしても、遊技状態が大当り遊技中もしくは時間短縮機能作動中であれば、そのまま入賞が発生したものとして取り扱われ、遊技状態が通常状態であれば入賞有効タイマを確認することで、入賞が発生したものとして取り扱われる。したがって、可変始動入賞装置２８が非作動中に行われる不正行為の対策を実施しつつ、「球噛み」により遅延した入球を入賞が発生しないこととして取り扱うといった遊技者に不利益を与えることを防止するすることができる。
【０１６６】
〔普通図柄記憶更新処理〕
次に、上記の普通図柄記憶更新処理（図９中のステップＳ１８）について説明する。図１２は、普通図柄記憶更新処理の手順例を示すフローチャートである。以下、普通図柄記憶更新処理の手順について順を追って説明する。
【０１６７】
ステップＳ２０：ここでは先ず、主制御ＣＰＵ７２は普通図柄作動記憶数カウンタの値を参照し、作動記憶数が最大値の４未満であるか否かを確認する。作動記憶数カウンタは、ＲＡＭ７６の乱数記憶領域に記憶されている普通図柄当り決定乱数の個数（組数）を表すものである。すなわち、ＲＡＭ７６の乱数記憶領域は普通図柄について４つのセクション（例えば各１バイト）に分けられており、各セクションには普通図柄当り決定乱数を１個ずつ記憶可能である。このとき、作動記憶数カウンタの値が上限値（最大値）に達していれば（Ｙｅｓ）、主制御ＣＰＵ７２はスイッチ入力イベント処理（図９）に復帰する。一方、作動記憶数カウンタの値が上限値（最大値）未満であれば（Ｎｏ）、主制御ＣＰＵ７２は次のステップＳ２１に進む。
【０１６８】
ステップＳ２１：主制御ＣＰＵ７２は、普通図柄作動記憶数を１つ加算する。普通図柄作動記憶数カウンタは、例えばＲＡＭ７６の作動記憶数領域に記憶されており、主制御ＣＰＵ７２はその値をインクリメント（＋１）する。ここで加算されたカウンタの値に基づき、表示出力管理処理（図８中のステップＳ２１１）で普通図柄作動記憶ランプ３３ａの点灯状態が制御されることになる。
【０１６９】
ステップＳ２２：そして主制御ＣＰＵ７２は、上記のサンプリング回路７７を通じて乱数発生器７５から普通図柄当り決定乱数値を取得する。乱数値の取得は、乱数発生器７５のピンアドレスを指定して行う。主制御ＣＰＵ７２が８ビットのデータバス幅を有する場合、アドレスの指定は上位及び下位で１バイトずつ２回に分けて行われる。主制御ＣＰＵ７２は、指定したアドレスから普通図柄当り決定乱数値をリードすると、これを普通図柄当り決定乱数として転送先（乱数記憶領域）のアドレスにセーブする。なお、普通図柄当り決定乱数値は、例えばＲＡＭ７６の当り乱数カウンタ領域から取得することとしてもよい。この場合、主制御ＣＰＵ７２は、指定したアドレスから普通図柄当り決定乱数値をリードすると、これを普通図柄に対応する当り決定乱数として転送先のアドレスにセーブする。
【０１７０】
ステップＳ２３：主制御ＣＰＵ７２は、セーブした普通図柄当り決定乱数を普通図柄に対応する乱数記憶領域に転送し、これを領域内の空きセクションに記憶させる。複数のセクションには順番（例えば第１〜第４）が設定されており、現段階で第１〜第４の全てのセクションが空きであれば、第１セクションから順に当り決定乱数が記憶される。あるいは、第１セクションが既に埋まっており、その他の第２〜第４セクションが空きであれば、第２セクションから順に当り決定乱数が記憶されていく。なお、乱数記憶領域の読み出しはＦＩＦＯ形式である。
【０１７１】
ステップＳ２４：そして主制御ＣＰＵ７２は、普通図柄演出コマンド出力設定処理を実行する。この処理では、主制御ＣＰＵ７２は例えば普通図柄の始動音制御コマンドを演出制御装置１２４に対して送信するための設定を行う。なお、主制御ＣＰＵ７２はこの処理の前に例えば先読み判定処理を行ってもよい。この場合、主制御ＣＰＵ７２は先読み判定処理において抽選の当否を事前に判定し、その結果に基づいて普図先判定演出コマンドを生成する。そして、主制御ＣＰＵ７２はステップＳ２４で普図先判定演出コマンドを演出制御装置１２４に対して送信するための設定を行うことができる。
【０１７２】
以上の手順を終えるか、もしくは普通図柄作動記憶数が４（最大値）に達していた場合（ステップＳ２０：Ｙｅｓ）、主制御ＣＰＵ７２はスイッチ入力イベント処理（図９）に復帰する。
【０１７３】
〔普通図柄遊技処理〕
次に、割込管理処理中に実行される普通図柄遊技処理（図８中のステップＳ２０７）の詳細について説明する。
図１３は、普通図柄遊技処理の構成例を示すフローチャートである。普通図柄遊技処理は、実行選択処理（ステップＳ１００１）、普通図柄変動前処理（ステップＳ２００１）、普通図柄変動中処理（ステップＳ３００１）、普通図柄停止表示中処理（ステップＳ４００１）、可変始動入賞装置管理処理（ステップＳ５００１）のサブルーチン群を含む構成である。ここでは先ず、各処理に沿って普通遊技管理処理の基本的な流れを説明する。
【０１７４】
ステップＳ１００１：実行選択処理において、主制御ＣＰＵ７２は次に実行するべき処理（ステップＳ２００１〜ステップＳ５００１のいずれか）のジャンプ先を選択する。例えば、主制御ＣＰＵ７２は次に実行するべき処理のプログラムアドレスをジャンプ先のアドレスとし、また戻り先のアドレスとして普通図柄遊技処理の末尾を「ジャンプテーブル」にセットする。いずれの処理を次のジャンプ先として選択するかは、これまでに行われた処理の進行状況によって異なる。例えば、未だ普通図柄が変動表示を開始していない状況であれば、主制御ＣＰＵ７２は次のジャンプ先として普通図柄変動前処理（ステップＳ２００１）を選択する。一方、既に普通図柄変動前処理が完了していれば、主制御ＣＰＵ７２は次のジャンプ先として普通図柄変動中処理（ステップＳ３００１）を選択し、普通図柄変動中処理まで完了していれば、次のジャンプ先として普通図柄停止表示中処理（ステップＳ４００１）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０１７５】
ステップＳ２００１：普通図柄変動前処理では、主制御ＣＰＵ７２は普通図柄の変動表示を開始するための条件を整える作業を行う。なお、具体的な処理の内容は、別のフローチャートを用いて後述する。
【０１７６】
ステップＳ３００１：普通図柄変動中処理では、主制御ＣＰＵ７２は変動タイマをカウントしつつ、普通図柄表示装置３３の駆動制御を行う。具体的には、普通図柄表示装置３３を構成する２つのＬＥＤに対してそれぞれＯＮ又はＯＦＦの駆動信号を出力する。駆動信号のパターンは時間の経過に伴って変化し、それによって普通図柄の変動表示が行われる。なお、本実施形態では２つのＬＥＤを交互に点灯及び消灯させることで、普通図柄の変動表示を行うため、駆動信号のパターンをシンプルに（例えば２パターンで）構成することができ、それだけ主制御ＣＰＵ７２の負荷を軽減することができる。
【０１７７】
ステップＳ４００１：普通図柄停止表示中処理では、主制御ＣＰＵ７２は普通図柄表示装置３３の駆動制御を行う。ここでも同様に、２つのＬＥＤに対してそれぞれＯＮ又はＯＦＦの駆動信号を出力するが、駆動信号のパターンは一定であり、これにより普通図柄の停止表示が行われる。なお、本実施形態では上下２つのＬＥＤのうち、例えば上のＬＥＤを点灯させた状態で当選時の停止表示を行い、下のＬＥＤを点灯させた状態で非当選時の停止表示を行うことができる（上下の論理は逆でもよい。）。
【０１７８】
ステップＳ５００１：可変始動入賞装置管理処理は、先の普通図柄停止表示中処理において当りの態様（例えば上のＬＥＤが点灯）で普通図柄が停止表示された場合に選択される。普通図柄が当りの態様で停止表示されると、この処理において主制御ＣＰＵ７２は作動条件が満たされたものとして、可変始動入賞装置２８を作動させる。なお、可変始動入賞装置２８についての作動条件についてはさらに後述する。
【０１７９】
可変始動入賞装置２８の作動中は、先の実行選択処理（ステップＳ１００１）においてジャンプ先が可変始動入賞装置管理処理（ステップＳ５００１）にセットされ、普通図柄の変動表示は行われない。また可変始動入賞装置管理処理においては、普通電動役物ソレノイド８８が所定時間、規定回数（例えば１回）だけ励磁され、これにより可変始動入賞装置２８が設定されたパターンで作動し、始動入賞口２８ａへの入賞の発生が可能となる（抽選契機発生動作手段）。なお本実施形態においては、始動入賞口２８ａへの入賞の発生を契機として特別図柄遊技処理も進行していくが、以下では便宜上、先に普通図柄遊技処理についての説明を一通り行うものとする。
【０１８０】
〔普通図柄変動前処理〕
次に図１４は、普通図柄変動前処理の手順例を示すフローチャートである。以下、各手順に沿って説明する。
【０１８１】
ステップＳ６１００：先ず主制御ＣＰＵ７２は、普通図柄作動記憶数が残存しているか（０より大であるか）否かを確認する。この確認は、ＲＡＭ７６に記憶されている普通図柄作動記憶数カウンタの値を参照して行うことができる。作動記憶数が０であった場合（Ｎｏ）、主制御ＣＰＵ７２はステップＳ６５００のデモ設定処理を実行する。
【０１８２】
ステップＳ６５００：この処理では、主制御ＣＰＵ７２はデモ演出用コマンドを生成する。デモ演出用コマンドは、上記の演出制御出力処理（図８中のステップＳ２１３）において演出制御装置１２４に出力される。デモ設定処理を実行すると、主制御ＣＰＵ７２は普通図柄遊技処理に復帰する。
【０１８３】
これに対し、普通図柄作動記憶数カウンタの値が０より大きければ（Ｙｅｓ）、主制御ＣＰＵ７２は次にステップＳ６２００を実行する。
【０１８４】
ステップＳ６２００：主制御ＣＰＵ７２は、普通図柄記憶シフト処理を実行する。この処理では、主制御ＣＰＵ７２はＲＡＭ７６の乱数記憶領域に記憶されている抽選用乱数（普通図柄当り決定乱数）を読み出し、これを例えば別の共通記憶領域に保存する。このとき２つ以上のセクションに乱数が記憶されていれば、主制御ＣＰＵ７２は第１セクションから順に乱数を読み出し、残った乱数を１つずつ前のセクションに移動（シフト）させる。共通記憶領域に保存された各乱数は、以降の当り判定処理で作動抽選に使用される。
【０１８５】
ステップＳ６２５０：次に主制御ＣＰＵ７２は、普通図柄作動記憶数減算処理を実行する。この処理では、主制御ＣＰＵ７２は、ＲＡＭ７６に記憶されている普通図柄作動記憶数カウンタの値を１つ減算し、減算後の値を「普通図柄変動開始時作動記憶数」に設定する。これにより、上記の表示出力管理処理（図８中のステップＳ２１１）の中で普通図柄作動記憶ランプ３３による記憶数の表示態様が変化（１減少）する。ここまでの手順を終えると、主制御ＣＰＵ７２は次にステップＳ６３００を実行する。
【０１８６】
ステップＳ６３００：主制御ＣＰＵ７２は、当り判定処理（作動抽選）を実行する。この処理では、主制御ＣＰＵ７２は、普通図柄当り値の範囲を設定し、この範囲内に読み出した乱数値が含まれるか否かを判断する（作動抽選実行手段）。このとき設定される普通図柄当り値の範囲は、非時間短縮状態（時間短縮機能が非作動時）と時間短縮状態（時間短縮機能作動時）とで異なり、時間短縮状態では非時間短縮状態よりも当り値の範囲が拡大されることで、作動抽選の当選確率が非時間短縮状態に比較して極端に高く設定される。そして、このとき読み出した乱数値が当り値の範囲内に含まれていれば、主制御ＣＰＵ７２は普通図柄当りフラグ（０１Ｈ）をセットし、次にステップＳ６４００に進む。なお、本実施形態ではプログラム上で当り値の範囲を設定して当り判定を行っているが、予め当り判定テーブルをＲＯＭ７４に書き込んでおき、これを読み出して乱数値と対比しながら当り判定を行うプログラミング例もある。また、状態別の具体的な当選確率については別の図面を用いてさらに後述する。
【０１８７】
ステップＳ６４００：主制御ＣＰＵ７２は、先の当り判定処理で当りフラグに値（０１Ｈ）がセットされたか否かを判断する。当りフラグに値（０１Ｈ）がセットされていなければ（Ｎｏ）、主制御ＣＰＵ７２は次にステップＳ６４０４を実行する。
【０１８８】
ステップＳ６４０４：主制御ＣＰＵ７２は、はずれ時停止図柄決定処理を実行する。この処理では、主制御ＣＰＵ７２は、普通図柄表示装置３３によるはずれ時の停止図柄番号データをセットする。また主制御ＣＰＵ７２は、演出制御装置１２４に送信するための停止図柄指定コマンド及び抽選結果コマンド（はずれ時）を生成する。これらコマンドは、演出制御出力処理（図８中のステップＳ２１３）において演出制御装置１２４に送信される。
【０１８９】
なお本実施形態では、普通図柄表示装置３３に２つのＬＥＤを用いているため、例えば上記のように、はずれ時の停止図柄の表示態様をいずれか１つ（下側）のＬＥＤの点灯表示だけにしておき、停止図柄番号データを１つの値に固定することができる。この場合、プログラム上で使用する記憶容量を削減し、主制御ＣＰＵ７２の処理負荷を軽減して処理速度を向上することができる。このような考え方は、普通図柄表示装置３３に７セグメントＬＥＤを用いた場合も同様に適用することができる。
【０１９０】
ステップＳ６４０６：次に主制御ＣＰＵ７２は、はずれ時変動パターン決定処理を実行する。この処理では、主制御ＣＰＵ７２は、普通図柄についてはずれ時の変動パターン番号を決定する。変動パターン番号は、変動パターンの種類を区別したり、そのときの変動時間を規定したりするものであり、例えば主制御ＣＰＵ７２による乱数抽選で決定される。すなわち主制御ＣＰＵ７２は、この処理において例えば図示しない変動パターン決定テーブルを参照し、このテーブル上で普通図柄当り乱数（非当選のもの）に対応する変動パターン番号を選択する。またテーブルには、変動パターン番号に対応する変動時間（例えば６．０秒〜１８０秒）が予め設定されており、主制御ＣＰＵ７２は選択した変動パターン番号に対応する変動時間をテーブルから取得することができる。
【０１９１】
なお本実施形態では、はずれリーチ変動を行う場合を除き、はずれ時の変動時間は、例えばステップＳ６２５０で設定した「変動表示開始時作動記憶数（０個〜３個）」に基づいて設定される。また変動時間については、非時間短縮状態と時間短縮状態とで設定が異なり、非時間短縮状態では上記のように選択した変動パターン番号に基づいて変動時間が設定されるが、時間短縮状態では固定値（例えば０．６秒）に設定される。なお、状態別の変動時間の設定についても、別の図面を使用してさらに後述するものとする。
【０１９２】
以上のステップＳ６４０４，ステップＳ６４０６は、当り判定結果がはずれ時の制御手順であるが、判定結果が当り（ステップＳ６４００：Ｙｅｓ）の場合、主制御ＣＰＵ７２は以下の手順を実行する。
【０１９３】
ステップＳ６４１０：主制御ＣＰＵ７２は、当り時停止図柄決定処理を実行する。この処理では、主制御ＣＰＵ７２は当り時停止図柄番号を決定する。ただし本実施形態では、普通図柄について複数の当選図柄が設けられていないため、基本的に主制御ＣＰＵ７２は、常に１種類の停止図柄番号を選択することになる。
【０１９４】
ステップＳ６４１２：次に主制御ＣＰＵ７２は、当り時変動パターン決定処理を実行する。この処理では、主制御ＣＰＵ７２は例えばＲＡＭ７６のカウンタ領域から変動パターン決定乱数（普通図柄変動用乱数）を取得すると、その値に基づいて普通図柄の変動パターン（変動時間）を決定する。本実施形態のパチンコ機１による遊技では、基本的に、普通図柄の当り時には図柄演出を含めて当り時のリーチ変動を行うため、ここではリーチ変動パターンが選択される。なお一般的に当り時のリーチ変動の場合、はずれ通常変動時よりも長い変動時間が決定される。また、変動パターン決定乱数（普通図柄変動用乱数）は、このステップＳ６４１２で取得する以外に、例えば先の普通図柄記憶更新処理（図１２）の中で取得してもよい。この場合、主制御ＣＰＵ７２は普通図柄記憶更新処理のステップＳ２３において、取得した普通図柄変動用乱数を当り決定乱数とセットで記憶させるものとする。
【０１９５】
ステップＳ６４１３：主制御ＣＰＵ７２は、当り時その他設定処理を実行する。この処理では、主制御ＣＰＵ７２は当り時停止図柄番号に基づいて、普通図柄表示装置３３による停止図柄（当り図柄）の表示態様を決定する。ただし、上記のように本実施形態では停止図柄番号が常に１種類であるため、主制御ＣＰＵ７２は常に１つの表示態様（上側のＬＥＤを点灯）を決定する。また主制御ＣＰＵ７２は、演出制御装置１２４に送信する停止図柄コマンド及び抽選結果コマンド（当り時）を生成する。これら停止図柄コマンド及び抽選結果コマンドもまた、演出制御出力処理（図８中のステップＳ２１３）において演出制御装置１２４に送信される。
【０１９６】
ステップＳ６４１４：次に主制御ＣＰＵ７２は、普通図柄変動開始処理を実行する。この処理では、主制御ＣＰＵ７２は変動パターン番号（はずれ時／当り時）に基づいて変動パターンデータを選択し、変動パターンに対応する変動時間の値を変動タイマにセットする。合わせて主制御ＣＰＵ７２は、ＲＡＭ７６のフラグ領域に普通図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は普通図柄遊技処理に復帰する。
【０１９７】
〔図１３：普通図柄変動中処理，普通図柄停止表示中処理〕
普通図柄遊技処理に復帰すると、主制御ＣＰＵ７２は普通図柄変動中処理（ステップＳ３００１）を次のジャンプ先に設定する。普通図柄変動中処理では、上記のように主制御ＣＰＵ７２は変動タイマの値をレジスタからタイマカウンタにロードし、その後、時間の経過（クロックパルスのカウント数、又は割込カウンタのカウント数）に応じてタイマカウンタの値をデクリメントする。そして主制御ＣＰＵ７２は、タイマカウンタの値を参照しつつ、その値が０になるまで上記のように普通図柄の変動表示を制御する。そして、タイマカウンタの値が０になると、主制御ＣＰＵ７２は普通図柄停止表示中処理（ステップＳ４００１）を次のジャンプ先に設定する。
【０１９８】
普通図柄停止表示中処理では、主制御ＣＰＵ７２は当り時停止図柄決定処理（図１４中のステップＳ６４０４，ステップＳ６４１０）で決定した停止図柄に基づいて普通図柄の停止表示を制御する。また主制御ＣＰＵ７２は、演出制御装置１２４に送信する図柄停止コマンドを生成する。図柄停止コマンドは、上記の演出制御出力処理において演出制御装置１２４に送信される。なお、普通図柄停止表示中処理の中で停止図柄を所定時間にわたり表示させると、主制御ＣＰＵ７２は図柄変動中フラグを消去する。
【０１９９】
〔可変入賞装置管理処理〕
次に、可変始動入賞装置管理処理について説明する。
図１５は、可変始動入賞装置管理処理の構成例を示すフローチャートである。可変始動入賞装置管理処理は、遊技プロセス選択処理（ステップＳ５１０１）、開放パターン設定処理（ステップＳ５２０１）、開閉動作処理（ステップＳ５３０１）、閉鎖処理（ステップＳ５４０１）、終了処理（ステップＳ５５０１）のサブルーチン群を含む構成である。
【０２００】
ステップＳ５１０１：遊技プロセス選択処理において、主制御ＣＰＵ７２は次に実行するべき処理（ステップＳ５２０１〜ステップＳ５５０１のいずれか）のジャンプ先を選択する。すなわち主制御ＣＰＵ７２は、ジャンプテーブルから次に実行するべき処理のプログラムアドレスをジャンプ先のアドレスとして選択し、また戻り先のアドレスとして可変始動入賞装置管理処理の末尾をスタックポインタにセットする。いずれの処理を次のジャンプ先として選択するかは、これまでに行われた処理の進行状況によって異なる。例えば、未だ可変始動入賞装置２８の作動を開始していない状況であれば、主制御ＣＰＵ７２は次のジャンプ先として開放パターン設定処理（ステップＳ５２０１）を選択する。一方、既に開放パターン設定処理が完了していれば、主制御ＣＰＵ７２は次のジャンプ先として開閉動作処理（ステップＳ５３０１）を選択し、開閉動作処理まで完了していれば、次のジャンプ先として閉鎖処理（ステップＳ５４０１）を選択する。また、開閉動作処理及び閉鎖処理を実行すると、主制御ＣＰＵ７２は次のジャンプ先として終了処理（ステップＳ５５０１）を選択する。以下、それぞれの処理についてさらに詳しく説明する。
【０２０１】
〔開放パターン設定処理〕
ステップＳ５２０１：開放パターン設定処理では、主制御ＣＰＵ７２は可変始動入賞装置２８の開放パターンとして、例えば作動時間（開放時間）と作動回数（開放回数）を設定する。なお本実施形態では、非時間短縮状態又は時間短縮状態のいずれにおいても、可変始動入賞装置２８の作動時間及び作動回数は共通に設定される。そして主制御ＣＰＵ７２は、次のジャンプ先として開閉動作処理（ステップＳ５３０１）を設定する。
【０２０２】
ステップＳ５３０１：次の開閉動作処理では、主制御ＣＰＵ７２は先のステップＳ５２０１で設定した作動時間に基づいて普通電動役物ソレノイド２１２を駆動する。これにより、実際に可変始動入賞装置２８の作動（開放）が行われる。さらに、主制御ＣＰＵ７２は、普通電動役物ソレノイド２１２の駆動開始とともにＲＡＭ７６のフラグ領域に普通電動役物作動フラグの値（０１Ｈ）をセットする。また主制御ＣＰＵ７２は、次のジャンプ先として閉鎖処理（ステップＳ５４０１）を設定する。
【０２０３】
ステップＳ５４０１：閉鎖処理では、主制御ＣＰＵ７２は作動時間の経過をタイマカウンタ値に基づいてカウントする。そして、タイマカウンタの値が０以下になれば、主制御ＣＰＵ７２は普通電動役物ソレノイド２１２を非作動状態（ＯＦＦ）に切り替える。そして主制御ＣＰＵ７２は、次のジャンプ先として終了処理（ステップＳ５５０１）を設定する。
【０２０４】
ステップＳ５５０１：終了処理では、主制御ＣＰＵ７２は可変始動入賞装置２８の作動を終了する際の条件を整える。例えば、主制御ＣＰＵ７２は普通電動役物作動フラグの値（０１Ｈ）をリセットする。そして主制御ＣＰＵ７２は、普通図柄遊技処理の中の実行選択処理（図１３中のステップＳ１００１）でのジャンプ先を普通図柄変動前処理に設定する。以上の手順を終えると、主制御ＣＰＵ７２は可変始動入賞装置管理処理に復帰する。
【０２０５】
図１６は、普通図柄作動条件設定テーブルの構成例を示す図である。この普通図柄作動条件設定テーブルは、非時間短縮状態（通常中）と時間短縮状態（時短中）とで普通図柄の当り確率や変動時間を異なる設定とし、また、当り時の可変始動入賞装置２８の開放パターン（作動時間及び作動回数）を設定するためのものである。
【０２０６】
図１６中の上段に示されているように、本実施形態においては、非時間短縮状態（時間短縮機能の非作動時）で行われる作動抽選に際して、通常の当り確率（例えば１／９９）が適用される。また非時間短縮状態で行われる普通図柄の変動表示については、上記のように普通図柄変動用乱数を用いて設定された変動時間が適用される。
【０２０７】
一方、図１６中の下段に示されているように、時間短縮状態（時間短縮機能の作動時）で行われる作動抽選に際しては、通常に比較して高い当り確率（例えば９８／９９≒１／１）が適用される。これにより、時間短縮状態では非時間短縮状態よりも高い頻度で作動抽選に当選する（作動条件が満たされる）ことから、それだけ高い頻度で可変始動入賞装置２８への入賞が発生しやすくなる。また、時間短縮状態で行われる普通図柄の変動表示については、上記のように予め設定された固定の変動時間（例えば０．６秒）が適用されることになる。ただし本実施形態では、非時間短縮状態又は時間短縮状態のいずれについても、作動時間は共通（例えば６．０秒）に設定されており、また、作動回数（１回）についても共通に設定されている。
【０２０８】
〔可変始動入賞装置管理処理の終了処理〕
図１７は、可変始動入賞装置管理処理中の終了処理（図１５中のステップＳ５５０１）の手順例を示すフローチャートである。この終了処理は、可変始動入賞装置２８の作動を終了する際の条件を整えるためのものである。以下、手順に沿って説明する。
【０２０９】
ステップＳ５５３０：主制御ＣＰＵ７２は、この終了処理の手順が初回の起動（呼び出し）であるか否かを確認する。初回の起動であれば（Ｙｅｓ）、主制御ＣＰＵ７２は次にステップＳ５５３２を実行し、初回の起動でなければ（Ｎｏ）、ステップＳ５５４０を実行する。初回の起動であるか否かの判断は、上述したＲＡＭ７６の終了時間起動フラグにて行う。終了時間起動フラグがセットされていなければ、初回の起動であると判断して、終了時間起動フラグをセットする。終了時間起動フラグがセットされていれば、初回の起動でないと判断する。
【０２１０】
ステップＳ５５３２：主制御ＣＰＵ７２は、ＲＡＭ７６のフラグ領域を参照し、変動時間短縮機能作動フラグの値（０１Ｈ）がセットされているか否かを確認する。この変動時間短縮機能作動フラグは、後述する特別図柄変動前処理（図２０）においてセットされるものである。変動時間短縮機能作動フラグがセットされている場合（Ｙｅｓ）、主制御ＣＰＵ７２は次にステップＳ５５３４を実行する。変動時間短縮機能作動フラグがセットされていない場合（Ｎｏ）、主制御ＣＰＵ７２は次にステップＳ５５３６を実行する。
【０２１１】
ステップＳ５５３４：主制御ＣＰＵ７２は、変動時間短縮機能作動フラグがセットされていれば、すなわち、時短中であれば、普通図柄の終了時間を時短用時間（例えば「１０秒」）に設定する。主制御ＣＰＵ７２は次にステップＳ５５４０を実行する。
【０２１２】
ステップＳ５５３６：主制御ＣＰＵ７２は、変動時間短縮機能作動フラグがセットされていなければ、すなわち、非時短中であれば、普通図柄の終了時間を通常用時間（例えば「４５秒」）に設定する。主制御ＣＰＵ７２は次にステップＳ５５３８を実行する。
【０２１３】
ステップＳ５５３８：主制御ＣＰＵ７２は、入賞有効タイマを設定する。具体的には、主制御ＣＰＵ７２は、普通電動役物の作動（開放及び閉鎖）が終了した後、可変始動入賞装置２８（始動入賞口２８ａ）への入賞を有効とする時間を延長するために、入賞有効タイマを例えば５．０秒程度に設定する。これにより、可変始動入賞装置２８が閉鎖している最中に遊技球が入球し開閉部材２８ｂに挟まれ（球噛みの発生）、入賞有効タイマがセットされている間に、遊技球の自重で開閉部材２８ｂの間を通り抜け可変始動入賞装置８（始動入賞口２８ａ）へ入賞した場合、その入賞が無効にされることはない（例えば、図１１）。
【０２１４】
なお、この処理は、時間短縮機能作動中でない場合（ステップＳ５５３２：Ｎｏ）において実行されるが、終了時間が入賞有効タイマと同程度の時間であった場合は、普通電動役物の作動が終了した直後に時間短縮状態が終了して通常状態になる場合もあるため、時間短縮機能作動中である場合（ステップＳ５５３２：Ｙｅｓ）においてもこの処理を実行してもよい。また、大当り遊技中であるか否かを確認する処理を経て、その確認結果に基づいて入賞有効タイマを設定してもよい。例えば、大当り遊技中（２ラウンド通常図柄による当選後の大当り遊技を省く）である場合は、その後必ず時間短縮状態に移行するなら、入賞有効タイマを設定せず、一方、大当り遊技中でない場合は、入賞有効タイマを設定する、といった処理を加えてもよい。また、始動入賞口有効条件が有効状態にある場合も、入賞有効タイマを設定しないといった処理を加えてもよい。主制御ＣＰＵ７２は次にステップＳ５５４０を実行する。
【０２１５】
ステップＳ５５４０：主制御ＣＰＵ７２は、入賞有効タイマが「０」であるか否かを確認する。入賞有効タイマの値が「０」であれば（Ｙｅｓ）、主制御ＣＰＵ７２は次にステップＳ５５４４を実行する。一方、入賞有効タイマの値が「０」でなければ（Ｎｏ）、主制御ＣＰＵ７２は次にステップＳ５５４２を実行する。
【０２１６】
ステップＳ５５４２：主制御ＣＰＵ７２は、入賞有効タイマのカウントダウンを行う。主制御ＣＰＵ７２は次にステップＳ５５４４を実行する。
【０２１７】
ステップＳ５５４４：主制御ＣＰＵ７２は、普通図柄の終了時間のカウントダウンを行う。
ステップＳ５５４６：主制御ＣＰＵ７２は、普通図柄の終了時間が「０」であるか否かを確認する。普通図柄の終了時間が「０」であれば（Ｙｅｓ）、主制御ＣＰＵ７２は次にステップＳ５５４８を実行する。普通図柄の終了時間が「０」でなければ（Ｎｏ）、主制御ＣＰＵ７２は可変始動入賞装置管理処理（図１５参照）に復帰し、さらに、普通図柄遊技処理（図１３参照）に復帰し、次の割込周期においても実行選択処理（図１３中のステップＳ１００１）からジャンプして可変始動入賞装置管理処理の終了処理（図１３中のステップＳ５５０１）を繰り返し実行する。
【０２１８】
ステップＳ５５４８：主制御ＣＰＵ７２は普通電動役物作動フラグの値（０１Ｈ）をリセットする。また、主制御ＣＰＵ７２は終了時間起動フラグの値をリセットする。
ステップＳ５５５０：これにより、主制御ＣＰＵ７２の制御処理上で可変始動入賞装置２８の作動状態は終了する。また主制御ＣＰＵ７２は終了時間経過コマンドを生成する。終了時間経過コマンドは、上記の演出制御出力処理（図８中のステップＳ２１３）において演出制御装置１２４に出力される。
【０２１９】
ステップＳ５５５２：そして主制御ＣＰＵ７２は、普通図柄遊技処理の中の実行選択処理（図１３中のステップＳ１００１）でのジャンプ先を普通図柄変動前処理に設定する。以上の手順を終えると、主制御ＣＰＵ７２は可変始動入賞装置管理処理（図１５参照）に復帰する。
【０２２０】
以上が普通図柄遊技処理（図８中のステップＳ２０７）を通して行われる作動抽選や可変始動入賞装置２８を作動させるための制御手法の概要である。次に、可変始動入賞装置２８（始動入賞口２８ａ）への入賞に伴う特別図柄記憶処理（図９中のステップＳ１３）及びその入賞の発生を契機として進行する特別図柄遊技処理（図８中のステップＳ２０６）の内容について説明する。
【０２２１】
〔特別図柄記憶処理〕
図１８は、特別図柄記憶処理の手順例を示すフローチャートである。以下、特別図柄記憶処理について、手順例に沿って説明する。
【０２２２】
ステップＳ３０：ここでは先ず、主制御ＣＰＵ７２は特別遊技管理ステータスの値が「００Ｈ」であるか否かを確認する。特別遊技管理ステータスは、特別図柄に対応する遊技の進行状況に応じて別途、主制御ＣＰＵ７２が以下のように設定している。
【０２２３】
〔特別遊技管理ステータス〕
すなわち、主制御ＣＰＵ７２は、特別図柄に対応する遊技の進行状況（１）〜（８）に応じて特別遊技管理ステータスの値（カギ括弧内）を例えば以下のようにセットする。
（１）特別図柄変動待ち状態：「００Ｈ」
（２）特別図柄変動表示中状態：「０１Ｈ」
（３）特別図柄停止図柄表示中状態：「０２Ｈ」
（４）可変入賞装置（特別電動役物）開放待ち状態：「０３Ｈ」
（５）可変入賞装置（特別電動役物）開放状態：「０４Ｈ」
（６）可変入賞装置（特別電動役物）開放後閉鎖有効状態：「０５Ｈ」
（７）可変入賞装置（特別電動役物）閉鎖状態：「０６Ｈ」
（８）可変入賞装置（特別電動役物）作動終了時間中状態：「０７Ｈ」
（９）可変入賞装置（特別電動役物）小当り時作動状態：「０８Ｈ」
【０２２４】
特別遊技管理ステータスの値が「００Ｈ」以外、つまり、現在の遊技の進行状況が特別図柄変動待ち状態（００Ｈ）以外である場合（ステップＳ３０：Ｎｏ）、主制御ＣＰＵ７２はスイッチ入力イベント処理（図９）に復帰する。一方、特別遊技管理ステータスの値が「００Ｈ」である場合（Ｙｅｓ）、主制御ＣＰＵ７２は次のステップＳ３２に進む。
【０２２５】
ステップＳ３２：主制御ＣＰＵ７２は、上記のサンプリング回路７７を通じて乱数発生器７５から大当り決定乱数値を取得する。乱数値の取得は、乱数発生器７５のピンアドレスを指定して行う。主制御ＣＰＵ７２が８ビットのデータバス幅を有する場合、アドレスの指定は上位及び下位で１バイトずつ２回に分けて行われる。主制御ＣＰＵ７２は、指定したアドレスから大当り決定乱数値をリードすると、これを大当り決定乱数として転送先（乱数記憶領域）のアドレスにセーブする。
【０２２６】
ステップＳ３３：次に主制御ＣＰＵ７２は、ＲＡＭ７６の大当り図柄乱数カウンタ領域から大当り図柄乱数値を取得する。この乱数値の取得もまた、大当り図柄乱数カウンタ領域のアドレスを指定して行う。主制御ＣＰＵ７２は、指定したアドレスから大当り図柄乱数値をリードすると、これを大当り図柄乱数として転送先のアドレスにセーブする。
【０２２７】
ステップＳ３４：また主制御ＣＰＵ７２は、ＲＡＭ７６の変動用乱数カウンタ領域から、特別図柄の変動条件に関する乱数値として、例えば変動パターン決定乱数を取得する。この乱数値の取得も同様に、変動用乱数カウンタ領域のアドレスを指定して行われる。そして主制御ＣＰＵ７２は、指定したアドレスから変動パターン決定乱数を取得すると、これを転送先のアドレスにセーブする。
【０２２８】
ステップＳ３６：主制御ＣＰＵ７２は、セーブした大当り決定乱数、大当り図柄乱数及び変動パターン決定乱数をともに特別図柄に対応する乱数記憶領域（この時点で空き状態）に転送し、これら乱数をセットで記憶させる。
【０２２９】
ステップＳ３８：そして主制御ＣＰＵ７２は、特別図柄に関して演出コマンド出力設定処理を実行する。この処理は、例えば始動口入賞音制御コマンドを演出制御装置１２４に対して送信する設定を行うためのものである。
【０２３０】
以上の手順を終えるか、もしくは特別図柄作動記憶が既にあった場合（ステップＳ３０：Ｙｅｓ）、主制御ＣＰＵ７２はスイッチ入力イベント処理（図９）に復帰する。
【０２３１】
〔特別図柄遊技処理〕
次に、割込管理処理（図８）の中で実行される特別図柄遊技処理の詳細について説明する。
図１９は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、可変入賞装置管理処理（ステップＳ５０００）のサブルーチン（プログラムモジュール）群を含む構成である。ここでは先ず、各処理に沿って特別図柄遊技処理の基本的な流れを説明する。
【０２３２】
ステップＳ１０００：実行選択処理において、主制御ＣＰＵ７２は次に実行するべき処理（ステップＳ２０００〜ステップＳ５０００のいずれか）のジャンプ先を「ジャンプテーブル」から選択する。例えば、主制御ＣＰＵ７２は次に実行するべき処理のプログラムアドレスをジャンプ先のアドレスとし、また戻り先のアドレスとして特別図柄遊技処理の末尾をスタックポインタにセットする。
【０２３３】
いずれの処理を次のジャンプ先として選択するかは、これまでに行われた処理の進行状況（特別遊技管理ステータス）によって異なる。例えば、未だ特別図柄が変動表示を開始していない状況であれば（特別遊技管理ステータス：００Ｈ）、主制御ＣＰＵ７２は次のジャンプ先として特別図柄変動前処理（ステップＳ２０００）を選択する。一方、既に特別図柄変動前処理が完了していれば（特別遊技管理ステータス：０１Ｈ）、主制御ＣＰＵ７２は次のジャンプ先として特別図柄変動中処理（ステップＳ３０００）を選択し、特別図柄変動中処理まで完了していれば（特別遊技管理ステータス：０２Ｈ）、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０２３４】
ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
【０２３５】
ステップＳ３０００：特別図柄変動中処理では、主制御ＣＰＵ７２は変動タイマをカウントしつつ、特別図柄表示装置３４の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。
【０２３６】
ステップＳ４０００：特別図柄停止表示中処理では、主制御ＣＰＵ７２は特別図柄表示装置３４の駆動制御を行う。ここでも同様に、７セグメントＬＥＤの各セグメント及びドットに対してＯＮ又はＯＦＦの駆動信号を出力するが、駆動信号のパターンは一定であり、これにより特別図柄の停止表示が行われる。またこの処理において、主制御ＣＰＵ７２は確率変動機能に関して「リミッタ回数」を設定したり、その減算処理を行ったりする。なお、処理の具体的な内容や「リミッタ回数」の意義についてはさらに後述する。
【０２３７】
ステップＳ５０００：可変入賞装置管理処理は、先の特別図柄停止表示中処理において当りの態様（非当選以外の態様）で特別図柄が停止表示された場合に選択される。例えば、特別図柄が大当りの態様で停止表示されると、大当り遊技状態（遊技者にとって有利な特別遊技状態）に移行する契機が発生する。大当り遊技中は、先の実行選択処理（ステップＳ１０００）においてジャンプ先が可変入賞装置管理処理にセットされ、特別図柄の変動表示は行われない。可変入賞装置管理処理においては、大入賞口ソレノイド９０がある程度の時間（例えば最長で６．０秒間又は１個の入賞をカウントするまで）、予め設定された連続作動回数（例えば２回）にわたって励磁され、これにより可変入賞装置３０が決まったパターンで開閉動作する（可変入賞手段）。この間に可変入賞装置３０に対して遊技球を入球（入賞）させることで、遊技者には賞球（例えば１個の入賞に対して６個の賞球払出）を獲得する機会が与えられる（入賞特典付与手段）。なお、このように大当り時に可変入賞装置３０が開閉動作することを「ラウンド」と称し、連続作動回数が２回であれば、これらを「２ラウンド」と総称することがある。ただし、本実施形態では１回あたりの開放時間が比較的短時間（６．０秒）であり、また、１ラウンド内のカウント数が最小（例えば１個）であるため、一般的な１５ラウンド大当り（例えば１ラウンド２９秒開放、カウント数９個）と比較すると、１回の大当り（２ラウンド）で獲得できる賞球数は少なくなっている。
【０２３８】
いずれにしても、主制御ＣＰＵ７２は可変入賞装置管理処理において大入賞口開放パターン（ラウンド数と１ラウンドごとの開放動作の回数、開放時間等）を設定すると、１ラウンド分の可変入賞装置３０の開放動作を終了させるごとにラウンド数カウンタの値を１インクリメントする。ラウンド数カウンタの値は、例えば初期値を０としてＲＡＭ７６のカウント領域に記憶されている。ラウンド数カウンタの値が設定した連続作動回数（この例では２回）に達すると、主制御ＣＰＵ７２はそのラウンド限りで大当り遊技（大役）を終了する。
【０２３９】
そして、大当り遊技（可変入賞装置３０の開放動作）を終了すると、主制御ＣＰＵ７２は遊技状態フラグ（確率変動機能作動フラグ又は時間短縮機能作動フラグ）に基づいて大当り遊技終了後の状態（高確率状態、時間短縮状態）を変化させる。「高確率状態」では確率変動機能が作動し、内部抽選での当選確率が通常よりも高くなる（高確率状態移行手段）。本実施形態では、確率変動機能が非作動の「低確率状態」であっても、内部抽選での当選確率は２分の１程度の高い値（例えば６５５３６分の３２７６８程度）に設定されており、ここから「高確率状態」に移行した場合、当選確率はより高確率（例えば６５５３６分の６５５３５程度）に設定される。
【０２４０】
また「時間短縮状態」では時間短縮機能が作動し、上記のように普通図柄の作動抽選が高確率（例えば９９分の１→９９分の９８）になり、普通図柄の変動時間が短縮して設定（例えば０．６秒程度に固定して設定）される。合わせて特別図柄の変動時間についても、非時間短縮状態より短縮して設定（例えば０．６秒程度に固定して設定）される。なお、「高確率状態」及び「時間短縮状態」については、制御上でいずれか一方だけに移行する場合もあれば、これら両方に合わせて移行する場合もある。また、「低確率状態」又は「高確率状態」、「非時間短縮状態」又は「時間短縮状態」といった内部状態の変化の仕組みについては、特別図柄の当選図柄（当選種類）やパチンコ機１におけるゲームシステムと合わせてさらに後述する。
【０２４１】
〔特別図柄変動前処理〕
図２０は、特別図柄変動前処理の手順例を示すフローチャートである。以下、各手順に沿って説明する。
【０２４２】
ステップＳ２１００：先ず主制御ＣＰＵ７２は、ＲＡＭ７６の乱数記憶領域に特別図柄作動記憶があるか否かを確認する。あるいは、ここで主制御ＣＰＵ７２は作動記憶数カウンタの値を参照し、特別図柄に対応する作動記憶数が０以外（＝１）であるかを確認してもよい。なお特別図柄の作動記憶は、上記のようにスイッチ入力イベント処理において可変始動入賞装置２８（始動入賞口２８ａ）への入賞の発生を契機として発生するものである。このとき、未だ変動を開始するべき特別図柄の作動記憶がないことを確認した場合（Ｎｏ）、主制御ＣＰＵ７２は特別図柄遊技処理（図１９）に復帰する。これに対し、特別図柄の作動記憶があることを確認した場合（Ｙｅｓ）、主制御ＣＰＵ７２は次にステップＳ２３００を実行する。
【０２４３】
ステップＳ２３００：主制御ＣＰＵ７２は、大当り判定処理（内部抽選）を実行する。この処理では、先ず主制御ＣＰＵ７２は、ＲＡＭ７６の乱数記憶領域に記憶されている抽選用乱数（大当り決定乱数、大当り図柄乱数）を読み出す。読み出した乱数は、例えば別の一時記憶領域に保存され、乱数記憶領域からは作動記憶が消去（消費）される。次に主制御ＣＰＵ７２は大当り値の範囲を設定し、この範囲内に読み出した乱数値が含まれるか否かを判断する（内部抽選実行手段）。このとき設定される大当り値の範囲は、低確率状態と高確率状態（確率変動機能作動時）とで異なる。いずれにしても、このとき読み出した乱数値が大当り値の範囲内に含まれていれば、主制御ＣＰＵ７２は大当りフラグ（０１Ｈ）をセットし、次にステップＳ２４００に進む。
【０２４４】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０４を実行する。
【０２４５】
ステップＳ２４０４：主制御ＣＰＵ７２は、はずれ時停止図柄決定処理を実行する。この処理では、主制御ＣＰＵ７２は、特別図柄表示装置３４によるはずれ時の停止図柄番号データをセットする。また主制御ＣＰＵ７２は、演出制御装置１２４に送信するための停止図柄コマンド及び抽選結果コマンド（はずれ時）を生成する。これらコマンドは、演出制御出力処理（図８中のステップＳ２１３）において演出制御装置１２４に送信される。
【０２４６】
なお本実施形態では、特別図柄表示装置３４に７セグメントＬＥＤを用いているため、例えば、はずれ時の停止図柄の表示態様を常に１つのセグメント（中央のバー「−」）の点灯表示だけにしておき、停止図柄番号データを１つの値（例えば６４Ｈ）に固定することができる。この場合、プログラム上で使用する記憶容量を削減し、主制御ＣＰＵ７２の処理負荷を軽減して処理速度を向上することができる。
【０２４７】
ステップＳ２４０６：次に主制御ＣＰＵ７２は、はずれ時変動パターン決定処理を実行する。この処理では、主制御ＣＰＵ７２は特別図柄について、はずれ時の変動パターン番号を決定する。変動パターン番号は、特別図柄の変動表示の種類（パターン）を区別したり、変動表示にかかる変動時間に対応したりするものである。はずれ時の変動時間は、上記の「時間短縮状態」であるか否かによって異なってくるため、この処理において主制御ＣＰＵ７２は、遊技状態フラグをロードし、現在の状態が「時間短縮状態」であるか否かを確認する。「時間短縮状態」であれば、基本的にはずれ時の変動時間は短縮された時間（例えば０．６秒程度）に設定される。「時間短縮状態」でなければ、はずれ時の変動時間は例えば変動パターン決定乱数に基づいて決定される。そして、主制御ＣＰＵ７２は、決定した変動時間（はずれ時）の値を変動タイマにセットするとともに、はずれ時の停止表示時間の値を停止図柄表示タイマにセットする。
【０２４８】
以上のステップＳ２４０４，ステップＳ２４０６は、大当り判定結果がはずれ時（非当選以外の場合）の制御手順であるが、判定結果が大当り（ステップＳ２４００：Ｙｅｓ）の場合、主制御ＣＰＵ７２は以下の手順を実行する。本実施形態では低確率状態でも当選確率が２分の１と高い値であり、低確率状態でも変動時の２回に１回は以下の処理が選択されることになる。
【０２４９】
ステップＳ２４１０：主制御ＣＰＵ７２は、大当り時停止図柄決定処理を実行する（当選種類決定手段）。この処理では、主制御ＣＰＵ７２は大当り図柄乱数に基づき、特別図柄別について今回の当選図柄の種類（大当り時停止図柄番号）を決定する。大当り図柄乱数値と当選図柄の種類との関係は、予め特別図柄判定データテーブルで規定されている。このため主制御ＣＰＵ７２は、大当り時停止図柄決定処理において大当り時停止図柄選択テーブルを参照し、その記憶内容から大当り図柄乱数に基づいて当選図柄の種類を決定することができる。
【０２５０】
ステップＳ２４１２：次に主制御ＣＰＵ７２は、大当り時変動パターン決定処理を実行する。この処理では、主制御ＣＰＵ７２は先のステップＳ２３００で読み出した変動パターン決定乱数に基づいて特別図柄の変動パターン（変動時間と停止表示時間）を決定する。また主制御ＣＰＵ７２は、決定した変動時間の値を変動タイマにセットするとともに、停止表示時間の値を停止図柄表示タイマにセットする。大当り時の変動時間についても、上記の「時間短縮状態」であるか否かによって異なってくる。このため、主制御ＣＰＵ７２は遊技状態フラグをロードし、現在の状態が「時間短縮状態」であるか否かを確認する。そして「時間短縮状態」であれば、基本的に大当り時であっても変動時間は短縮された時間（例えば０．６秒程度）に設定される。「時間短縮状態」でなければ、大当り時の変動中演出を行う時間を確保するため、ある程度の長い変動時間（例えば３０秒〜６０秒程度）に対応する変動パターンが設定される。また、本実施形態では、「非時間短縮状態」のはずれ時であっても、特別図柄の変動中に「はずれリーチ演出」を実行するため、ある程度の長い平同時間に対応する変動パターンが設定される。いずれにしても、主制御ＣＰＵ７２は、決定した変動時間（大当り時）の値を変動タイマにセットするとともに、大当り時の停止表示時間の値を停止図柄表示タイマにセットする。
【０２５１】
ステップＳ２４１３：主制御ＣＰＵ７２は、大当り時その他設定処理を実行する。この処理では、主制御ＣＰＵ７２は先のステップＳ２４１０で決定した当選図柄の種類（大当り時停止図柄番号）がいずれかの確変図柄に該当する場合、例えば遊技状態フラグとして確率変動機能作動フラグの値（０１Ｈ）をＲＡＭ７６のフラグ領域にセットし、合わせて回数切りカウンタ値（例えば１００００回）をセットする。また主制御ＣＰＵ７２は、そのとき決定した当選図柄に対応する時間短縮機能作動回数が付加されている場合、遊技状態フラグとして時間短縮機能作動フラグの値（０１Ｈ）をＲＡＭ７６のフラグ領域にセットし、あわせて回数切りカウンタ値（１００回又は１００００回）をセットする。また主制御ＣＰＵ７２は、当選図柄に対応して付加された時間短縮機能作動回数の値に基づき、時間短縮機能作動回数コマンド（回数切りカウンタ数コマンドでもよい）を生成する。ここで生成された時間短縮機能作動回数コマンドは、演出制御出力処理において演出制御装置１２４に送信される。なお、当選図柄の種類や時間短縮機能作動回数の付加については、具体例を挙げてさらに後述する。
【０２５２】
またステップＳ２４１３の処理において、主制御ＣＰＵ７２は大当り時停止図柄番号に基づいて特別図柄表示装置３４による停止図柄（大当り図柄）の表示態様を決定する。合わせて主制御ＣＰＵ７２は、上記の停止図柄コマンド（大当り時）とともに抽選結果コマンド（大当り時）を生成する。これら停止図柄コマンド及び抽選結果コマンドもまた、演出制御出力処理において演出制御装置１２４に送信される。
【０２５３】
ステップＳ２４１４：次に主制御ＣＰＵ７２は、特別図柄変動開始処理を実行する。この処理では、主制御ＣＰＵ７２は変動パターン番号（はずれ時／当り時）に基づいて変動パターンデータを選択し、変動パターンに対応する変動時間の値を変動タイマにセットする。また主制御ＣＰＵ７２は、変動パターンに対応する停止図柄表示時間の値を表示タイマにセットする。合わせて主制御ＣＰＵ７２は、ＲＡＭ７６のフラグ領域に特別図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は特別図柄変動中処理（ステップＳ３０００）を次のジャンプ先に設定し、特別図柄遊技処理に復帰する。
【０２５４】
〔図１９：特別図柄変動中処理，特別図柄停止表示中処理〕
特別図柄変動中処理では、上記のように主制御ＣＰＵ７２は変動タイマの値をレジスタからタイマカウンタにロードし、その後、時間の経過（クロックパルスのカウント数又は割込カウンタの値）に応じてタイマカウンタの値をデクリメントする。そして主制御ＣＰＵ７２は、タイマカウンタの値を参照しつつ、その値が０になるまで上記のように特別図柄の変動表示を制御する。そして、タイマカウンタの値が０になると、主制御ＣＰＵ７２は特別図柄停止表示中処理（ステップＳ４０００）を次のジャンプ先に設定する。
【０２５５】
また特別図柄停止表示中処理では、主制御ＣＰＵ７２は停止図柄決定処理（図２０中のステップＳ２４０４，ステップＳ２４１０）で決定した停止図柄に基づいて特別図柄の停止表示を制御する。また主制御ＣＰＵ７２は、演出制御装置１２４に送信する図柄停止コマンドを生成する。図柄停止コマンドは、上記の演出制御出力処理において演出制御装置１２４に送信される。特別図柄停止表示中処理の中で停止図柄を所定時間にわたり表示させると、主制御ＣＰＵ７２は図柄変動中フラグを消去する。なお、特別図柄停止表示中処理の手順についてはさらに別のフローチャートを用いて後述する。
【０２５６】
〔大当り時の当選図柄〕
次に、先の大当り時停止図柄決定処理（図２０中のステップＳ２４１０）で決定される当選図柄の種類について説明する。本実施形態では大当り時に選択的に決定される当選図柄として、大きく分けて以下の３種類が用意されている。３種類の内訳は、例えば「単発（通常）図柄１」、「確変図柄１」及び「確変図柄２」である。なお、これらは好ましい例示に過ぎず、上記３種類の当選図柄は全てを網羅したものではない。
【０２５７】
図２１は、大当り時停止図柄選択テーブルの構成列を示す図である。主制御ＣＰＵ７２は先の大当り時停止図柄決定処理（図２０中のステップＳ２４１０）において、図２１に示される大当り時停止図柄選択テーブルを参照して当選図柄の種類を決定することができる（当選種類決定手段）。また主制御ＣＰＵ７２は、決定した当選図柄別にその時点での遊技状態（非時間短縮状態、時間短縮状態、低確率状態、高確率状態）に応じて時間短縮機能作動回数を決定することができる。
【０２５８】
図２１に示される大当り時停止図柄選択テーブル中、左端カラムには当選図柄別の振分値が示されており、各振分値「３」，「３２」，「６５」は、それぞれ分母を１００とした場合の割合（選択比率）に相当する。また左から２番目のカラムには、各振分値に対応する「単発（通常）図柄１」、「確変図柄１」及び「確変図柄２」が示されている。すなわち、内部抽選での大当り時には、「単発（通常）図柄１」が選択される割合は１００分の３（＝３％）であり、また、「確変図柄１」が選択される割合は１００分の３２（＝３２％）であり、そして、「確変図柄２」が選択される割合は１００分の６５（＝６５％）となっている。各振分値の大きさは、大当り図柄乱数を用いた当選図柄別の選択比率に相当する。ここでいう「単発（通常）図柄１」は、大当り後において確率変動機能を作動させることとならない当選図柄（非確変図柄）である。このため、本実施形態では全体として確変図柄の選択比率は９７％であり、大当り時は極めて高い比率で「確変図柄」が選択されることになる。
【０２５９】
〔時間短縮機能作動回数（時短回数）〕
次に、当選図柄（当選種類）別及び当選時の状態別に付加される時間短縮機能作動回数の違いについて説明する。本実施形態では、上述した３種類の当選図柄について、その当選時の状態に応じて付加される時間短縮機能作動回数が異なっている。以下、具体的に説明する。
【０２６０】
（１）低確率非時短中
図２１中の左から３番目のカラムに示されているように、特別図柄（内部抽選）に関して「低確率状態」であり、普通図柄（作動抽選）に関して「非時間短縮状態」である場合（確変中でもなく時短中でもない通常時）を想定する。この場合、当選図柄が「単発（通常）図柄１」に該当すると１００回の時間短縮機能作動回数が付加される。なお、「単発（通常）図柄１」に該当した場合、大当り終了後の状態は「低確率状態」となる。
【０２６１】
また、当選図柄が「確変図柄１」又は「確変図柄２」のいずれかに該当すると、それぞれ１００００回の時間短縮機能作動回数が付加される。なお、「確変図柄１」又は「確変図柄２」のいずれに該当した場合であっても、大当り終了後の状態は「高確率状態」となる。
【０２６２】
このように本実施形態では、低確率非時短中から特別図柄に対応する内部抽選で当選（確率２分の１）すると、当選図柄に関わらず、大当り遊技の終了後に「時間短縮状態」となる。したがって、「高確率非時短中」という状態には移行せず、大当り終了後は必ず「時間短縮状態」となる。また、「時間短縮状態（時短中）」で付加される時短回数の違いは、以下のように設定されている。
【０２６３】
〔リミッタ回数の設定〕
先ず本実施形態においては、特別図柄（内部抽選）に関して当選時の内部状態が「低確率状態」であり、そこから「確変図柄１」又は「確変図柄２」のいずれかで当選（初回当選）すると、例えば先の特別図柄停止表示中処理（図１９中のステップＳ４０００）において、上記の「リミッタ回数」が所定の上限回数（例えば１回目を含めて１８回とする）に基づいて設定される（連続回数設定手段）。この「リミッタ回数」は、「高確率状態」での当選時に主制御ＣＰＵ７２が「確変図柄１」又は「確変図柄２」に該当すると連続して決定することができる限度（連続回数）を意味する。そして「リミッタ回数」は、「高確率状態」での当選時に「確変図柄１」又は「確変図柄２」に該当すると、その度ごとに１ずつ減算され、その残り回数が少なくなっていく。ただし、「リミッタ回数」が残り０回に達しない（残りが１回以上ある）間は、主制御ＣＰＵ７２は先の大当り時停止図柄決定処理（図２０中のステップＳ２４１０）において、「高確率状態」での当選時に連続して「確変図柄１」又は「確変図柄３」に該当すると決定することが可能である。そこで先ず、「リミッタ回数」に１回以上の残りがある場合（リミッタ到達前）について説明する。
【０２６４】
（２）リミッタ到達前高確率時短中
例えば、図２１中の右から２番目のカラムに示されているように、特別図柄（内部抽選）に関して「高確率状態」であり、かつ、普通図柄（作動抽選）に関して「時間短縮状態」である場合を想定する。すなわち、上記（１）の低確率非時短中に「確変図柄１」又は「確変図柄２」に該当した場合、大当り終了後は高確率時短中の状態となる。そしてこの場合でも、当選図柄に関わらず時間短縮機能作動回数が付加される。詳細には、当選図柄が「単発（通常）図柄１」に該当した場合、１００回の時間短縮機能作動回数が付加される。また、当選図柄が「確変図柄１」又は「確変図柄２」のいずれかに該当すると、いずれの場合も１００００回の時間短縮機能作動回数が付加される。この場合、「高確率状態」で「確変図柄１」又は「確変図柄２」に連続当選しているため、上記のように「リミッタ回数」は１減算される。また「確変図柄１」又は「確変図柄２」のいずれに該当しても、大当り終了後の状態は「高確率状態」となり、合わせて「時間短縮状態」となる。一方、「単発（通常）図柄１」に該当した場合、大当り終了後の状態は特別図柄（内部抽選）に関して「低確率状態」に復帰するが、普通図柄（作動抽選）に関して「時間短縮状態」は維持され、以下の「（３）低確率時短中」となる。
【０２６５】
（３）低確率時短中
例えば、図２１中の右から２番目のカラムに示されているように、特別図柄（内部抽選）に関して「低確率状態」であり、かつ、普通図柄（作動抽選）に関して「時間短縮状態」である場合を想定する。上記（１）の低確率非時短中に「単発図柄１」に該当するか、又は上記（２）のリミッタ到達前高確率時短中に「単発（通常）図柄１」に該当した場合、低確率時短中の状態となる。そしてこの場合も同様に、３種類あるいずれの当選図柄についても、必ず時間短縮機能作動回数が付加される。詳細には、当選図柄が「単発（通常）図柄１」に該当した場合、１００回の時間短縮機能作動回数が付加される。また、当選図柄が「確変図柄１」又は「確変図柄２」のいずれかに該当すると、いずれの場合も１００００回の時間短縮機能作動回数が付加される。この場合、「低確率状態」から「確変図柄１」又は「確変図柄３」に初当選していることになるため、「リミッタ回数」は再設定（残り１８回に設定）される。また「確変図柄１」又は「確変図柄２」のいずれに該当しても、大当り終了後の状態は「高確率状態」となり、合わせて「時間短縮状態」となるため、結果的に上記（２）のリミッタ到達前高確率時短中が再開されることになる。一方、「単発（通常）図柄１」に該当した場合、大当り終了後の状態が特別図柄（内部抽選）に関して「低確率状態」に復帰するが、普通図柄（作動抽選）に関して「時間短縮状態」は維持される。
【０２６６】
〔リミッタ到達時〕
「高確率状態」で連続して「確変図柄１」又は「確変図柄２」のいずれかに当選し（選択比率９７％）、その度ごとに「リミッタ回数」が減算された結果、上記の「リミッタ回数」が残り０回に到達すると、「高確率状態」での当選時に主制御ＣＰＵ７２は「確変図柄１」又は「確変図柄２」に該当すると決定することができなくなる。具体的には、大当り図柄乱数が「確変図柄１」又は「確変図柄２」のいずれかに対応していたとしても、最終的な当選図柄は「単発図柄１」又は「単発図柄２」のいずれかへ強制的に変更される（当選種類規制手段）。
【０２６７】
（４）リミッタ到達時高確率時短中
当選図柄の強制変更については、図２１中の右端カラムに示されている。すなわち、「高確率状態」かつ「時間短縮状態」で「リミッタ回数」の残りが０回に達すると、テーブル上で「確変図柄１」（選択比率３２％）に該当した場合であっても、最終的な当選図柄は「単発図柄１」に強制される。あるいは、テーブル上で「確変図柄２」（選択比率６５％）に該当した場合であっても、最終的な当選図柄は「単発図柄２」に強制されることになる。このような当選図柄の強制（規制）が行われる結果、「リミッタ回数」の残りが０回に達した後の「高確率状態」は継続されなくなり、大当り終了後に一度は「低確率状態」に強制的に復帰されることになる。さらに、当選図柄として「単発（通常）図柄１」が普通に選択された場合と、強制的に「単発図柄１」が選択された場合（合成選択比率３５％）については、いずれも１００回の時間短縮機能作動回数が付加されるが、強制的に「単発図柄２」が選択された場合（選択比率６５％）は時間短縮機能作動回数が付加されない（０回＝時短なし）。これはつまり、「リミッタ回数」が残り０回に到達すると、特別図柄（内部抽選）に関して「低確率状態」に必ず復帰するが、そのとき「時間短縮状態」から「非時間短縮状態」にも復帰する割合が全体の６５％あり、残り３５％の割合で「時間短縮状態」が維持されることを意味する。
【０２６８】
以上のように本実施形態では、当選時の状態別、リミッタ残数別（到達前・到達時）によって付加される時間短縮機能作動回数が異なっていることが分かる。特に本実施形態では、「（４）リミッタ到達時高確率時短中」において、強制的に「単発図柄２」が選択された場合にのみ「非時間短縮状態」となり、それ以外の状態では常に「時間短縮状態」となることが分かる。
【０２６９】
〔特別図柄停止表示中処理〕
次に、図２２は、特別図柄停止表示中処理（図１９中のステップＳ３０００）の手順例を示すフローチャートである。以下に、特別図柄停止表示中処理の具体的な手順と合わせて、上記の「リミッタ回数」の設定や減算処理を行う手法について説明する。
【０２７０】
ステップＳ４１００：主制御ＣＰＵ７２は、停止図柄表示タイマの値を減算（例えば割込周期分だけデクリメント）する。
【０２７１】
ステップＳ４２００：そして主制御ＣＰＵ７２は、今回減算した停止図柄表示タイマの値に基づき、停止表示時間が終了したか否かを判断する。具体的には、停止図柄表示タイマの値が０以下でなければ、主制御ＣＰＵ７２は未だ停止表示時間が終了していないと判断する（Ｎｏ）。この場合、主制御ＣＰＵ７２は特別図柄遊技処理に復帰し、次の割込周期においても実行選択処理（図１９中のステップＳ１０００）からジャンプして特別図柄停止表示中処理を繰り返し実行する。
【０２７２】
これに対し、停止図柄表示タイマの値が０以下であれば、主制御ＣＰＵ７２は停止表示時間が終了したと判断する（Ｙｅｓ）。この場合、主制御ＣＰＵ７２は次にステップＳ４２５０を実行する。
【０２７３】
ステップＳ４２５０：主制御ＣＰＵ７２は、図柄停止コマンドを生成する。図柄停止コマンドは、上記の演出制御出力処理において演出制御装置１２４に送信される。また主制御ＣＰＵ７２は、ここで図柄変動中フラグを消去する。
【０２７４】
ステップＳ４３００：ここで主制御ＣＰＵ７２は、大当りフラグの値（０１Ｈ）がセットされているか否かを確認する。大当りフラグの値（０１Ｈ）がセットされている場合（Ｙｅｓ）、主制御ＣＰＵ７２は次にステップＳ４３１０を実行する。
【０２７５】
ステップＳ４３１０：主制御ＣＰＵ７２は、今回の当選図柄が確変図柄であるか否かを確認する。この確認は、大当り時停止図柄番号に基づいて行うことができる。すなわち、今回の大当り時停止図柄番号が上記の「確変図柄１」〜「確変図柄３」のいずれかに該当する場合（Ｙｅｓ）、主制御ＣＰＵ７２は次にステップＳ４３２０に進む。
【０２７６】
〔確変図柄選択時〕
ステップＳ４３２０：主制御ＣＰＵ７２は、今回の当選時が「高確率状態」であるか否かを確認する。今回の当選時が「低確率状態」である場合（Ｎｏ）、主制御ＣＰＵ７２は次にステップＳ４３３０を実行する。
【０２７７】
ステップＳ４３３０：この場合、主制御ＣＰＵ７２は「リミッタ回数」を上限回数（１回目を含めて１８回）に基づいて設定する。具体的には、「リミッタ回数」の値を１７回（リミッタ残数＝１７）に設定し、その値を例えばＲＡＭ７６の残数カウンタ領域にセーブする。なお、ここで「リミッタ回数」を１７回に設定するのは、上記のように上限回数が１回目の当選を含めて１８回としているため、全体を通して残りが１７回となるからである。
【０２７８】
以上は、今回の当選時が「低確率状態」である場合の手順例であるが、今回の当選時が「高確率状態」であった場合（ステップＳ４３２０：Ｙｅｓ）、主制御ＣＰＵ７２は以下の手順を実行する。
【０２７９】
ステップＳ４３４０：この場合、主制御ＣＰＵ７２は「リミッタ回数」を減算（−１）し、その減算後の値を残数カウンタ領域にセーブ（更新）する。例えば、今回の当選が「確変図柄１」又は「確変図柄２」の２連続目であった場合、既に１回目の当選時に「リミッタ回数」が１７回に設定されているので、主制御ＣＰＵ７２は２回目で「リミッタ回数」を１つ減算し、その残りを１６回として「リミッタ回数」を更新する。あるいは、今回の当選が「確変図柄１」又は「確変図柄２」の３連続目であった場合、２回目で１６回に減算された「リミッタ回数」をさらに３回目で１つ減算し、その残りを１５回として「リミッタ回数」を更新する。これにより、「高確率状態」の大当り時に「確変図柄１」又は「確変図柄２」のいずれかに連続して該当すると、その度ごとに「リミッタ回数」の残りが減少していくことになる（連続回数減算手段）。
【０２８０】
この後、当選の度ごとに１８回目まで連続して「確変図柄１」又は「確変図柄２」に該当した場合、１７回目で残り１回に減算された「リミッタ回数」をさらに１８回目で１つ減算すると、その残りは０回に到達する。この場合、主制御ＣＰＵ７２が次回の当選時に先の大当り時停止図柄決定処理（図２０中のステップＳ２４１０）を実行すると、図２１のテーブルを用いた当選図柄の決定に際して「リミッタ回数」が残り０回に達しているため、上記のように「確変図柄１」又は「確変図柄２」は「単発図柄１」又は「単発図柄２」に強制されることになる。
【０２８１】
〔単発（通常）図柄選択時〕
これに対し、先のステップＳ４３１０で今回の大当り時停止図柄番号が上記の「単発（通常）図柄１」に該当するか、もしくは強制的に決定された「単発図柄１」のいずれかに該当する場合（Ｎｏ）、主制御ＣＰＵ７２は次にステップＳ４３４５に進む。
【０２８２】
ステップＳ４３４５：この場合、主制御ＣＰＵ７２は「リミッタ回数」の値を０回にクリア（リミッタ残数＝０）する。なお主制御ＣＰＵ７２は、例えば先の大当り時停止図柄決定処理（図２０中のステップＳ２４１０）において、今回の当選図柄として「単発図柄１」を選択した場合、そこで「リミッタ回数」の値をクリアすることとしてもよい。
【０２８３】
ステップＳ４３４６：いずれにしても、以上の手順を実行すると、次に主制御ＣＰＵ７２は、現在の「リミッタ回数」に基づいてリミッタ残数コマンドを生成する。ここで生成したリミッタ残数コマンドは、演出制御出力処理（図８中のステップＳ２１３）で演出制御装置１２４に出力される。
【０２８４】
ステップＳ４３５０：次に主制御ＣＰＵ７２は、ジャンプテーブルのジャンプ先を「可変入賞装置管理処理」に設定する。
【０２８５】
ステップＳ４４００：そして主制御ＣＰＵ７２は、制御上の内部状態フラグとして「大役開始（大当り遊技中）」をセットする。また合わせて主制御ＣＰＵ７２は、大当り中を表す状態コマンドを生成する。大当り中を表す状態コマンドは、上記の演出制御出力処理において演出制御装置１２４に送信される。
大当り時に以上の手順を終えると、主制御ＣＰＵ７２は特別図柄遊技処理に復帰する。
【０２８６】
〔非当選時〕
これに対し、大当り時以外の場合は以下の手順が実行される。
すなわち主制御ＣＰＵ７２は、ステップＳ４３００において大当りフラグの値（０１Ｈ）がセットされていないと判断した場合（Ｎｏ）、次にステップＳ４６００を実行する。
【０２８７】
ステップＳ４６００：主制御ＣＰＵ７２は、ジャンプテーブルのジャンプ先アドレスとして特別図柄変動前処理のアドレスをセットする。
【０２８８】
ステップ４６１０：次に主制御ＣＰＵ７２は、回数切りカウンタの値をロードする。「回数切りカウンタ」は、「高確率状態」や「時間短縮状態」においてそれぞれのカウンタ値がＲＡＭ７６の確変カウント領域又は時短カウント領域にセットされている。なお、ここでは「回数切り」としているが、「高確率状態」の場合の回数切りカウンタの値は、極端に膨大な値（例えば１００００回以上）に設定されている。また「時間短縮状態」の場合についても、上記のように当選図柄によって１００００回の作動回数が付加される場合もある。このような膨大な値を設定することで、実質的に次回の当選が得られるまで「高確率状態」や「時間短縮状態」が継続することを確率的に保証することができる。なお、「時間短縮状態」の作動回数として１００回が付加された場合、回数切りカウンタの値は１００回に設定されるが、本実施形態では「時間短縮状態」での普通図柄（作動抽選）の当選確率は略１分の１（９７／９８）であるため、１００回でも次回まで「時間短縮状態」が継続することは確率的に保証されている。
【０２８９】
ステップＳ４６２０：主制御ＣＰＵ７２は、ロードしたカウンタ値が０であるか否かを確認する。このとき、既に回数切りカウンタ値が０であれば（Ｙｅｓ）、主制御ＣＰＵ７２は特別図柄遊技処理に復帰する。一方、回数切りカウンタ値が０でなかった場合（Ｎｏ）、主制御ＣＰＵ７２は次にステップＳ４６３０を実行する。
【０２９０】
ステップＳ４６３０：主制御ＣＰＵ７２は、回数切りカウンタ値をデクリメント（１減算）する。
ステップＳ４６４０：そして主制御ＣＰＵ７２は、その減算結果が０でないか否かを判断する。減算の結果、回数切りカウンタの値が０でなかった場合（Ｙｅｓ）、主制御ＣＰＵ７２は特別図柄遊技処理に復帰する。これに対し、回数切りカウンタの値が０になった場合（Ｎｏ）、主制御ＣＰＵ７２はステップＳ４６５０に進む。
【０２９１】
ステップＳ４６５０：ここで主制御ＣＰＵ７２は、回数切り機能作動時のフラグを消去する。消去されるのは、確率変動機能作動フラグ又は時間短縮機能作動フラグであるが、上記のように「高確率状態」で回数切りカウンタの値が０になることは実質的にはなく、同様に「時間短縮状態」で回数切りカウンタの値が０になることも実質的にない。ただし理論的には発生し得るので、もしも実際に回数切りカウンタの値が０になった場合、対応する確率変動機能作動フラグ又は時間短縮機能作動フラグは消去される。これにより、特別図柄の停止表示を経て「高確率状態」又は「時間短縮状態」が終了する。以上の手順を終えると、主制御ＣＰＵ７２は特別図柄遊技処理に復帰する。
【０２９２】
〔表示出力管理処理〕
次に図２３は、割込管理処理の中で実行される表示出力管理処理（図８中のステップＳ２１１）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、作動記憶表示設定処理（ステップＳ１２３０）のサブルーチン群を含む構成である。
【０２９３】
このうち特別図柄表示設定処理（ステップＳ１２００）と普通図柄表示設定処理（ステップＳ１２１０）、作動記憶表示設定処理（ステップＳ１２３０）、については、既に述べたように特別図柄表示装置３４、普通図柄表示装置３３及び普通図柄作動記憶ランプ３３ａの各ＬＥＤに対して印加する駆動信号を生成及び出力する処理である。
【０２９４】
また状態表示設定処理（ステップＳ１２２０）については、遊技状態表示装置３８の各ＬＥＤに対して印加する駆動信号を生成及び出力する処理である。この処理では、主制御ＣＰＵ７２は、確率変動機能作動フラグ又は時間短縮機能作動フラグの値に応じてそれぞれ確率変動状態表示ランプ３８ｃ、時短状態表示ランプ３８ｄの点灯を制御する。例えば、パチンコ機１の電源投入時において確率変動機能作動フラグに値（０１Ｈ）がセットされていれば、主制御ＣＰＵ７２は確率変動状態表示ランプ３８ｃに対応するＬＥＤに対して点灯信号を出力する。なお確率変動状態表示ランプ３８ｃは、特別図柄に関する大当り遊技が開始されるまで、もしくは、特別図柄の変動表示が規定回数行われて確率変動機能がＯＦＦ（非作動）にされるまで点灯し続け、その後、非表示に（消灯）切り替えられる。一方、時間短縮機能作動フラグに値（０１Ｈ）がセットされていれば、特に電源投入時であるか否かに関わらず、主制御ＣＰＵ７２は時短状態表示ランプ３８ｄに対応するＬＥＤに対して点灯信号を出力する。
【０２９５】
また、この状態表示設定処理（ステップＳ１２２０）においては、主制御ＣＰＵ７２は、遊技状態表示装置３８の発射位置指定表示ランプ３８ｅに対する制御も行う。例えば、主制御ＣＰＵ７２は、特別遊技の実行中の状態や、時間短縮機能の作動中の状態であれば、発射位置指定表示ランプ３８ｅに対応するＬＥＤに対して点灯信号を出力する。
【０２９６】
〔可変入賞装置管理処理〕
次に、可変入賞装置管理処理の詳細について説明する。
図２４は、可変入賞装置管理処理の構成例を示すフローチャートである。可変入賞装置管理処理は、遊技プロセス選択処理（ステップＳ５１００）、大入賞口開放パターン設定処理（ステップＳ５２００）、大入賞口開閉動作処理（ステップＳ５３００）、大入賞口閉鎖処理（ステップＳ５４００）、終了処理（ステップＳ５５００）のサブルーチン群を含む構成である。
【０２９７】
ステップＳ５１００：遊技プロセス選択処理において、主制御ＣＰＵ７２は次に実行するべき処理（ステップＳ５２００〜ステップＳ５５００のいずれか）のジャンプ先を選択する。すなわち主制御ＣＰＵ７２は、ジャンプテーブルから次に実行するべき処理のプログラムアドレスをジャンプ先のアドレスとして選択し、また戻り先のアドレスとして可変入賞装置管理処理の末尾をスタックポインタにセットする。いずれの処理を次のジャンプ先として選択するかは、これまでに行われた処理の進行状況によって異なる。例えば、未だ可変入賞装置３０の作動（開放動作）を開始していない状況であれば、主制御ＣＰＵ７２は次のジャンプ先として大入賞口開放パターン設定処理（ステップＳ５２００）を選択する。一方、既に大入賞口開放パターン設定処理が完了していれば、主制御ＣＰＵ７２は次のジャンプ先として大入賞口開閉動作処理（ステップＳ５３００）を選択し、大入賞口開閉動作処理まで完了していれば、次のジャンプ先として大入賞口閉鎖処理（ステップＳ５４００）を選択する。また、設定された連続作動回数（ラウンド数）にわたって大入賞口開閉動作処理及び大入賞口閉鎖処理が繰り返し実行されると、主制御ＣＰＵ７２は次のジャンプ先として終了処理（ステップＳ５５００）を選択する。
【０２９８】
ステップＳ５２００：大入賞口開放パターン設定処理では、主制御ＣＰＵ７２は１ラウンド中の開放時間、閉鎖時間、インターバル及びラウンド数ごとの開放パターンを設定する。なお本実施形態では、１ラウンドの開放時間が最大で例えば「６．０秒」、閉鎖時間は例えば「０．５秒程度」また、ラウンド数は「２ラウンド」に予め固定されている。これにより、開放タイマ、閉鎖タイマ、インターバルタイマ、ラウンド数カウンタにそれぞれ値がセットされることになる。そして主制御ＣＰＵ７２は次のジャンプ先を大入賞口開閉動作処理に設定する。ただし、上記の開放パターンはあくまで一例であれ、これに限定されるものではない。
【０２９９】
ステップＳ５３００：次に大入賞口開閉動作処理では、主制御ＣＰＵ７２は可変入賞装置３０の開閉動作（開放動作）を制御する。具体的には、主制御ＣＰＵ７２は大入賞口ソレノイド９０に対して印加する駆動信号を出力する。これにより、可変入賞装置３０の開閉部材３０ａが閉止位置から開放位置に変位し、大入賞口３０ｂへの入球（入賞）の発生が可能な状態になる。また主制御ＣＰＵ７２は、開放タイマのカウントダウンを実行し、開放タイマの値が０以下になっていなければ、次に入賞球数のカウントを実行する。開放時間が終了するか、もしくはカウント数が所定数（例えば１個）に達したことを確認すると、主制御ＣＰＵ７２は大入賞口を閉止させる。具体的には、大入賞口ソレノイド９０に印加していた駆動信号の出力を停止する。これにより、可変入賞装置３０が開放状態から閉止状態に復帰する。
【０３００】
この後、主制御ＣＰＵ７２は閉鎖タイマのカウントダウンを実行し、閉鎖タイマの値が０以下になると、続いてインターバルタイマのカウントダウンを実行する（１ラウンド目のみ）。そして、インターバルタイマの値が０以下になると、次のジャンプ先を大入賞口閉鎖処理に設定する。２ラウンド目では、主制御ＣＰＵ７２は閉鎖タイマの値が０以下になると、次のジャンプ先を大入賞口閉鎖処理に設定する。
【０３０１】
ステップＳ５４００：大入賞口閉鎖処理では、主制御ＣＰＵ７２は可変入賞装置３０の作動を継続したり、その作動を終了したりする。すなわち、現在の遊技状態が大当り中（大役中）であれば、主制御ＣＰＵ７２は上記のラウンド数カウンタをインクリメントする。これにより、例えば１ラウンド目が終了し、２ラウンド目に向かう段階でラウンド数カウンタの値が増加する。そして主制御ＣＰＵ７２は、次のジャンプ先を大入賞口開閉動作処理に設定すると、入賞球数カウンタをリセットする。
【０３０２】
主制御ＣＰＵ７２が次に可変入賞装置管理処理を実行すると、遊技プロセス選択処理（ステップＳ５１００）で主制御ＣＰＵ７２は次のジャンプ先である大入賞口開閉動作処理を実行する。そして、大入賞口開閉動作処理の実行後に主制御ＣＰＵ７２が再び大入賞口閉鎖処理を実行することで、実際のラウンド数が設定した実行ラウンド数（２回）に達するまでの間、可変入賞装置３０の開閉動作が連続して実行される。そして、実際のラウンド数が設定した実行ラウンド数に達した場合、主制御ＣＰＵ７２はラウンド数カウンタをリセット（＝０）すると、次のジャンプ先を終了処理に設定する。また主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０３０３】
〔終了処理〕
図２５は、終了処理の手順例を示すフローチャートである。この終了処理は、可変入賞装置３０の作動を終了する際の条件を整えるためのものである。以下、手順に沿って説明する。
【０３０４】
ステップＳ５５０２：主制御ＣＰＵ７２は、大当りフラグをリセット（００Ｈ）する。これにより、主制御ＣＰＵ７２の制御処理上で大当り遊技状態は終了する。
ステップＳ５５０４：また主制御ＣＰＵ７２は、ここで内部的に大役中の状態を終了する。
【０３０５】
ステップＳ５５１０：次に主制御ＣＰＵ７２は、ＲＡＭ７６のフラグ領域を参照し、上記の時間短縮機能作動フラグの値（０１Ｈ）がセットされているか否かを確認する。この時間短縮機能作動フラグは、先の特別図柄変動前処理（図２０）においてセットされるものである。時間短縮機能作動フラグがセットされていれば（Ｙｅｓ）、主制御ＣＰＵ７２は次にステップＳ５５１２を実行する。
【０３０６】
ステップＳ５５１２：主制御ＣＰＵ７２は、今回の当選図柄に対応する時間短縮機能作動回数（１００回又は１００００回）に基づき、時間短縮機能に対応する回数切りカウンタの値を設定する。設定した回数切りカウンタの値は、上述したＲＡＭ７６の時短カウント領域に格納される。なお、時間短縮機能作動フラグがセットされていなければ（ステップＳ５５１０：Ｎｏ）、主制御ＣＰＵ７２はステップＳ５５１２及び次のステップＳ５５１４を実行しない。この場合、大当り終了後に「時間短縮状態」には移行しない（時間短縮機能が非作動）。
【０３０７】
ステップＳ５５１４：主制御ＣＰＵ７２は、ここで状態指定コマンドを生成する。具体的には、大当りフラグのリセットに伴い、遊技状態として「大役終了」を表す状態指定コマンドを生成する。また時間短縮機能作動回数に基づいて回数切りカウンタの値を設定した場合、内部状態として「時間短縮状態」を表す状態指定コマンドを生成する。これら状態指定コマンドは、演出制御出力処理（図８中のステップＳ２１３）において演出制御装置１２４に送信される。
【０３０８】
ステップＳ５５１６：大当り時に以上の手順を経ると、主制御ＣＰＵ７２は次のジャンプ先を大入賞口開放パターン設定処理に設定する。
【０３０９】
ステップＳ５５１８：そして主制御ＣＰＵ７２は、特別図柄遊技処理の中の実行選択処理（図１９中のステップＳ１０００）でのジャンプ先を特別図柄変動前処理に設定する。以上の手順を終えると、主制御ＣＰＵ７２は可変入賞装置管理処理に復帰する。
【０３１０】
以上が主制御装置７０（主制御ＣＰＵ７２）による各種の制御処理の内容である。主制御ＣＰＵ７２がこれら処理を実行することで、パチンコ機１による遊技が具体的に進行する。
【０３１１】
図２６及び図２７は、パチンコ機１による遊技を通じて発生する各種状態の変化を示すタイミングチャートである。図２６は、通常の遊技を行った場合の各種状態の変化を示しており、図２７は、不正な遊技を行った場合の各種状態の変化を示している。ここで、不正な遊技とは、普通図柄に関する作動抽選に当選していないにもかかわらず、可変始動入賞装置２８を不正に開放して遊技球を可変始動入賞装置２８（始動入賞口２８ａ）に入賞させた場合を想定する。
【０３１２】
〔時刻ｔｎ１まで〕
図２６中（Ａ）：例えば、時刻ｔｎ１以前における遊技状態が通常状態である場合を想定する。すなわち、特別図柄や普通図柄に関する確率変動機能が作動しておらず、特別図柄や普通図柄に関する変動時間短縮機能が作動していない場合を想定する。したがって、遊技領域８ａの左側領域を流下させて（「左打ち」をして）遊技球を先ずは中始動ゲート２０を通過させる状況にある場合を想定する。
【０３１３】
〔時刻ｔｎ１〕
図２６中（Ｂ）：例えば、時刻ｔｎ１において、「左打ち」をして遊技領域８ａの左側領域を流下してきた遊技球が中始動ゲート２０を通過し、中ゲートスイッチ７８によりその検出信号が出力される。また、この中ゲートスイッチ７８による遊技球の検出に伴い、普通図柄に関する作動抽選が行われ、その結果当選した場合を想定する。なお、その際に普通図柄の変動パターン（変動時間）が選択され、そして、その変動パターンと可変始動入賞装置２８の作動条件が設定される。具体的には、普通図柄が例えば６０秒間（図中Ｔｎ１）にわたって変動表示し、その変動表示後（確定停止表示終了後）に可変始動入賞装置２８が６秒間（図中Ｔｎ２）作動（開放）し、その後４５秒間（図中Ｔｎ４）にわたって終了処理を行うといったことが設定される。
図２６中（Ｃ）：上記で選択された普通図柄の変動パターン通り（変動時間６０秒間（図中Ｔｎ１））に変動表示が開始される。この普通図柄の変動表示に連動させて、液晶表示器４２においてリーチ演出などが実行される。
図２６中（Ａ）：なお、遊技状態は「通常状態」のままであり、遊技状態は可変入賞装置３０の作動が終了した後に「通常状態」か「時間短縮状態」に移行するためしばらく変化することはない。
【０３１４】
〔時刻ｔｎ２〕
図２６中（Ｃ）：普通図柄の変動表示が設定された６０秒（図中Ｔｎ１）で終了した後に、当選の結果を表す態様で確定停止表示が行われ、時刻ｔｎ２に確定停止表示が終了される。
図２６中（Ｄ）：普通図柄の確定停止表示後、作動条件に基づいて可変始動入賞装置２８の作動が６秒間（図中Ｔｎ２）にわたって行われる。具体的には、普通電動役物ソレノイド８８が６秒間（図中Ｔｎ２）作動し、可変始動入賞装置２８が開放状態にされる。
図２６中（Ｇ）：可変始動入賞装置２８の作動の開始に伴い、始動入賞口有効条件が無効状態から有効状態に変化する。したがって、時刻ｔｎ２から有効状態が終了するまで、始動入賞口２８ａに遊技球が入球した場合、始動入賞口２８ａでの入賞が確認され、入賞に伴う賞球が払出されることとなり、特別図柄に関する作動記憶処理が可能であれば記憶処理が行われる。
【０３１５】
〔時刻ｔｎ３〕
図２６中（Ｈ）：例えば、時刻ｔｎ３において、遊技領域８ａの右側領域を流下させた（「右打ち」をした）遊技球が、時刻ｔｎ２から開放作動している可変始動入賞装置２８の始動入賞口２８ａに入球し、始動入賞口スイッチ８２によりその検出信号が出力される。ここで、始動入賞口有効条件が有効状態にあることから、始動入賞口２８ａでの入賞が確認される。また、この始動入賞口２８ａでの入賞の確認に伴い、特別図柄に関する内部抽選が行われ、その結果当選した場合を想定する。なお、その際に特別図柄の変動パターン（変動時間）や、当選図柄の種類が選択され、そして、その変動パターンと可変入賞装置３０の作動条件が設定される。具体的には、当選図柄として確変図柄１が選択され、特別図柄が３５秒間（図中Ｔｎ３）にわたって変動表示し、その変動表示後（確変図柄１での確定停止表示終了後）に可変入賞装置３０が計５秒間（２秒間開放、１秒間インターバル（閉鎖）、２秒間開放）（図中Ｔｎ６）作動し、その後０．５秒間（図中Ｔｎ７）に終了処理を行うといったことが設定される。また、当選図柄の種類に基づいて、特別図柄や普通図柄に関する確率変動作動機能フラグや変動時間短縮作動機能フラグもセットされる。具体的には、当選図柄が確変図柄１であるため、特別図柄及び普通図柄に関する確率変動作動機能フラグ及び変動時間短縮作動機能フラグに値（０１Ｈ）がセットされる。
図２６中（Ｉ）：上記のように、始動入賞口有効条件が有効状態にある際に、始動入賞口スイッチ８２により遊技球の入賞検出信号が出力されると、始動入賞口２８での入賞が確認され、その入賞に伴う賞球払出処理が実行される。例えば、１５個の賞球が払い出される。なお、無効状態にある際に、始動入賞口スイッチ８２により遊技球の入賞検出信号が出力された場合、入球したことが確認されるだけであり、入賞したことにはならず、その検出信号は無効とされ、賞球払出処理も実行されることはない。
図２６中（Ｊ）：上記で選択された特別図柄の変動パターン通りに変動表示が開始される。この特別図柄の変動表示に連動させて、液晶表示器４２においてバトルリーチ演出（じゃんけんバトル演出）などが実行される。
【０３１６】
〔時刻ｔｎ４〕
図２６中（Ｈ）：例えば、時刻ｔｎ４において、「右打ち」をして遊技領域８ａの右側領域を流下してきた遊技球が、時刻ｔｎ２から開放作動している可変始動入賞装置２８の始動入賞口２８ａに入球し、始動入賞口スイッチ８２によりその検出信号が出力される。また、始動入賞口有効条件が有効状態にあることから、始動入賞口２８ａでの入賞が確認されるが、特別図柄に関する内部抽選について、特別図柄が変動表示中又は可変入賞装置３０が作動中である場合は、その内部抽選が実行されることはない、また、抽選要素の記憶も行われない。したがって、時刻ｔｎ３に始動入賞口２８へ入賞したことによる特別図柄の変動表示が実行中であるため、この時刻ｔｎ４における入賞（検出）に対して特別図柄に関する内部抽選（それに伴う変動表示（図２６中（Ｊ））は実行されることはない。
図２６中（Ｉ）：上記のように、始動入賞口有効条件が有効状態にある際に、始動入賞口２８ａへ入賞したことが確認されると、賞球払出処理が実行され、例えば、１５個の賞球が払い出される。
【０３１７】
〔時刻ｔｎ５〕
図２６中（Ｍ）：例えば、時刻ｔｎ５において、「右打ち」をして遊技領域８ａの右側領域を流下してきた遊技球が右始動ゲート２１を通過し、右ゲートスイッチ８０によりその検出信号が出力される。しかしながら、普通図柄に関する作動抽選について、普通図柄が変動表示中又は可変始動入賞装置２８が作動中である場合は、直ぐに作動抽選が実行されることはなく、その抽選要素の記憶（作動記憶）が行われ、普通図柄の変動表示が終了した後（はずれ時）や可変始動入賞装置２８の作動が終了した後（当り時）、作動記憶に基づいて普通図柄の作動抽選が行われ変動表示が開始される（図中ｔｎ１２）。
【０３１８】
〔時刻ｔｎ６〕
図２６中（Ｄ）：時刻ｔｎ６において、時刻ｔｎ２から６秒間（図中Ｔｎ２）にわたって作動していた可変始動入賞装置２８の作動が終了される。具体的には、普通電動役物ソレノイド８８の６秒間（図中Ｔｎ２）の作動が終了し、可変始動入賞装置２８が開放状態から閉鎖状態に変位される。
図２６中（Ｅ）：可変始動入賞装置２８の作動終了後、上記で設定された可変始動入賞装置２８の終了処理が４５秒間（図中Ｔｎ４）にわたって実行される。
図２６中（Ｆ）：可変始動入賞装置２８の終了処理の開始に伴い、時刻ｔｎ８までの５秒間（図中Ｔｎ５）にわたって入賞有効タイマが設定される。
図２６中（Ｇ）：５秒間にわたる入賞有効タイマの設定に伴い、可変始動入賞装置２８が作動していない（閉鎖状態である）にもかかわらず、始動入賞口有効条件が有効状態のまま継続される。
【０３１９】
〔時刻ｔｎ６〜時刻ｔｎ７〕
可変始動入賞装置２８が開放状態から閉鎖状態に変位する際に、可変始動入賞装置２８の入り口で開閉部材２８ｂに遊技球が挟まった（球噛みした）場合を想定する（例えば、図１１（Ｃ））。
【０３２０】
〔時刻ｔｎ７〕
図２６中（Ｈ）：例えば、時刻ｔｎ７において、上記で球噛みしていた遊技球が、可変始動入賞装置２８の始動入賞口２８ａに入球し、始動入賞口スイッチ８２によりその検出信号が出力される。なお、始動入賞口有効条件が有効状態にあることから、始動入賞口２８ａへの入賞が確認される（有効とされる）。
図２６中（Ｉ）：可変始動入賞装置２８が作動していない（閉鎖状態である）にもかかわらず始動入賞口有効条件が有効状態にある際に、始動入賞口２８ａへ入賞したことが確認されると、賞球払出処理が実行され、例えば、１５個の賞球が払い出される。なお、特別図柄に関する内部抽選について、特別図柄が変動表示中又は可変入賞装置３０が作動中である場合は、その内部抽選が実行されることはない、また、抽選要素の記憶も行われない。
【０３２１】
〔時刻ｔｎ８〕
図２６中（Ｆ）：時刻ｔｎ８において、時刻ｔｎ６から５秒間（図中Ｔｎ５）にわたる
入賞有効タイマが０になり（ＯＦＦになり）終了する。
図２６中（Ｇ）：入賞有効タイマがＯＦＦになったことことに伴い、始動入賞口有効条件が有効状態から無効状態に変化する。したがって、時刻ｔｎ８から有効状態になるまで、始動入賞口２８ａに遊技球が入球したとしても、入賞したことにはならず、入賞に伴う賞球が払出されることはなく、特別図柄に関する記憶処理が行われることもなくなる。
【０３２２】
〔時刻ｔｎ９〕
図２６中（Ｊ）：特別図柄の変動表示が設定された３５秒（図中Ｔｎ３）で終了した後に、確変図柄１で確定停止表示が行われ、時刻ｔｎ９に確定停止表示が終了される。
図２６中（Ａ）：特別図柄が大当りの態様で確定停止表示されると、大当り遊技状態（遊技者にとって有利な特別遊技状態）に移行する契機が発生する。
図２６中（Ｋ）：特別図柄の確定停止表示後、作動条件に基づいて可変入賞装置３０の作動が計５秒間（図中Ｔｎ６）にわたって行われる。具体的には、特別電動役物ソレノイド９０が２秒間作動し、１秒間停止し、２秒間作動するといった計５秒間（図中Ｔｎ５）作動し、可変入賞装置３０が作動状態にされる。
図２６中（Ｇ）：遊技状態が特別遊技状態に移行したことに伴い、可変始動入賞装置２８が作動していない（閉鎖状態である）にもかかわらず、始動入賞口有効条件が無効状態から有効状態に変化する。したがって、時刻ｔｎ９から有効状態が終了するまで、始動入賞口２８ａに遊技球が入球した場合、始動入賞口２８ａでの入賞が確認され、その入賞に伴う賞球が払出されることとなり、特別図柄に関する作動記憶処理が可能であれば記憶処理が行われる。
【０３２３】
〔時刻ｔｎ１０〕
図２６中（Ｋ）：時刻ｔｎ１０において、時刻ｔｎ９から計５秒間（図中Ｔｎ６）にわたって作動していた可変入賞装置３０の作動が終了される。具体的には、特別電動役物ソレノイド９０の計５秒間（図中Ｔｎ５）の作動が終了し、可変入賞装置３０が閉鎖状態にされる。
図２６中（Ｌ）：可変入賞装置３０の作動終了後、上記で設定された可変入賞装置３０の終了処理が０．５秒（図中Ｔｎ７）にわたって実行される。
【０３２４】
〔時刻ｔｎ１１〕
図２６中（Ｌ）：時刻ｔｎ１１において、時刻ｔｎ１０から０．５秒間（図中Ｔｎ７）にわたって処理していた可変入賞装置３０の終了処理が終了される。なお、この終了処理において、大当り遊技状態（特別遊技状態）は終了される。そして、大当り遊技が終了した後、当選図柄に基づいて設定された各機能作動フラグ通りに各機能が作動することとなり、遊技状態も「通常状態」又は「時間短縮状態」のいずれかに移行される。今回の場合、当選図柄が確変図柄１であるため、特別図柄に関する確率変動機能及び変動時間短縮機能が作動され、普通図柄に関する確率変動機能及び変動時間短縮機能が作動される。
図２６中（Ａ）：上記のように、大当り遊技が終了したことにより、特別遊技状態は終了される。また、特別図柄や普通図柄に関する確率変動機能や変動時間短縮機能が作動されるため、遊技状態は「時間短縮状態」に移行される。
図２６中（Ｇ）：遊技状態が時間短縮状態に移行したことに伴い、可変始動入賞装置２８が作動していない（閉鎖状態である）にもかかわらず、始動入賞口有効条件が有効状態のまま継続される。
【０３２５】
〔時刻ｔｎ１２〕
図２６中（Ｅ）：時刻ｔｎ１２において、時刻ｔｎ６から４５秒間（図中Ｔｎ４）にわたって処理していた可変始動入賞装置２８の終了処理が終了する。なお、この可変始動入賞装置２８の終了処理の終了に伴い、新たな普通図柄に関する作動抽選が可能とされる。
図２６中（Ｃ）： ここで、時刻ｔｎ５において記憶された作動記憶に基づく普通図柄の作動抽選が行われる。この時点における遊技状態は「時間短縮状態」（図２６中（Ａ））であるため、普通図柄に関する作動抽選の当選確率は高確率（９８／９９）であるため、非常に当選しやすくなっている。なお、その結果当選した場合を想定する。また、その際に普通図柄の変動パターン（変動時間）が選択されるわけだが、普通図柄に関する変動時間は変動時間短縮機能が作動しているため、短縮された時間が選択される。そして、その変動パターンと可変始動入賞装置２８の作動条件が設定される。具体的には、普通図柄が０．６秒間（図中Ｔｎ８）にわたって変動表示し、その変動表示後（確定表示終了後）に可変始動入賞装置２８が６秒間（図中Ｔｎ２）開放し、その後１５秒間（図中Ｔｎ１０）にわたって終了処理を行うといったことが設定される。
【０３２６】
〔時刻ｔｎ１３〕
図２６中（Ｄ）：普通図柄の変動表示が設定された０．６秒（図中Ｔｎ８）で終了し、当選の結果を表す態様で確定停止表示が行われた後、作動条件に基づいて可変始動入賞装置２８の作動が６秒間（図中Ｔｎ２）にわたって行われる。具体的には、普通電動役物ソレノイド８８が６秒間（図中Ｔｎ２）作動し、可変始動入賞装置２８が開放状態にされる。
【０３２７】
〔時刻ｔｎ１４〕
図２６中（Ｈ）：例えば、時刻ｔｎ１４において、「右打ち」をして遊技領域８ａの右側領域を流下してきた遊技球が、時刻ｔｎ１３から開放作動している可変始動入賞装置２８の始動入賞口２８ａに入球し、始動入賞口スイッチ８２によりその検出信号が出力される。また始動入賞口有効条件が有効状態にあることから、始動入賞口２８ａでの入賞が確認され、その入賞の確認に伴い、特別図柄に関する内部抽選が行われ、その結果当選した場合を想定する。なお、その際に特別図柄の変動パターン（変動時間）や、当選図柄の種類が選択され、そして、その変動パターンと可変入賞装置３０の作動条件が設定される。具体的には、当選図柄として確変図柄１が選択され、そして、第１特別図柄が５．０秒間（図中Ｔｎ９）にわたって変動表示し、その変動表示後（確変図柄１での確定停止表示終了後）に可変入賞装置３０が計５秒間（２秒間開放、１秒間インターバル（閉鎖）、２秒間開放）作動し、その後０．５秒間に終了処理を行うといったことが設定される。また、当選図柄の種類に基づいて、特別図柄や普通図柄に関する確率変動作動機能フラグや変動時間短縮作動機能フラグもセットされる。具体的には、当選図柄が確変図柄１であるため、特別図柄及び普通図柄に関する確率変動作動機能フラグ及び変動時間短縮作動機能フラグに値（０１Ｈ）がセットされる。
図２６中（Ｉ）：上記のように、始動入賞口有効条件が有効状態にある際に、始動入賞口２８ａへ入賞したことが確認されると、賞球払出処理が実行され、例えば、１５個の賞球が払い出される。
図２６中（Ｊ）：上記で選択された特別図柄の変動パターン通りに変動表示が開始される。
【０３２８】
〔時刻ｔｎ１４〜時刻ｔｎ１５〕
図２６中（Ｈ）：例えば、「右打ち」をして遊技領域８ａの右側領域を流下してきた遊技球が、時刻ｔｎ１３から開放作動している可変始動入賞装置２８の始動入賞口２８ａに入球し、始動入賞口スイッチ８２によりその検出信号が出力される。また、始動入賞口有効条件が有効状態にあることから、始動入賞口２８ａでの入賞が確認されるが、特別図柄に関する内部抽選について、特別図柄が変動表示中又は可変入賞装置３０が作動中である場合は、その内部抽選が実行されることはない、また、抽選要素の記憶も行われない。したがって、時刻ｔｎ１４に始動入賞口２８へ入賞したことによる特別図柄の変動表示が実行中であるため、入賞（検出）に対して特別図柄に関する内部抽選（それに伴う変動表示（図２６中（Ｊ））は実行されることはない。
図２６中（Ｉ）：上記のように、始動入賞口有効条件が有効状態にある際に、始動入賞口２８ａへ入賞したことが確認されると、賞球払出処理が実行され、例えば、１５個の賞球が払い出される。
図２６中（Ｍ）：また、「右打ち」をして遊技領域８ａの右側領域を流下してきた遊技球が右始動ゲート２１を通過し、右ゲートスイッチ８０によりその検出信号が出力される。しかしながら、普通図柄に関する作動抽選について、普通図柄が変動表示中又は可変始動入賞装置２８が作動中である場合は、直ぐに作動抽選が実行されることはなく、その抽選要素の記憶（作動記憶）が行われ、普通図柄の変動表示が終了した後（はずれ時）や可変始動入賞装置２８の作動が終了した後（当り時）、作動記憶に基づいて普通図柄の作動抽選が行われ変動表示が開始される（図中ｔｎ１９）。
【０３２９】
〔時刻ｔｎ１５〕
図２６中（Ｄ）：時刻ｔｎ１５において、時刻ｔｎ１３から６秒間（図中Ｔｎ２）にわたって作動していた可変始動入賞装置２８の作動が終了される。具体的には、普通電動役物ソレノイド８８の６秒間（図中Ｔｎ２）の作動が終了し、可変始動入賞装置２８が開放状態から閉鎖状態に変位される。
図２６中（Ｅ）：可変始動入賞装置２８の作動終了後、上記で設定された可変始動入賞装置２８の終了処理が１５秒間（図中Ｔｎ１０）にわたって実行される。
図２６中（Ｇ）：遊技状態が時間短縮状態であることに伴い、可変始動入賞装置２８が作動していない（閉鎖状態である）にもかかわらず、始動入賞口有効条件が有効状態のまま継続される。したがって、時刻ｔｎ１５から有効状態が終了するまで、始動入賞口２８ａに遊技球が入賞した場合、入賞に伴う賞球が払出されることとなり、特別図柄に関する作動記憶が可能であれば記憶処理が行われる。
図２６中（Ｆ）：始動入賞口有効条件が有効状態のまま継続されるため、入賞有効タイマが設定されることはない。
【０３３０】
〔時刻ｔｎ１６〕
図２６中（Ｊ）：特別図柄の変動表示が設定された５秒（図中Ｔｎ９）で終了した後に、確変図柄１で確定停止表示が行われ、時刻ｔｎ１６に確定停止表示が終了される。
図２６中（Ａ）：特別図柄が大当りの態様で確定停止表示されると、大当り遊技状態（遊技者にとって有利な特別遊技状態）に移行する契機が発生する。
図２６中（Ｋ）：特別図柄の確定停止表示後、作動条件に基づいて可変入賞装置３０の作動が計５秒間（図中Ｔｎ６）にわたって行われる。具体的には、特別電動役物ソレノイド９０が２秒間作動し、１秒間停止し、２秒間作動するといった計５秒間（図中Ｔｎ５）作動し、可変入賞装置３０が作動状態にされる。
図２６中（Ｇ）：遊技状態が特別遊技状態に移行したことに伴い、可変始動入賞装置２８が作動していない（閉鎖状態である）にもかかわらず、始動入賞口有効条件が有効状態のまま継続される。したがって、時刻ｔｎ１６から有効状態が終了するまで、始動入賞口２８ａに遊技球が入賞した場合、入賞に伴う賞球が払出されることとなり、特別図柄に関する作動記憶が可能であれば記憶処理が行われる。
【０３３１】
〔時刻ｔｎ１６〜時刻ｔｎ１７〕
可変始動入賞装置２８が開放状態から閉鎖状態に変位する際に、可変始動入賞装置２８の入り口で開閉部材２８ｂに遊技球が挟まった（球噛みした）場合を想定する（例えば、図１１（Ｃ））。
【０３３２】
〔時刻ｔｎ１７〕
図２６中（Ｈ）：例えば、時刻ｔｎ１７において、上記で球噛みしていた遊技球が、可変始動入賞装置２８の始動入賞口２８ａに入球し、始動入賞口スイッチ８２によりその検出信号が出力される。また、始動入賞口有効条件が有効状態にあることから、始動入賞口２８ａでの入賞が確認される。
図２６中（Ｉ）：可変始動入賞装置２８が作動していない（閉鎖状態である）にもかかわらず始動入賞口有効条件が有効状態にある際に、始動入賞口２８ａへ入賞したことが確認されると、賞球払出処理が実行され、例えば、１５個の賞球が払い出される。なお、特別図柄に関する内部抽選について、特別図柄が変動表示中又は可変入賞装置３０が作動中である場合は、その内部抽選が実行されることはない、また、抽選要素の記憶も行われない。
【０３３３】
〔時刻ｔｎ１７〜時刻ｔｎ１８〕
図２６中（Ｋ）：時刻ｔｎ１６から計５秒間（図中Ｔｎ６）にわたって作動していた可変入賞装置３０の作動が終了される。具体的には、特別電動役物ソレノイド９０の計５秒間（図中Ｔｎ５）の作動が終了し、可変入賞装置３０が閉鎖状態にされる。
図２６中（Ｌ）：可変入賞装置３０の作動終了後、上記で設定された可変入賞装置３０の終了処理が０．５秒（図中Ｔｎ７）にわたって実行される。
【０３３４】
〔時刻ｔｎ１８〕
図２６中（Ｌ）：時刻ｔｎ１８において、０．５秒間（図中Ｔｎ７）にわたって処理していた可変入賞装置３０の終了処理が終了される。なお、この終了処理において、大当り遊技状態（特別遊技状態）は終了される。そして、大当り遊技が終了した後、当選図柄に基づいて設定された各機能作動フラグ通りに各機能が作動することとなり、遊技状態も「通常状態」又は「時間短縮状態」のいずれかに移行される。今回の場合、当選図柄が確変図柄１であるため、特別図柄に関する確率変動機能及び変動時間短縮機能が作動され、普通図柄に関する確率変動機能及び変動時間短縮機能が作動される。
図２６中（Ａ）：上記のように、大当り遊技が終了したことにより、特別遊技状態は終了される。また、特別図柄や普通図柄に関する確率変動機能や変動時間短縮機能が作動されるため、遊技状態は「時間短縮状態」に移行される。
図２６中（Ｇ）：遊技状態が時間短縮状態に移行したことに伴い、可変始動入賞装置２８が作動していない（閉鎖状態である）にもかかわらず、始動入賞口有効条件が有効状態のまま継続される。
【０３３５】
〔時刻ｔｎ１９〕
図２６中（Ｅ）：時刻ｔｎ１２において、時刻ｔｎ１５から１５秒間（図中Ｔｎ１０）にわたって処理していた可変始動入賞装置２８の終了処理が終了される。なお、この可変始動入賞装置２８の終了処理の終了に伴い、新たな普通図柄に関する作動抽選が可能とされる。
図２６中（Ｃ）： ここで、時刻ｔｎ１４〜時刻ｔｎ１５において記憶された作動記憶に基づく普通図柄の作動抽選が行われる。この時点における遊技状態は「時間短縮状態」（図２６中（Ａ））であるため、普通図柄に関する作動抽選の当選確率は高確率（９８／９９）であるため、非常に当選しやすくなっている。なお、その結果当選した場合を想定する。また、その際に普通図柄の変動パターン（変動時間）が選択されるわけだが、普通図柄に関する変動時間は変動時間短縮機能が作動しているため、短縮された時間が選択される。そして、その変動パターンと可変始動入賞装置２８の作動条件が設定される。具体的には、普通図柄が０．６秒間（図中Ｔｎ８）にわたって変動表示し、その変動表示後（確定表示終了後）に可変始動入賞装置２８が６秒間（図中Ｔｎ２）開放し、その後１５秒間（図中Ｔｎ１０）にわたって終了処理を行うといったことが設定される。
【０３３６】
〔その後〕
図２６中（Ａ）：特別図柄に関する内部抽選において、当選図柄の種類として確変図柄１又は通常図柄１が選択されると、遊技状態は「時間短縮状態」と「特別遊技状態」とが繰り返される。一方、当選図柄の種類として確変図柄２が選択されると、遊技状態は「特別遊技状態（大当り遊技）」終了後に「通常状態」に移行される。
図２６中（Ｇ）：遊技状態が「時間短縮状態」と「特別遊技状態」とが繰り返される間は、可変始動入賞装置２８が作動していない（閉鎖状態である）にもかかわらず、始動入賞口有効条件が有効状態のまま継続される。一方、遊技状態が「特別遊技状態（大当り遊技）」終了後に「通常状態」に移行されると、無効状態にされる。
【０３３７】
以上のように、可変始動入賞装置２８の作動終了後から所定の時間（例えば、５秒間）入賞有効タイマをセットしたり、特別遊技状態中（大当り遊技中）や時間短縮状態中の始動入賞口有効条件を有効状態にしたりしている。したがって、可変始動入賞装置２８が作動していない（閉鎖状態である）にもかかわらず、始動入賞口有効条件が有効状態にある際に、始動入賞口スイッチ８２により遊技球の入賞検出信号が出力されると、その入賞検出信号が有効とされ、始動入賞口２８ａでの入賞が確認され、賞球払出処理が実行される（１５個の賞球が払い出される）。
【０３３８】
上記においては、通常の遊技を行った場合の各種状態の変化を説明したが、次に、不正な遊技を行った場合の各種状態の変化を図２７により具体的に説明する。
【０３３９】
〔時刻ｔｐ１まで〕
図２７中（Ａ）：例えば、時刻ｔｐ１以前における遊技状態が通常状態である場合を想定する。すなわち、特別図柄や普通図柄に関する確率変動機能が作動しておらず、特別図柄や普通図柄に関する変動時間短縮機能が作動していない場合を想定する。したがって、遊技領域８ａの左側領域を流下させて（「左打ち」をして）遊技球を先ずは中始動ゲート２０を通過させる状況にある場合を想定する。
ほかにも、普通図柄に関する変動表示が行われておらず（図２７中（Ｃ））、可変始動入賞装置２８も作動しておらず（図２７中（Ｄ））、可変始動入賞装置２８の終了処理も実行されておらず（図２７中（Ｅ））、入賞有効タイマも設定されていない（図２７中（Ｆ））場合を想定する。
したがって、始動入賞口有効条件（図２７中（Ｇ））は無効状態である場合を想定する。
【０３４０】
〔時刻ｔｐ１〕
図２７中（Ｈ）：例えば、時刻ｔｐ１において、遊技者が可変始動入賞装置２８を違法に開放状態にし（ゴト行為の実行）、遊技球を可変始動入賞装置２８の始動入賞口２８ａに不正に入球させ、始動入賞口スイッチ８２によりその検出信号が出力される。しかしながら、上記のように始動入賞口有効条件（図２７中（Ｇ））は有効状態ではなく無効状態であるため、始動入賞口スイッチ８２により遊技球の入賞検出信号が出力されたとしても、入球したことが確認されるだけであり、始動入賞口２８ａに入賞したことにはならず、その検出信号は無効とされる。したがって、入賞に伴う賞球払出処理は実行されない（図２７中（Ｉ））。さらに、その入賞検出信号も無効とされるため、特別図柄に関する抽選要素の記憶も行われず、内部抽選が実行されることはないため、特別図柄の変動表示が開始されることもない（図２７中（Ｊ））。
【０３４１】
以上のように、可変始動入賞装置２８に関する終了処理で入賞有効タイマがセットされていない場合や、特別遊技状態中（大当り遊技中）や時間短縮状態中ではない場合、始動入賞口有効条件を無効状態にしている。したがって、可変始動入賞装置２８の開閉部材２８ｂが不正に開放されて、始動入賞口スイッチ８２により遊技球の入賞検出信号が出力されたとしても、始動入賞口有効条件が無効状態にあることから、その入賞検出信号は無効とされ、賞球払出処理、特別図柄に関する記憶更新処理、変動表示処理などは実行されることはない。なお、上記説明では可変始動入賞装置２８に関して、入球を検出した場合、入賞として取り扱うか否かを、入球有効条件に基づいて判断していたが、可変入賞装置３０に関しても同様の入球有効条件を設けて、入球を検出した場合、入賞として取り扱うか否かを判断してもよい。
【０３４２】
〔ゲームフロー〕
次に図２８は、本実施形態のパチンコ機１による遊技の流れを一例として示すゲームフロー図である。パチンコ機１による遊技は、遊技者の操作に応じて遊技球を遊技領域８ａ内に打ち込む（発射する）ことで進行する。以下、遊技球の打ち出しを前提とした遊技の流れについて説明する。なお以下の説明では、適宜、図中の参照符号Ｆ１〜Ｆ４７等を括弧付きで示す。また、以下の説明で用いる「入賞」は、「検出された入球が有効なものとして扱われること」を意味している。
【０３４３】
〔Ｆ１〕通常遊技中
例えば、遊技者がパチンコ機１で遊技を開始した当初は、パチンコ機１の内部状態が「通常遊技中」の状態となっているものとする。本実施形態において「通常遊技中」の状態は、普通図柄（作動抽選）に関して「非時間短縮状態」であり、かつ、特別図柄（内部抽選）に関して「低確率状態」であることを意味する。
【０３４４】
〔Ｆ２〕普通図柄非当選
〔Ｆ１〕通常遊技中において、中始動ゲート２０（又は右始動ゲート２１）を遊技中が通過すると、これを契機として上記の作動抽選が実行される。作動抽選の結果が非当選の場合、特に内部的な状態の変化は発生せず、そのまま〔Ｆ１〕通常遊技中が継続される。
【０３４５】
〔Ｆ３〕通常遊技中の普通図柄当り
一方、〔Ｆ１〕通常遊技中に作動抽選で当選すると、ゲームフローが次の段階に進む。
【０３４６】
〔Ｆ４〕可変始動入賞装置作動
この場合、可変始動入賞装置２８が作動し、上記のように始動入賞口２８ａへの入賞の発生が可能な状態となる。なお遊技領域８ａ（盤面）の構成上、普通図柄（作動抽選）の当選後は遊技領域８ａ内の右側部分に向けて遊技球を打ち込むことが遊技を進行させる上で必要となる。
【０３４７】
〔Ｆ５〕入賞なし
可変始動入賞装置２８の作動中（作動時間６．０秒）に始動入賞口２８ａへの入賞が発生しなかった場合、ゲームフローは〔Ｆ１〕通常遊技中に戻る。この場合、ゲームフローはまた作動抽選から再開される。
【０３４８】
〔Ｆ６〕始動口入賞
これに対し、可変始動入賞装置２８の作動中（作動時間６．０秒）に始動入賞口２８ａへの入賞が発生した場合、ゲームフローがさらに次の段階に進む。なお、内部抽選の契機となる入賞は１回だけが有効となるが、可変始動入賞装置２８の作動中に複数回の入賞（平均して７〜８個の入賞）が発生すると、その都度、入賞特典（例えば入賞球１個につき１２個の賞球払出）が遊技者に付与される。
【０３４９】
〔Ｆ７〕特別図柄変動
始動入賞口２８ａへの入賞の発生を契機として特別図柄（内部抽選）が行われる。これにより、特別図柄表示装置３４において特別図柄の変動表示が行われる。また、変動時間が経過すると、内部抽選の結果に応じて特別図柄が停止表示される。
【０３５０】
〔Ｆ８〕非当選
内部抽選で非当選となった場合、特別図柄が非当選の態様で停止表示される。この場合、ゲームフローは〔Ｆ１〕通常遊技中に戻り、また作動抽選から再開される。
【０３５１】
〔Ｆ１１〕単発図柄１当選
内部抽選で当選し、今回の当選図柄が上記の「単発（通常）図柄１」に該当した場合、特別図柄が「単発（通常）図柄１」を表す態様で停止表示される。この場合、ゲームフローはさらに次の段階に進む。
【０３５２】
〔Ｆ１２〕可変入賞装置作動（大役中）
特別図柄（内部抽選）での当選により可変入賞装置３０が開放動作し、その開放回数は２回（２ラウンド）である。「単発（通常）図柄１」に該当した場合、確率変動機能作動フラグはセットされないが、時間短縮機能作動回数は１００回に設定される。このため、可変入賞装置３０の開放動作後のゲームフローは〔Ｆ１〕通常遊技中ではなく、〔Ｆ３１〕時短中の段階に進むことになる。なお、〔Ｆ３１〕時短中からのゲームフローについては後述する。
【０３５３】
〔Ｆ１６〕確変図柄１，２当選
一方、当選図柄が上記の「確変図柄１」に該当した場合、特別図柄は「確変図柄１」を表す態様で停止表示される。あるいは当選図柄が上記の「確変図柄２」に該当した場合、特別図柄は「確変図柄２」を表す態様で停止表示される。いずれの場合についても、ゲームフローは以下の段階に進む。
【０３５４】
〔Ｆ１４〕リミッタ残数セット
〔Ｆ１ａ〕通常中からの当選に該当する場合、内部的に「リミッタ回数」が残り１７回にセットされる（リミッタ残数＝１７）。
【０３５５】
〔Ｆ１８〕可変入賞装置作動（大役中）
特別図柄（内部抽選）での当選により、可変入賞装置３０が２ラウンドの開放動作を行う。また「確変図柄１」又は「確変図柄２」のいずれかに該当した場合、確率変動機能作動フラグがセットされるとともに、合わせて時間短縮機能作動回数が１００００回に設定されるため、可変入賞装置３０の開放動作後のゲームフローは確変中（高確率時短中：Ｆ１９）に進むことになる。
【０３５６】
〔Ｆ１９〕確変中（高確率時短中）
本実施形態において、一度ゲームフローが〔Ｆ１９〕確変中に突入すると、確率上でみて〔Ｆ１９〕確変中が継続しやすくなっている。以下、この点について具体的に説明する。
【０３５７】
〔Ｆ２０〕普通図柄非当選
〔Ｆ１９〕確変中においては、普通図柄（作動抽選）の当選確率が略１分の１（９８／９９）に設定されるため、確率的に非当選になることはほとんどない。ただし、理論上は非当選もあり得るため、もし非当選となった場合は〔Ｆ１９〕確変中でのゲームが続行されることになる。
【０３５８】
〔Ｆ２１〕確変中の普通図柄当り
本実施形態では遊技領域８ａ（盤面）の構成上、〔Ｆ１９〕確変中は遊技領域８ａ内の右側部分に遊技球が打ち込まれること（いわゆる「右打ち」）を想定している。これにより、右始動ゲート２１を遊技球が通過すると、ほとんど１回の普通図柄の変動で当選する。また変動時間は、上記のように短縮（０．６秒）されているため、極めて短時間のうちにゲームフローは次の段階に進む。
【０３５９】
〔Ｆ２２〕可変始動入賞装置作動
普通図柄（作動抽選）当選によって可変始動入賞装置２８が作動し、始動入賞口２８ａへの入賞の発生が可能な状態となる。なお本実施形態では、「時間短縮状態」においても可変始動入賞装置２８の作動時間は一定（６．０秒）である。ただし、遊技領域８ａ内の右側部分に遊技球が打ち込まれていれば、そのままの流れで作動中の可変始動入賞装置２８に向かって遊技球が流下していく。
【０３６０】
〔Ｆ２３〕入賞なし
何らかの原因（球切れ、球詰まり等）で可変始動入賞装置２８の作動中に始動入賞口２８ａへの入賞が発生しなかった場合であっても、ゲームフローは〔Ｆ１９〕確変中が継続されるので、遊技者にとって極端な不利益はない。
【０３６１】
〔Ｆ２４〕始動口入賞
〔Ｆ１９〕確変中の「右打ち」の流れにより、可変始動入賞装置２８の作動中に始動入賞口２８ａへの入賞が発生すると、ゲームフローが次の段階に進む。
【０３６２】
〔Ｆ２５〕特別図柄変動
ここでも同様に、始動入賞口２８ａへの入賞の発生を契機として特別図柄（内部抽選）が行われる。これにより、特別図柄表示装置３４において特別図柄の変動表示が行われる。また、変動時間が経過すると、内部抽選の結果に応じて特別図柄が停止表示される。
【０３６３】
〔Ｆ２６〕非当選
特別図柄（内部抽選）に関して、「高確率状態」の当選確率は略１分の１（６５５３５／６５５３６）であるため、確率的に非当選はほとんど発生しない。ただし、極希に内部抽選で非当選となった場合、特別図柄が非当選の態様で停止表示される。この場合、ゲームフローは〔Ｆ１９〕確変中が継続されるので、遊技者にとって極端な不利益はない。また、時間短縮機能作動回数は最大１００００回に設定されているので、たとえ１回の非当選が発生しても、未だ充分に時短回数が残っている。
【０３６４】
〔Ｆ２７〕確変図柄１，２当選
本実施形態では、上記のように確変比率が全体の９７％であるため、当選時は高い頻度で確変図柄が選択される。そして、〔Ｆ１９〕確変中に当選図柄が「確変図柄１」又は「確変図柄２」のいずれかに該当した場合、上記のように時間短縮機能作動回数として１００００回が付加されるため、この時点で内部的に〔Ｆ１９〕確変中の継続が確定している。
【０３６５】
〔Ｆ２８〕リミッタ残数−１
そしてこの場合、「高確率状態」で連続的に確変当選しているため、内部的に「リミッタ回数」が減算される（リミッタ残数−１）。
【０３６６】
〔Ｆ１８〕可変入賞装置作動（大役中）
同様に、特別図柄（内部抽選）での当選により、可変入賞装置３０が２ラウンドの開放動作を行う。「確変図柄１」又は「確変図柄２」のいずれに該当した場合についても、確率変動機能作動フラグがセットされるとともに、合わせて時間短縮機能作動回数が１００００回に設定されるため、ここで実際に可変入賞装置３０の開放動作後のゲームフローは確変中（高確率時短中：Ｆ１９）が継続される。
【０３６７】
〔確変突入によるチャンスゾーン〕
以上のように、一度ゲームフローが〔Ｆ１９〕確変中に移行すると、〔Ｆ２１〕普通図柄当りから〔Ｆ２２〕可変始動入賞装置作動、〔Ｆ２４〕始動口入賞、〔Ｆ２５〕特別図柄変動、〔Ｆ２７〕確変図柄１，２当選、〔Ｆ２８〕リミッタ残数−１、そして〔Ｆ１８〕可変入賞装置作動を経て〔Ｆ１９〕確変中にループするというゲームフローが最も高い頻度（又は確率、割合、比率）で発生しやすくなる。この場合、１回のループ内で可変始動入賞装置２８が１回ずつ作動し、また、可変入賞装置３０が２ラウンド開放動作を行うため、基本的に遊技領域８ａ内の右側部分に遊技球が打ち込まれていれば、そのままの流れで入賞発生に対する賞球の払い出しが行われる（入賞特典付与手段）。
【０３６８】
なお、上記のループが１回行われるごとに〔Ｆ２８〕リミッタ残数−１で「リミッタ回数」の残りが減少していくが、残り０回に到達するまでの間は、依然として高い頻度で同じループを繰り返すことになる。
【０３６９】
〔Ｆ２９〕確変中の単発図柄１当選
一方、〔Ｆ１９〕確変中に当選図柄が「単発（通常）図柄１」に該当した場合は以下のゲームフローとなる。この場合、確変図柄ではないため「高確率状態」は維持されないが、時間短縮機能作動回数として１００回が付加されるため、この時点で内部的に「時間短縮状態」の継続が約束されている。
【０３７０】
〔Ｆ３０〕可変入賞装置作動（大役中）
同じく特別図柄（内部抽選）での当選により、可変入賞装置３０が２ラウンドの開放動作を行う。なお図示していないが、上記のように主制御ＣＰＵ７２の制御処理上で特別図柄の停止表示後にリミッタ残数は０クリアされている（リミッタリセット）。
【０３７１】
〔Ｆ３１〕時短中
〔Ｆ１９〕確変中から「単発（通常）図柄１」に該当すると、確率変動機能作動フラグはクリアされるが、時間短縮機能作動回数は１００回に設定されるため、可変入賞装置３０の開放動作後のゲームフローは時短中（低確率時短中）に移行する（連続回数再設定契機発生手段）。
【０３７２】
〔Ｆ２０〕普通図柄非当選
〔Ｆ３１〕時短中は、普通図柄（作動抽選）の当選確率が略１分の１（９８／９９）に設定されるため、確率的に非当選になることはほとんどない。ただし、理論上は非当選もあり得るため、もし非当選となった場合は〔Ｆ３１〕時短中でのゲームが続行されることになる。
【０３７３】
〔Ｆ３２〕時短中の普通図柄当り
〔Ｆ３１〕時短中においても、そのまま「右打ち」の流れで右始動ゲート２１を遊技球が通過すると、ほとんど１回の普通図柄の変動で当選する。また変動時間は、上記のように短縮（０．６秒）されているため、極めて短時間のうちにゲームフローは次の段階に進む。
【０３７４】
〔Ｆ３３〕可変始動入賞装置作動
普通図柄（作動抽選）当選によって可変始動入賞装置２８が作動し、始動入賞口２８ａへの入賞の発生が可能な状態となる。
【０３７５】
〔Ｆ３４〕入賞なし
同様に、何らかの原因（球切れ、球詰まり等）で可変始動入賞装置２８の作動中に始動入賞口２８ａへの入賞が発生しなかった場合であっても、ゲームフローは〔Ｆ３１〕時短中が継続されるので、遊技者にとって極端な不利益はない。
【０３７６】
〔Ｆ３５〕始動口入賞
〔Ｆ３１〕時短中の「右打ち」の流れにより、可変始動入賞装置２８の作動中に始動入賞口２８ａへの入賞が発生すると、ゲームフローが次の段階に進む。
【０３７７】
〔Ｆ３６〕特別図柄変動
ここでも同様に、始動入賞口２８ａへの入賞の発生を契機として特別図柄（内部抽選）が行われる。これにより、特別図柄表示装置３４において特別図柄の変動表示が行われる。また、変動時間が経過すると、内部抽選の結果に応じて特別図柄が停止表示される。
【０３７８】
〔Ｆ３７〕非当選
〔Ｆ３１〕時短中の特別図柄（内部抽選）に関して、「低確率状態」の当選確率は２分の１（３２７６８／６５５３６）であるため、確率的に非当選はほとんど発生しない。ただし、極希に内部抽選で非当選となった場合、特別図柄が非当選の態様で停止表示される。この場合、ゲームフローは〔Ｆ３１〕時短中が継続されるので、遊技者にとって極端な不利益はない。また、時間短縮機能作動回数は１００回に設定されているので、たとえ１回の非当選が発生しても、未だ充分に時短回数（９９回）が残っている。
【０３７９】
〔Ｆ３８〕時短中の確変図柄１，２当選
そして、上記のように確変比率が全体の９７％であるため、同じく当選時は高い頻度で確変図柄が選択される。そして、〔Ｆ３１〕時短中から当選図柄が「確変図柄１」又は「確変図柄２」のいずれかに該当した場合、上記のように時間短縮機能作動回数として１００００回が付加される。
【０３８０】
〔Ｆ３９〕リミッタ残数＝１７
そしてこの場合、〔Ｆ３１〕時短中の「低確率状態」から１回目の確変当選に該当することとなるため、内部的にはここで「リミッタ回数」が再設定されることになる（リミッタ残数＝１７）。さらに、この場合は確変当選であるため、以下のゲームフローが進行することになる。
【０３８１】
〔Ｆ１８〕可変入賞装置作動（大役中）
特別図柄（内部抽選）での当選により、可変入賞装置３０が２ラウンドの開放動作を行う。〔Ｆ３１〕時短中から「確変図柄１」又は「確変図柄２」のいずれに該当した場合についても、確率変動機能作動フラグがセットされるとともに、合わせて時間短縮機能作動回数が１００００回に設定されるため、ここで実際に可変入賞装置３０の開放動作後のゲームフローは確変中（高確率時短中：Ｆ１９）が再開（再突入、復帰）されることになる。
【０３８２】
〔確変中の単発当選によるリミッタ上乗せ〕
以上のゲームフローは、先の〔Ｆ１９〕確変中のループを繰り返す中で「リミッタ回数」がある程度まで減算されていたとしても、途中に「単発（通常）図柄１」で当選すると、それによって「リミッタ回数」がリセットされ、「確変図柄１」又は「確変図柄２」の当選によって「リミッタ回数」がまた最大値に再設定されることを意味している（連続回数再設定契機発生手段）。
【０３８３】
これにより、たとえ〔Ｆ１９〕確変中の「リミッタ回数」が残り０回に到達しつつあったとしても、その前に「単発（通常）図柄１」に当選（選択比率３％）すれば、それによって「リミッタ回数」が再設定されるため、それだけ〔Ｆ１９〕確変中のループ回数を延ばしていくことができるというゲーム性が実現されることになる。
【０３８４】
〔Ｆ４０〕時短中の単発図柄１当選
なお、〔Ｆ３１〕時短中に続けて当選図柄が「単発（通常）図柄１」に該当した場合、またそこで時間短縮機能作動回数として１００回が付加される。したがってゲームフローは、〔Ｆ３０〕可変入賞装置作動の後に〔Ｆ３１〕時短中が継続されることになる。
【０３８５】
以上は、〔Ｆ１９〕確変中に「リミッタ回数」が残り０回に到達する前に発生し得るゲームフローである。これに対し、〔Ｆ１９〕確変中に上記のループを繰り返した結果、「リミッタ回数」の残りが０回に到達した場合は以下のゲームフローとなる。
【０３８６】
〔リミッタ到達時のゲームフロー〕
図２９は、「リミッタ回数」が残り０回に到達した場合の遊技の流れを示すゲームフロー図である。例えば、〔Ｆ１９〕確変中に「リミッタ回数」が残り０回に到達した状態で、〔Ｆ２１〕普通図柄当り、〔Ｆ２２〕可変始動入賞装置作動、そして〔Ｆ２４〕始動口入賞が発生した場合を想定する。
【０３８７】
〔Ｆ４１〕特別図柄変動
ここでも同様に、始動入賞口２８ａへの入賞の発生を契機として特別図柄（内部抽選）が行われる。これにより、特別図柄表示装置３４において特別図柄の変動表示が行われる。また、変動時間が経過すると、内部抽選の結果に応じて特別図柄が停止表示される。
【０３８８】
〔Ｆ４２〕非当選
「リミッタ回数」に関わらず、特別図柄（内部抽選）に関して「高確率状態」の当選確率は略１分の１（６５５３５／６５５３６）であるため、確率的に非当選はほとんど発生しない。ただし、極希に内部抽選で非当選となった場合、特別図柄が非当選の態様で停止表示される。この場合、ゲームフローは〔Ｆ１９〕確変中が継続されるが、「リミッタ回数」は残り０回のままである。なお、時間短縮機能作動回数は最大１００００回に設定されているので、たとえ非当選が発生しても、未だ充分に時短回数は残っている。
【０３８９】
〔Ｆ４３〕単発図柄１当選
〔Ｆ１９〕確変中の「リミッタ回数」が残り０回に達した状態で、当選図柄が「単発（通常）図柄１」に該当した場合は以下のゲームフローとなる。この場合、確変図柄ではないため「リミッタ回数」の残数は特に関係なく、そのまま時間短縮機能作動回数として１００回が付加される。
【０３９０】
〔Ｆ４４〕可変入賞装置作動（大役中）
そして、特別図柄（内部抽選）での当選により、可変入賞装置３０が２ラウンドの開放動作を行う。また、この時点で「リミッタ回数」の残りは０回に達しているが、上記のように主制御ＣＰＵ７２の制御処理上で特別図柄の停止表示後にリミッタ残数は０クリアされる。
【０３９１】
〔チャンスゾーン継続〕
この場合、ゲームフローは〔Ｆ３１〕時短中に戻り、そこからまた「時間短縮状態」で〔Ｆ３２〕普通図柄当り、〔Ｆ３３〕可変始動入賞装置作動、〔Ｆ３５〕始動口入賞、〔Ｆ３６〕特別図柄変動といったゲームフローが進行する。そして、〔Ｆ３８〕確変図柄１，２当選に進むと〔Ｆ３９〕リミッタ残数＝１７で「リミッタ回数」が再設定された上で、ゲームフローは再び〔Ｆ１９〕確変中に移行する。
【０３９２】
〔Ｆ４５〕確変図柄１当選→強制単発１
また、〔Ｆ１９〕確変中の「リミッタ回数」が残り０回に達した状態で、当選図柄が「確変図柄１」に該当した場合は以下のゲームフローとなる。この場合、既に「リミッタ回数」が残り０回に到達しているため、主制御ＣＰＵ７２の制御処理上で確変図柄を選択することができず、上記のように強制的に「単発図柄１」が選択されることになる。この場合、確率変動機能作動フラグはクリアされるが、時間短縮機能作動回数として１００回が付加されるため、「時間短縮状態」は継続することになる。
【０３９３】
〔Ｆ４４〕可変入賞装置作動（大役中）
そして、特別図柄（内部抽選）での当選により、可変入賞装置３０が２ラウンドの開放動作を行う。同様に、この時点で「リミッタ回数」の残りは０回に達しているが、特別図柄の停止表示後にリミッタ残数は０クリアされる。
【０３９４】
〔チャンスゾーン継続〕
この場合も同様に、ゲームフローは〔Ｆ３１〕時短中に戻り、そこからまた「時間短縮状態」で〔Ｆ３２〕普通図柄当り、〔Ｆ３３〕可変始動入賞装置作動、〔Ｆ３５〕始動口入賞）、〔Ｆ３６〕特別図柄変動といったゲームフローが進行する。そして、〔Ｆ３８〕確変図柄１，２当選に進むと〔Ｆ３９〕リミッタ残数＝１７で「リミッタ回数」が再設定された上で、ゲームフローは再び〔Ｆ１９〕確変中に移行する。
【０３９５】
〔Ｆ４６〕確変図柄２当選→強制単発２
これに対し、〔Ｆ１９〕確変中の「リミッタ回数」が残り０回に達した状態で、当選図柄が「確変図柄２」に該当した場合は以下のゲームフローとなる。この場合についても、既に「リミッタ回数」が残り０回に到達しているため、主制御ＣＰＵ７２の制御処理上で確変図柄を選択することができない。そして「確変図柄２」については、上記のように強制的に「単発図柄２」へ変更されることになる。この場合、確率変動機能作動フラグがクリアされるとともに、時間短縮機能作動回数として０回（＝時短なし）が設定されるため、時間短縮機能作動フラグもクリアされることになる。
【０３９６】
〔Ｆ４７〕可変入賞装置作動（大役中）
そして、特別図柄（内部抽選）での当選により、可変入賞装置３０が２ラウンドの開放動作を行う。同様に、この時点で「リミッタ回数」の残りは０回に達しているが、特別図柄の停止表示後にリミッタ残数は０クリアされる。
【０３９７】
〔チャンスゾーン終了〕
そしてこの場合、ゲームフローは〔Ｆ１〕通常遊技中（通常中）に戻り、「非時間短縮状態」かつ「低確率状態」となる。
【０３９８】
〔ゲームフローのまとめ〕
以上より、本実施形態において一度ゲームフローが〔Ｆ１９〕確変中に移行した場合に以下の特徴が明らかとなっている。
図３０及び図３１は、本実施形態におけるゲームフローのパターンを分類して示す概念図である。以下、順を追って説明する。
【０３９９】
（１）基本パターン
図３０中（Ａ）：「確変図柄１」又は「確変図柄２」の当選を経て、一度ゲームフローが〔Ｆ１９〕確変中に移行した場合、基本的には極めて高い割合（選択比率９７％）で確変当選が連続して発生する。したがって、１回目（初回）の確変当選前の「リミッタ回数」を便宜的に１８回（１回目を含めて連続１８回まで）と考えると、１回目の当選時に残り１７回に設定された「リミッタ回数」は、次の連続２回目の確変当選により１７回から１減算されて１６回となり、さらに、連続３回目の確変当選により１６回から１減算されて１５回となる。
【０４００】
この後、確変当選が連続して発生する度ごとに「リミッタ回数」が減算されていき、１回目から数えて連続１８回目の確変当選が発生すると、「リミッタ回数」は残り１回から減算されて０回に到達する。この場合、次回の当選時は単発図柄での当選が強制されるため、確変当選は連続１８回までで強制終了となる。
【０４０１】
（２）リミッタ上乗せパターン
図３０中（Ｂ）：上記（１）の基本パターン中、「リミッタ回数」が残り０回に到達する前、例えば１回目から連続ｎ回の確変当選を経て、「リミッタ回数」が（１８−ｎ）回だけ残っている状態で「単発（通常）図柄１」に該当した場合（選択比率３％）を考える。この場合、時間短縮機能作動回数として１００回が付加される。
【０４０２】
図３０中（Ｃ）：すると、大役終了後は上記の〔Ｆ３１〕時短中に移行するため、普通図柄（作動抽選）当選を経て次回の特別図柄（内部抽選）で確変当選（選択比率９７％）することにより、そこで「リミッタ回数」が再設定される。この場合の確変当選は単発当選後の１回目に該当するため、この１回目を含めてさらに連続１８回（「リミッタ回数」の残りは１７回）の確変当選の可能性が新たに発生する。この場合の「リミッタ回数」には、今回新たに発生した１８回から、ここまでの残り（１８−ｎ）回を除いた分（つまりｎ回）が上乗せされたことになる。
【０４０３】
このような上乗せは繰り返し可能であり、「リミッタ回数」が再設定された状態でも、再設定後に「リミッタ回数」が残り０回に到達する前に再度、「単発（通常）図柄１」に該当すると、時間短縮機能作動回数として１００回が付加される。
【０４０４】
図３０中（Ｄ）：すると、同じように大役終了後は上記の〔Ｆ３１〕時短中に移行するため、普通図柄（作動抽選）当選を経て次回の特別図柄（内部抽選）で確変当選（選択比率９７％）することにより、そこで「リミッタ回数」が再設定される。同様に、この場合の確変当選は単発当選後の１回目に該当するため、この１回目を含めてさらに連続１８回（「リミッタ回数」の残りは１７回）の確変当選の可能性が新たに発生したことになる。
【０４０５】
以上のように本実施形態のパチンコ機１は、〔Ｆ１９〕確変中のリミッタ到達前に単発当選すると、次回の確変当選時に「リミッタ回数」が再設定（リミッタがリセット）されて〔Ｆ１９〕確変中が再開される結果、あたかも見かけ上は「リミッタ回数」が次々と上乗せされていくかのようなゲーム性を実現することができる。ただし、遊技制御上で「リミッタ回数」を増加させているわけではなく、間に単発図柄当選を必ず挟んでいるため、極端に遊技の射幸性を高めてしまうことはない。また、上乗せ回数はあくまで「１８回−現在の残り回数」であり、上乗せが発生した時点でそれまでの残り回数は破棄される。
【０４０６】
（３）リミッタ到達後の継続パターン（リミッタ到達後の上乗せパターン）
図３１中（Ｅ）：一方、リミッタ到達前の上乗せが発生せず、上記（１）の基本パターンにしたがって「リミッタ回数」が残り０回に到達した場合、連続１９回目で「確変図柄１」に該当しても、強制的に「単発図柄１」に変更される。
【０４０７】
図３１中（Ｆ）：ただし、この場合の強制された「単発図柄１」には時間短縮機能作動回数として１００回が付加されるため、大役終了後は上記の〔Ｆ３１〕時短中に移行する。そして、普通図柄（作動抽選）当選を経て次回の特別図柄（内部抽選）で確変当選（選択比率９７％）すると、そこで「リミッタ回数」が改めて設定される。この場合の確変当選は確変終了後の１回目に該当するため、この１回目を含めて連続１８回（「リミッタ回数」の残りは１７回）の確変当選の可能性が付加されたことになる。
【０４０８】
この場合、ゲームフローとしてはリミッタ到達によって〔Ｆ１９〕確変中が一旦は終了するが、リミッタ到達時の当選図柄が「単発図柄１」に強制された場合、〔Ｆ３１〕時短中から次回の確変当選時に「リミッタ回数」が新たに設定されて〔Ｆ１９〕確変中が再開される。なお、リミッタ到達後にたまたま「単発（通常）図柄１」に該当していれば、同じく時間短縮機能作動回数として１００回が付加されているため、大役終了後は上記の〔Ｆ３１〕時短中に移行する。したがって、リミッタ到達後に〔Ｆ３１〕時短中に移行する割合は、「単発（通常）図柄１」及び「確変図柄１」の各選択比率を合成した３５％となる。
【０４０９】
いずれにしても、リミッタ到達後に「時短あり単発図柄」で当選することにより、見かけ上は「リミッタ回数」があたかも上乗せ（この場合は＋１８回）されたかのようなゲーム性を実現することができる。ここでも遊技制御上で確変の「リミッタ回数」を増加させているわけではなく、間にリミッタ到達による強制的な単発図柄当選（又は純粋な単発図柄当選）を発生させているため、極端に遊技の射幸性を高めてしまうことはない。
【０４１０】
（４）終了パターン
図３１中（Ｇ）：これに対し、リミッタ到達後に連続１９回目で「確変図柄２」に該当すると、今度は強制的に「単発図柄２」に変更される。この場合の強制された「単発図柄２」には時間短縮機能作動回数が付加されないため（０回＝時短なし）、大役終了後は上記の〔Ｆ１〕通常遊技中に移行し、〔Ｆ１９〕確変中の遊技は終了する。
【０４１１】
以上が本実施形態のパチンコ機１によるゲームフローの顕著なパターン（１）〜（４）の概要であるが、特に上記（２）のリミッタ上乗せパターン、（３）のリミッタ到達後の継続パターンについては、それぞれのゲームフローが発生したことで遊技者の利益が増加する。ただし、上記（２）及び（３）のパターンはあくまで主制御ＣＰＵ７２による制御処理の上で行われているものであり、その流れを直接的に遊技者が感得することは難しい。
【０４１２】
もちろん、特別図柄表示装置３４の表示態様を注意深く観察していれば、遊技中にどのような当選図柄に該当したかを遊技者が確認することは可能である。しかし、特別図柄表示装置３４そのものは７セグメントＬＥＤであり、いずれの当選図柄についても、その表示態様はある程度記号的（例えば「巳」、「己」、「Ｌ」、「¬」、「Γ」、「日」等）となるため、そのような表示態様から瞬時に当選図柄の種類を判別することは困難である。
【０４１３】
また、「リミッタ回数」については内部的な制御上の変数であり、特に遊技状態表示装置３８で表示されるものではないことから、遊技中に「リミッタ回数」の上乗せが発生したことや、「リミッタ回数」が残り０回に到達したこと、あるいは、リミッタ到達後に時短あり単発図柄に当選したこと等の制御情報を遊技者が直接知ることは難しい。
【０４１４】
そこで本実施形態では、上記（１）〜（４）のパターンに沿ってゲームフローが進行していることを遊技者に分かりやすく伝達するための演出手法を採用している。以下、本実施形態で採用している演出手法について、いくつかの例を挙げて説明する。なお、これらはあくまで例示であり、演出図柄や演出画像の内容について特に限定する意図ではない。
【０４１５】
〔普通図柄はずれ演出〕
先ず図３２は、上記の〔Ｆ２〕普通図柄非当選時に実行される演出例を示す連続図である。この演出例は、普通図柄の変動表示及び停止表示に対応させたものであり、具体的には演出図柄による変動表示演出及び結果表示演出の一例である。このうち変動表示演出は、普通図柄が変動表示を開始してから、停止表示（確定停止を含む）するまでの間に行われる一連の演出に該当する。また結果表示演出は、普通図柄が停止表示したことと、そのときの作動抽選の結果を演出図柄の組み合わせとして表す演出である。上記のように、普通図柄表示装置３３そのものは２つのＬＥＤによる点灯・点滅表示であるため、それだけでは見た目上の訴求力に乏しい。そこでパチンコ機１では、基本的に演出図柄を用いた変動表示演出と結果表示演出が行われている。また、普通図柄の停止時もあくまでシンプルな態様（例えば上側のランプが１つ点灯）で表示されるだけであるため、演出図柄による結果表示演出からでなければ、当選したかどうかも遊技者は気付きにくい。これは逆に、遊技者は基本的に演出の内容から内部抽選の結果を判断する傾向にあることを意味し、それだけにゲームフロー上で演出が重要な役割を担っているといえる。
【０４１６】
演出図柄には、例えば左演出図柄、中演出図柄、右演出図柄の３つが含まれており、これらは液晶表示器４２の画面上で左・中・右に並んで表示される。このうち、中演出図柄だけ他の左・右演出図柄に比較してサイズが小さい。また、左・右演出図柄は、例えば漢数字の「一」〜「九」とともに、何らかの画像（例えば図示しないキャラクター等）が付された絵札をデザインしたものとなっているが、中演出図柄は、算用数字の「１」〜「９」とともに、何らかの画像が付された絵柄をデザインしたものとなっている。これら左演出図柄、中演出図柄、右演出図柄は、潜在的に例えば漢数字が「九」〜「一」の降順に並んだ図柄列を構成している。このような図柄列は、画面上の左領域・中領域・右領域でそれぞれ縦方向に流れる（スクロールする）ようにして変動表示される。
【０４１７】
〔変動表示演出開始〕
図３２中（Ａ）：普通図柄の変動開始に同期して、液晶表示器４２の表示画面上で３つの演出図柄がスクロール変動することで変動表示演出が開始される。すなわち、普通図柄の変動開始に同期して、液晶表示器４２の表示画面内で左演出図柄、中演出図柄、右演出図柄が縦方向にスクロールするようにして変動表示演出が開始される。図中、演出図柄の変動表示は単に下向きの矢印で示されている。ここでは図示していないが、このとき表示画面内には、例えば演出図柄の背景となる画像（海辺の背景画像）が表示されている。またこの後、例えば表示画面内にキャラクターやアイテム等の画像を表示させることで、予告演出が行われる態様であってもよい。
【０４１８】
〔リーチ状態発生〕
図３２中（Ｂ）：例えば、ある程度の時間が経過すると、最初に左演出図柄が変動を停止する。この例では、画面の中段位置に漢数字の「五」を表す演出図柄が停止したことを表している。さらに、右演出図柄が変動を停止し、このとき画面の中段位置に同じく漢数字の「五」を表す演出図柄が停止することで、リーチ状態が発生する。このとき中演出図柄は変動中である。なお、この例では画面上で停止した演出図柄以外の演出図柄は表示されていない。
【０４１９】
一般に、演出上で同種の演出図柄が３つ揃って停止すると「当り」であり、ここでは「当り」の確定まで残りあと中演出図柄の１つだけである。なお特に図示していないが、表示画面内に「リーチ！」等の文字情報を表示し、合わせて音声を出力する演出が行われる態様であってもよい。
【０４２０】
〔リーチ演出〕
図３２中（Ｃ）：リーチ状態の発生後は、最後の演出図柄（中演出図柄）が停止表示されるまでの過程が多様な内容で表現される。この例では、算用数字の「１」〜「６」が表示画面内を円を描きながら飛び回るようにして移動しつつ、「１」から順番に数字が打ち落とされていく過程が表現されている。このような演出は、「最後に『５』の算用数字が残れば当り」という観念を遊技者に想起させ、それまでの過程で期待感を持続させようとするものである。なお図示していないが、この過程で表示画面内にキャラクター等の画像を表示させることで、リーチ発生後の予告演出が合わせて行われる態様であってもよい。
【０４２１】
〔結果表示演出〕
図３２中（Ｄ）：普通図柄の停止表示に略同期して（完全に同時でなくてもよい）、最後の中演出図柄が停止する。図示の例では、画面上で算用数字の「５」は消去されてしまい、中演出図柄は算用数字の「６」になってしまっている。このため、左・中・右の演出図柄は「五」−「６」−「五」のはずれ（非当選）の態様で停止表示されている。
【０４２２】
〔普通図柄当り演出〕
次に、図３３は、上記の〔Ｆ３〕普通図柄当り時に実行される演出例を示す連続図である。なお、図３２においては、ノーマルリーチ演出を経てはずれとなる演出例について説明したが、図３３では、スーパーリーチ演出を経て当選（当り）となる演出例について説明する。
【０４２３】
〔変動表示演出〕
図３３中（Ａ）：ここでも同様に、普通図柄の変動開始に略同期して、液晶表示器４２の画面上で左演出図柄、中演出図柄、右演出図柄の列が縦方向（例えば上から下）にスクロールするようにして変動表示演出が開始される。
【０４２４】
〔リーチ発生前予告演出（１段階目）〕
図３３中（Ｂ）：次に、変動表示演出の比較的初期において、キャラクターの絵柄画像（絵札）を用いた１段階目のリーチ発生前予告演出が行われる。このリーチ発生前予告演出は、予め定められた順序にしたがって１段階から複数段階（例えば２〜５段階）まで、段階的に態様の変化が進行していく予告演出である。このリーチ発生前予告演出で用いられる絵柄画像は、画面上で変動表示されている演出図柄の手前に位置し、例えば画面の左端からひょっこりと出現するようにして表示される（その他の出現の態様でもよい。）。なお、ここでいう「リーチ発生前予告」とは、いずれかの演出図柄が停止表示される前にリーチの可能性や当りの可能性を予告するという意味である。このような「リーチ発生前予告演出」を実行することで、遊技者に対して「リーチに発展するかも知れない＝当りの可能性が高まる」という期待感を抱かせる効果が得られる。
【０４２５】
〔リーチ発生前予告演出（２段階目）〕
図３３中（Ｃ）：リーチ発生前予告演出の１段階目の態様が実行された後、続いてリーチ発生前予告演出の態様の変化が２段階目に進行する。ここでは２段階目のリーチ発生前予告演出として、先とは違うキャラクターの絵柄画像を用いた演出が行われている。具体的には、画面の右端から別の絵柄画像が追加で出現し、先に表示されていた絵柄画像の前面に重なって表示される。また、このとき表示される絵柄画像は、先に表示されていた絵柄画像よりもサイズが大きい。そして、絵柄画像で表現されたキャラクターが台詞（例えば「リーチになるよ」等）を発するという、音響出力による演出もあわせて行われる。
【０４２６】
このような２つ目の絵柄画像を用いたリーチ発生前予告演出（２段階目）は、先の図３３中（Ｂ）で行われたリーチ発生前予告演出（１段階目）からさらに一歩進んだ発展型である。このように発展していく「リーチ発生前予告演出」の態様を称して、一般的に「ステップアップ予告」等と表現することがある。ここではリーチ発生前予告演出で２段階目の絵柄画像が出現する例を挙げているが、３段階目、４段階目、５段階目の絵柄画像が次々と出現して表示される演出態様であってもよい。また、例えば３段階目、４段階目、５段階目の絵柄画像が次々と出現して表示されるごとに、そのサイズが拡大されるものとしてもよい。なお、この段階でも演出図柄の変動表示は継続されている。いずれにしても、リーチ発生前予告演出の態様の変化をより多くの段階まで進行させることにより、今回の変動で当りになる可能性（期待度）が高いことを遊技者に示唆することができる（例えば、５段階目まで進行すると最大の期待度を示唆する等。）。
【０４２７】
〔左演出図柄の停止〕
図３３中（Ｄ）：変動表示演出の中期にさしかかり、やがて左演出図柄の変動表示が停止される。なお、この時点で画面の左側位置に漢数字の「七」を表す演出図柄が停止している。
【０４２８】
〔リーチ状態の発生〕
図３３中（Ｅ）：そして左演出図柄に続き、例えば右演出図柄の変動表示が停止される。この時点で、画面の右側位置には漢数字の「七」を表す演出図柄が停止していることから、画面上に横一線状（１本のライン上）に漢数字の「七」−「変動中」−「七」のリーチ状態が発生している。そして画面上には、リーチ状態となる１本のラインを強調する画像が合わせて表示される。また、合わせて「リーチ！」等の音声を出力する演出が行われる。
【０４２９】
リーチ状態の発生後、スーパーリーチ演出が実行される。スーパーリーチ演出では、テンパイした数字（ここでは漢数字の「七」）に対応する演出図柄だけが画面上に表示され、それ以外は表示されなくなる。なお、このとき演出図柄が画面の隅にそれぞれ縮小された状態で表示される場合もある。
【０４３０】
〔リーチ発生後予告演出（１回目）〕
図３３中（Ｆ）：リーチ状態が発生して暫くすると、例えば「ハート」の図形を表す画像が群をなして画面上を斜めに過ぎっていくリーチ発生後予告演出（１回目）が行われる。この場合、突然、画面上に「ハート群」の画像が流れていくように表示されるため、これによって遊技者に対する視覚的な訴求力を高めることができる。このような視覚的に賑やかなリーチ発生後予告演出を実行することで、遊技者に対してさらに大きな期待感を抱かせる効果が得られる。
【０４３１】
〔リーチ演出の進行〕
図３３中（Ｇ）：１回目のリーチ発生後予告演出に続いて、例えば算用数字の「１」〜「８」を表す画像が画面上で立体的な列を構成した状態で表示され、列の先頭（手前）から「１」、「２」、「３」・・・という順番に画面から数字の画像が消去されていく演出が行われる。このような演出もまた、算用数字の「７」が最後まで消去されずに残ると「当り」であることを遊技者に示唆（暗示）したり、想起させたりする目的で行われる。また、算用数字の「６」まで消去されて算用数字の「７」が画面手前に残ると「当り」であるが、算用数字の「７」が消去されてしまうと「はずれ」であることを意味する。なおこの場合、算用数字の「７」が消去された後の画面上に例えば算用数字の「８」が表示される。したがって、この間、算用数字の「１」、「２」、「３」・・・と順番に画像が消去されていき、算用数字の「５」の順番が近付くに連れて、遊技者の緊張感や期待感も高まっていくことになる。この後、例えば画面上で算用数字の「５」までが消去されたとすると、いよいよ次に漢数字の「６」が消去されると、今度は「当り」の可能性が高まるため、そこで遊技者の緊張感も一気に高まる。
【０４３２】
〔リーチ発生後予告演出（２回目）〕
図３３中（Ｈ）：リーチ演出が終盤に近付いたところで、突然、画面上にキャラクターの画像が大写しに割って入るようにして表示され、そのキャラクターが何らかの台詞を発するという内容（又は、無言で微笑むという内容でもよい）のリーチ発生後予告演出（２回目）が行われる。この時点で例えばリーチ演出の内容は、「算用数字の「６」が消去されれば、次に「七」−「７」−「七」で普通図柄当りの可能性が高まる」という展開である。したがって、このタイミングで大きくキャラクターの画像を出現させることにより、遊技者に対して「当りになるかもしれない」という期待感を抱かせる効果が得られる。
【０４３３】
〔結果表示演出〕
図３３中（Ｉ）：普通図柄の停止表示に略同期して、最後の中演出図柄が停止する。この例では、内部的に「当選」に該当しているため、演出上で算用数字の「７」を表す演出図柄を画面の中央に停止表示させることにより、演出図柄を「七」−「７」−「七」の当りの態様で停止表示させている。
【０４３４】
図３３中（Ｊ）：そして、例えば普通図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。このような確定停止表示を行うことで、「普通図柄当り」が演出上で確定したことを遊技者に対して教示することができる。ただし、本実施形態では普通図柄（作動抽選）の当りがそのまま上記の〔Ｆ１９〕高確率中や〔Ｆ３１〕時短中を確約するものではないため、あまり大々的に「当り」をアピールする内容となっていない。すなわち、ここでは中演出図柄の表示態様を左演出図柄や中演出図柄と異なる算用数字とすることで、「三つ揃い」のイメージをある程度緩和させている。
【０４３５】
〔可変始動入賞装置作動時演出〕
次に図３４は、上記の〔Ｆ４〕可変始動入賞装置作動時に実行される演出例を示す図である。この例では、例えば液晶表示器４２の画面内に女性キャラクターが出現するとともに、「右打ちしてね！！」といった台詞を発する演出が行われている。また、台詞を文字表記した吹き出しの画像が表示され、その中に盤面の右下方向を指示する矢印が表示されている。このような演出を実行することで、遊技者に対して「右打ち」を促し、可変始動入賞装置２８の作動が開始されることを意識させることができる。なお、このとき表示画面上で台詞を文字情報として表示するのに合わせて、スピーカ５４，５５，５６から音声を発生させてもよい。
【０４３６】
〔特別図柄変動時演出〕
図３５及び図３６は、上記の〔Ｆ７〕特別図柄変動時（変動時間内）に実行される演出例を示す連続図である。なおこの例では、〔Ｆ７〕の特別図柄変動から確率２分の１で当選し、〔Ｆ１６〕の確変図柄１，２当選又は〔Ｆ１１〕単発１当選のいずれかに進むゲームフローを想定している。
【０４３７】
例えば図３５中（Ａ）に示されているように、この演出の初期では、味方の女性キャラクター（左側）と敵方のキャラクター（右側）の画像が並んで表示されるとともに、お互いが睨み合い、真ん中で火花を散らしている様子が動画像によって演出的に表現されている。また適宜、表示画面内に「勝負」等の文字が表示されることで、遊技者に対して「いよいよこれから２人の勝負が始まるぞ」といった観念を想起させることができる。また、このとき合わせて各キャラクターの台詞（例えば「絶対に勝つ！」「かかって来なさい！」等）が音響出力される態様であってもよい。この場合、例えば台詞の内容で期待度を示唆することができる（台詞の内容が積極的なほど期待度が高い等。）。
【０４３８】
図３５中（Ｂ）：演出の中期には、２名のキャラクターが表示画面から一旦消えて、「じゃんけん」という文字情報が大きく表示される。これにより、遊技者に対して「キャラクター同士がじゃんけんで勝負するのだな」という観念を想起させることができる。なお、合わせて「じゃんけんで勝負」といった掛け声や効果音、ＢＧＭ等が音響出力される態様であってもよい。
【０４３９】
図３６中（Ｃ）：演出の中後期には、２名のキャラクターが「それぞれじゃんけんの手を出す」という内容の動画像が表示される。この例では、画面の左から味方のキャラクターの手「チョキ」が出現し、また画面の右から敵方のキャラクターの手「パー」が出現するまでの一連の様子が表現されている。このとき、各キャラクターの動作に合わせて、「じゃーんけーんーぽん！」といった掛け声が音響出力される態様であってもよい。
【０４４０】
図３６中（Ｄ）：演出の終期には、勝負の結果、見事に味方のキャラクターが勝利を収めたことが表示される。この例では、見事勝利した味方のキャラクターが表示画面の中央に大写しとなり、顔の横で勝利のＶサインを見せている様子が演出的に表現されている。また表示画面内には、「勝った！！」という文字が表示されることで、遊技者に対して「じゃんけんに勝利した」という観念を想起させ、「今回の大当りで確変中への移行が確定した」ということを教示することができる。
【０４４１】
〔特別図柄非当選時演出例〕
図３７は、チャンスゾーンに突入しない場合の特別図柄変動時（変動時間内）に実行される演出例を示す連続図である。具体的には、〔Ｆ７〕の特別図柄変動から〔Ｆ８〕の非当選に進む場合は、例えば以下の演出例が実行される。
【０４４２】
図３７中（Ａ）：この例では、画面の左から味方のキャラクターの手「チョキ」が出現し、また画面の右から敵方のキャラクターの手「グー」が出現するまでの一連の様子が表現されている。
【０４４３】
図３７中（Ｂ）：勝負の結果、残念ながら味方のキャラクターが敗北してしまったことが表示される。この例では、敗北した味方のキャラクターが表示画面の中央に大写しとなり、がっかりした様子が演出的に表現されている。また表示画面内には、「負けた・・・」という文字が表示されることで、遊技者に対して「じゃんけんに敗北した」という観念を想起させ、「今回はチャンスゾーンに突入することができなかった」ということを教示することができる。
【０４４４】
〔確変中演出〕
次に図３８は、上記の〔Ｆ１８〕可変入賞装置作動から〔Ｆ１９〕の確変中にゲームフローが進行する場合に実行される演出例を示す図である。なお、ここでは「確変中演出」としているが、〔Ｆ１９〕確変中と〔Ｆ３１〕時短中を合わせたチャンスゾーンにゲームフローが進行する場合に実行される演出例としてもよい。
【０４４５】
図３８中（Ａ）：例えば〔Ｆ１８〕の可変入賞装置作動時において、液晶表示器４２の画面内には、例えば背景画像とともに「右打ち」の文字情報が表示されるとともに、遊技領域８ａ内の右側部分を指示する矢印記号が表示される。このような演出を実行することにより、遊技者に対して「右打ち」を促し、可変入賞装置３０の開放動作に伴う入賞が発生することを意識させることができる。なお、このとき背景画像には、例えば先の演出例で勝利した女性キャラクターがリラックスして腰掛けている様子が表現されている。
【０４４６】
また画面内の下部位置には、例えば「リミッタ回数」の残りに対応するリミッタ残数メータ（参照符号Ｍ）が表示されており、このリミッタ残数メータＭには、現時点での「リミッタ回数」の残り回数が棒グラフのような態様で表示される。この例では、リミッタ残数メータＭの矩形枠内において、その右端いっぱいまで縦長のブロックが全点灯した状態で「リミッタ回数」が最大（１８回）であることを表している。なおこの後、〔Ｆ１８〕の可変入賞装置作動から〔Ｆ１９〕の確変中にゲームフローが進行すると、リミッタ残数メータＭの表示は１つ減って１７回となる。
【０４４７】
〔リミッタ残数メータ演出〕
図３８中（Ｂ）：上記の〔Ｆ１９〕確変中でループを繰り返している間、画面内には引き続き背景画像とともに「右打ち」の文字情報が表示され、合わせて遊技領域８ａ内の右側部分を指示する矢印記号が表示される。一方、リミッタ残数メータＭについては、確変当選が発生する度ごとに１つずつ点灯ブロックが減少していく態様で表示される。このようなリミッタ残数メータＭの表示態様により、遊技者に対して「確変中のリミッタ残数が次第に減少してきている」ということを想起させ、実際のゲームフロー上で使用されている内部情報（「リミッタ回数」）を遊技者に伝達（教示、示唆）することができる。
【０４４８】
〔リミッタ上乗せ演出〕
次に図３９は、確変中の単発当選によるリミッタ上乗せが発生した場合に実行される演出例を示す図である。ただし、実際の上乗せ回数はその発生時点でのリミッタ残数との関係で大小に異なるし、遊技者にとってはどの段階で実際の上乗せが発生したかを外見上で判別することは困難であるため、これを演出上で表現する場合の演出手法（見せ方）には様々な態様が考えられる。
【０４４９】
図３９中（Ａ）：例えば、内部的には「リミッタ回数」に１０回の上乗せが発生していても、これを５回分ずつに分けて２回の上乗せ演出を実行することができる。この場合、画面内に比較的小型なハートの図形を模した画像が表示されるとともに、その内側に例えば「＋５」の上乗せ回数情報が表示される。また、合わせてリミッタ残数メータＭの表示を５度数増加させる演出が行われる（図示していない）。これにより、遊技者に対して「リミッタ回数の残りが５回上乗せされた」ということを伝達することができる。そしてこの後、例えばリミッタ残数メータＭの表示が残り少なくなった段階で、さらに５回分の上乗せ演出が実行される。これにより、演出１回あたりの上乗せ回数は少なくなるものの、数多くの上乗せ演出を発生させることで、遊技者に対して意外感や驚きの感覚を抱かせることができる。
【０４５０】
図３９中（Ｂ）：あるいは、既にリミッタ残数メータＭの表示が残り少なくなった状態で実際に１２回分の上乗せが発生した場合、これを一度の上乗せ演出で表現することもできる。この場合、画面内に比較的大型なハートの図形を模した画像が表示されるとともに、その内側に例えば「＋１２」の上乗せ回数情報が表示される。また、合わせてリミッタ残数メータＭの表示を一気に１２度数増加させる演出が行われる（図示していない）。これにより、遊技者に対して「リミッタ回数の残りが一気に１２回上乗せされた」ということを伝達することができる。また、リミッタ残数メータＭの表示が残り少なくなった時点で上乗せが発生したことにより、それまでの「リミッタがなくなるかもしれない」という緊張感を解きほぐし、上乗せによる安堵感や喜びの感情を抱かせることができる。
【０４５１】
〔リミッタ到達後演出〕
次に図４０は、リミッタ到達後に実行される演出例を示す図である。例えばゲームフロー上で「リミッタ回数」の残りが０回に達した場合、以下の演出例が実行される。
【０４５２】
〔終了演出〕
図４０中（Ａ）：この場合、画面内に例えば「チャンスゾーン終了」の文字情報が表示されるとともに、リミッタ残数メータＭの表示数が０となる。これにより、遊技者に対して「確変中の終了」を教示し、また次回の確変突入に向けて意欲を維持させることに寄与する。
【０４５３】
〔継続（復活）演出〕
図４０中（Ｂ）：一方、実際のゲームフロー上でリミッタ到達後に〔Ｆ３１〕時短中へ移行する場合、上記の終了演出に続いて継続演出が実行される。この場合、液晶表示器４２の手前側に上記の可動体４０ｆを落下させる演出が行われる。また、合わせて背景画像中の女性キャラクターがあたかも可動体４０ｆの落下に驚いているかのような様子が演出的に表現される。そして画面内の下部位置では、例えばリミッタ残数メータＭの表示数が満杯（満タン）に復帰する演出が行われる。特に図示していないが、この後に可動体４０ｆが元の位置に復帰し、例えば画面内に「チャンスゾーン継続」といった文字が表示される態様であってもよい。いずれにしても、このような継続演出を実行することにより、遊技者に対して大きな驚きを与えることができる。また、可動体４０ｆを用いることで視覚的な訴求力を高め、その演出効果を最大に発揮させることができる。
【０４５４】
〔背景チェンジ演出〕
その他に本実施形態では、例えばゲームフロー上で「リミッタ回数」が減少していくと、その残り回数に応じて背景画像を変化させる演出が行われる。
図４１は、ゲームフローの進行に伴って変化していく背景画像の例を示した図である。
【０４５５】
〔初期ステージ演出〕
図４１中（Ａ）：例えば、ゲームフロー上で〔Ｆ１９〕確変中に移行したばかりの初期において、背景画像を先の「浴衣を着こなした女性キャラクター」とし、これを例えば「初期ステージ」とする。この場合、背景画像の内容が比較的落ち着いたものであるため、確変中に移行したばかりの安定した印象を演出で表現することができる。なお、ここでは図示していないが、表示画面内には上記のリミッタ残数メータＭや「右打ち」の文字表示等が表示されているものとする（これ以降も同様とする。）。
【０４５６】
〔浴衣ステージ演出〕
図４１中（Ｂ）：ゲームフローの進行に伴い、「リミッタ回数」の残りがある程度減少してくると（例えば残り１５回〜１２回）、演出制御上の抽選に基づいて背景画像を変化させる演出が行われる。この例では、例えば表示画面内に大きく「浴衣を着こなした女性キャラクター」が表示されており、これを例えば「浴衣ステージ」とする。このように、それまでの「初期ステージ」から「浴衣ステージ」へ変化させる演出（ステージチェンジ演出）を実行することにより、遊技者に対する視覚的なインパクトを高め、〔Ｆ１９〕確変中での遊技の継続に対する実感や緊張感を与えることができる。
【０４５７】
〔花火ステージ演出〕
図４１中（Ｃ）：さらにゲームフローが進行し、「リミッタ回数」が次第に少なくなっていくと（例えば残り８回〜５回）、演出制御上の抽選に基づいて、さらに背景画像を変化させる演出が行われる。この例では、例えば表示画面が「夜空に花火を打ち上げる風景」に変化し、「別の女性キャラクターが花火を見上げる様子」が演出的に表示されている。本実施形態では、これを例えば「花火ステージ」とする。このような「花火ステージ」へ変化させる演出を実行することにより、いよいよ〔Ｆ１９〕確変中の遊技がクライマックスに差し掛かっていることを遊技者に実感させることができる。
【０４５８】
〔お祭りステージ演出〕
図４１中（Ｄ）：この例は、背景画像を「お祭りの風景」に変化させるものであり、本実施形態ではこれを「お祭りステージ」とする。この「お祭りステージ」は、例えば「リミッタ回数」の残りが僅か（例えば４回〜１回）になっていることを表すものである。このような「お祭りステージ」へ変化させる演出を実行することにより、遊技者に対して〔Ｆ１９〕確変中の遊技が残り少なくなっていることを実感させたり、リミッタ到達時（又は到達前）に上乗せによる継続が発生するかどうかへの緊張感を抱かせたりすることができる。
【０４５９】
〔リミッタ到達後演出〕
次に図４２は、リミッタ到達後にチャンスゾーンに再突入しない場合（通常遊技中に復帰する場合）に実行される演出例を示す図である。例えばゲームフロー上で「リミッタ回数」の残りが０回に達した場合、以下の演出例が実行される。
【０４６０】
〔終了演出〕
図４２中（Ａ）：この場合、画面内に例えば「チャンスゾーン終了」の文字情報が表示されるとともに、リミッタ残数メータＭの表示数が０となる。これにより、遊技者に対して「確変中の終了」を教示し、また次回の確変突入に向けて意欲を維持させることに寄与する。
【０４６１】
〔遊技説明演出〕
図４２中（Ｂ）：そして、実際のゲームフロー上でリミッタ到達後に〔Ｆ１〕通常遊技中へ移行する場合、上記の終了演出に続いて遊技説明演出が実行される。この例では、例えば液晶表示器４２の画面内に女性キャラクターが出現するとともに、「左打ちに戻してね」といった台詞を発する演出が行われている。また、遊技領域８ａ内の左側部分を指示する矢印記号が表示される。このような演出を実行することで、遊技者に対して「左打ち」を促し、チャンスゾーンが終了したことを意識させることができる。なお、このとき表示画面上で台詞を文字情報として表示するのに合わせて、スピーカ５４，５５，５６から音声を発生させてもよい。
【０４６２】
次に、以上の演出を具体的に実現するための制御手法の例について説明する。上述した普通図柄当り演出（図３２）や可変始動入賞装置作動時演出（図３４）、特別図柄変動時演出（図３５，図３６）、確変中演出（図３８）、リミッタ上乗せ演出（図３９）、リミッタ到達後演出（図４０，図４２）、背景チェンジ演出（図４１）等は、以下の制御処理を通じて制御されている。
【０４６３】
〔演出制御処理〕
図４３は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば数十μｓ〜数ｍｓ周期）でタイマ割込を発生させ、タイマ割込処理を実行する。
【０４６４】
演出制御処理は、コマンド受信処理（ステップＳ４００）、演出図柄管理処理（ステップＳ４０２）、普通図柄当り後演出管理処理（ステップＳ４０４）、表示出力処理（ステップＳ４０５）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０４６５】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば始動ゲート通過コマンド、普通別作動記憶数コマンド、始動口入賞音制御コマンド、デモ演出用コマンド、抽選結果コマンド、変動パターンコマンド、変動開始コマンド、停止図柄コマンド、図柄停止時コマンド、状態指定コマンド、時間短縮機能作動回数コマンド（回数切りカウンタ数コマンド）、リミッタ残数コマンド、エラー通知コマンド等がある。
【０４６６】
ステップＳ４０２：演出図柄管理処理では、演出制御ＣＰＵ１２６は演出図柄を用いた変動表示演出や結果表示演出の内容を制御する。この処理において、上記の普通図柄はずれ演出（図３２）や普通図柄当り演出（図３３）等の内容が制御される。
【０４６７】
ステップＳ４０４：普通図柄当り後演出管理処理では、演出制御ＣＰＵ１２６は普通図柄抽選（作動抽選）で当選した後の演出を制御する。例えば、演出制御ＣＰＵ１２６は可変始動入賞装置２８の作動時の演出内容を制御したり、可変入賞装置３０の開閉動作時の演出内容を制御したりする。この処理では、上記の可変始動入賞装置作動時演出（図３４）、特別図柄変動時演出（図３５，図３６，図３７）、確変中演出（図３８）、リミッタ上乗せ演出（図３９）、リミッタ到達後演出（図４０，図４２）、背景チェンジ演出（図４１）の内容が制御される。なお、普通図柄当り後演出管理処理の内容については別の図面を参照しながらさらに後述する。
【０４６８】
ステップＳ４０５：表示出力処理では、演出制御ＣＰＵ１２６は演出表示制御装置１４４（表示制御ＣＰＵ１４６）に対して演出内容の基本的な制御情報（例えば、普通図柄の作動記憶数、変動演出パターン番号、予告演出番号、演出モード番号、リミッタ上乗せ演出パターン番号、リミッタ残数メータ表示数パターン番号、背景チェンジ演出パターン番号、復活演出パターン番号、終了演出パターン番号等）を指示する。これにより、演出表示制御装置１４４（表示制御ＣＰＵ１４６及びＶＤＰ１５２）は指示された演出内容に基づいて液晶表示器４２による表示動作を制御する（各種の演出実行手段としての機能を果たす。）。
【０４６９】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６，４８，５０，５２や盤面ランプ５３等を駆動（点灯又は消灯、点滅、輝度階調変化等）する。
【０４７０】
ステップＳ４０８：次の音響駆動処理では、演出制御ＣＰＵ１２６は音響駆動回路１３４に対して演出内容（例えば各種演出中のＢＧＭ、音声データ等）を指示する。これにより、スピーカ５４，５５，５６から演出内容に応じた音が出力される。
【０４７１】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数や背景チェンジ抽選（演出抽選）に用いられる乱数等がある。
【０４７２】
ステップＳ４１２：その他の処理では、例えば演出制御ＣＰＵ１２６は可動体４０ｆの駆動用ＩＣに対して制御信号を出力する。可動体４０ｆは可動体ソレノイド５７を駆動源として動作し、上記のように液晶表示器４２による画像の表示と同期して、又は単独で演出を行う。
【０４７３】
以上の演出制御処理を通じて、演出制御ＣＰＵ１２６はパチンコ機１における演出内容を統括的に制御することができる。次に、演出制御処理の中で実行される普通図柄当り後演出管理処理の内容について説明する。
【０４７４】
〔普通図柄当り後演出管理処理〕
図４４は、普通図柄当り後演出管理処理の構成例を示すフローチャートである。普通図柄当り後演出管理処理は、例えば実行選択処理（ステップＳ５００）、初回可変始動入賞装置作動時処理（ステップＳ５０２）、特別図柄変動時演出処理（ステップＳ５０４）、大役開始後演出処理（ステップＳ５０６）、終了演出処理（ステップＳ５０８）のサブルーチン群を含む構成である。以下、各処理に沿って演出制御処理の基本的な流れを説明する。
【０４７５】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また戻り先のアドレスとして演出図柄管理処理の末尾を「ジャンプテーブル」にセットする。いずれの処理を次のジャンプ先として選択するかは、これまでに行われた処理の進行状況によって異なる。例えば、演出制御ＣＰＵ１２６は最初のジャンプ先として初回可変始動入賞装置作動時処理（ステップＳ５０２）を選択する。一方、既に可変始動入賞装置作動時処理（ステップＳ５０２）が完了し、かつ、特別図柄の変動パターンコマンド（始動口入賞音制御コマンドでもよい）を受信していれば、演出制御ＣＰＵ１２６は次のジャンプ先として特別図柄変動時演出処理（ステップＳ５０４）を選択する。また特別図柄変動時演出処理（ステップＳ５０４）が完了し、かつ、特別図柄（内部抽選）の当選コマンドを受信していれば、演出制御ＣＰＵ１２６は次のジャンプ先として大役開始後演出処理（ステップＳ５０６）を選択する。そして演出制御ＣＰＵ１２６は、大役開始後演出処理の中で終了フラグをセットした場合、次のジャンプ先として終了処理（ステップＳ５０８）を選択する。なお、初回可変始動入賞装置作動時処理（ステップＳ５０２）及び特別図柄変動時演出処理（ステップＳ５０４）は、「時間短縮状態」を表す状態指定コマンドを受信した場合はジャンプ先として選択されない。これは、ゲームフローが一度「時間短縮状態」（〔Ｆ１９〕確変中又は〔Ｆ３１〕時短中）に移行した場合、演出内容の中心が上記の確変中演出（図３８）やリミッタ上乗せ演出（図３９）、リミッタ到達後演出（図４０）、背景チェンジ演出（図４１）等に移行することから、この間に可変始動入賞装置作動時演出（図３４）や特別図柄変動時演出（図３５，図３６）を実行する必要がないためである。
【０４７６】
ステップＳ５０２：初回可変始動入賞装置作動時処理では、演出制御ＣＰＵ１２６は普通図柄（作動抽選）の初当り後に可変始動入賞装置２６を作動させる場合の演出を制御する。ここで制御される演出の内容は、上述した可変始動入賞装置作動時演出（図３４）と同様であり、例えば、液晶表示器４２の画面上に「右打ちしてね！」等のメッセージを表示することで、遊技者に対してゲームフロー上の進捗状況を案内する。このような演出を実行することで、遊技者が漫然と遊技を消化するのを防止し、目的意識を再確認させて遊技意欲の低下を防止することができる。
【０４７７】
ステップＳ５０４：この特別図柄変動時演出処理において、演出制御ＣＰＵ１２６は特別図柄の変動表示や停止表示に対応させた内容の演出を行うことができる。ここで制御される演出の内容は、上述した特別図柄変動時演出（図３５，図３６）と同様である。このような演出を実行することで、普通図柄（作動抽選）の初回当選後の特別図柄（内部抽選）変動で確変（チャンスゾーン）に突入できるか否かの期待感を遊技者に抱かせ、ハラハラドキドキとした興趣性を提供することができる。
【０４７８】
ステップＳ５０６：大役開始後演出処理では、演出制御ＣＰＵ１２６は上記のように確変中演出（図３８）、リミッタ上乗せ演出（図３９）、リミッタ到達後演出（図４０）、背景チェンジ演出（図４１）等の内容を制御する。これにより、ゲームフローが〔Ｆ１９〕確変中又は〔Ｆ３１〕時短中に移行した後の遊技の流れや進行状況についての情報を遊技者に伝達したり、「リミッタ回数」の上乗せ発生を強く訴求したりすることができる。
【０４７９】
ステップＳ５０８：終了演出処理では、演出制御ＣＰＵ１２６は〔Ｆ１９〕確変中の終了に伴う演出の内容を制御する。ここで制御される演出の内容は、上述したリミッタ到達後演出のうち、「チャンスゾーン終了」を表す態様（図４０中（Ａ））と同様である。このような演出を実行することで、ゲームフロー上で一旦は〔Ｆ１９〕確変中が終了したことを遊技者に伝達し、また次回の〔Ｆ１９〕確変中への移行に向けて遊技意欲を維持させることができる。
【０４８０】
〔大役開始後演出処理〕
図４５は、大役開始後演出処理の手順例を示すフローチャートである。この処理において、演出制御ＣＰＵ１２６は特別図柄（内部抽選）の当選図柄別（単発又は確変）の処理を行う。
【０４８１】
ステップＳ６００：すなわち演出制御ＣＰＵ１２６は、今回の当選図柄が「確変図柄１」又は「確変図柄２」のいずれかに該当するか否かを確認する。この確認は、主制御ＣＰＵ７２から受信した当選図柄コマンドに基づいて行うことができる。演出制御ＣＰＵ１２６は、例えばＲＡＭ１３０のコマンドバッファ領域に保存されている当選図柄コマンドを確認し、今回の当選図柄が「確変図柄１」又は「確変図柄２」のいずれかであることを確認すると（Ｙｅｓ）、次にステップＳ６０２に進む。
【０４８２】
ステップＳ６０２：この場合、演出制御ＣＰＵ１２６はチャンス中演出パターン選択処理を実行する。この処理では、演出制御ＣＰＵ１２６は上記の確変中演出（図３８）、リミッタ上乗せ演出（図３９）、リミッタ到達後演出（図４０）、背景チェンジ演出（図４１）等について具体的な演出パターンを選択する。なお、チャンス中演出パターン選択処理の内容については、さらに別のフローチャートを用いて後述する。
【０４８３】
一方、先のステップＳ６００で今回の当選図柄が「確変図柄１」又は「確変図柄２」のいずれにも該当しないことを確認した場合（ステップＳ６００：Ｎｏ）、演出制御ＣＰＵ１２６はステップＳ６０４に進む。
【０４８４】
ステップＳ６０４：次に演出制御ＣＰＵ１２６は、今回の当選図柄が「時短ありの単発図柄」に該当するか否かを確認する。この確認は、例えば主制御ＣＰＵ７２から受信した時間短縮機能作動回数コマンドに基づいて確認することができる。すなわち演出制御ＣＰＵ１２６は、例えばＲＡＭ１３０のコマンドバッファ領域に保存されている時間短縮機能作動回数コマンドを確認し、その値が０より大きい（＞０）ことを確認すると（Ｙｅｓ）、次にステップＳ６０６に進む。
【０４８５】
ステップＳ６０６：この場合、演出制御ＣＰＵ１２６は演出用のリミッタ残数カウンタを最大に設定する。すなわち演出制御ＣＰＵ１２６は、先のコマンド受信処理（図４３中のステップＳ４００）で主制御ＣＰＵ７２から受信したリミッタ残数コマンドに基づき、例えばＲＡＭ１３０のカウント領域に演出用のリミッタ残数カウンタを予め記憶しているが、このステップＳ６０６において、演出制御ＣＰＵ１２６は演出用のリミッタ残数カウンタを最大値（例えば１８回）に設定する。これは、特別図柄（内部抽選）の当選図柄が「時短ありの単発図柄」に該当する場合、その後のゲームフローが〔Ｆ３１〕時短中から〔Ｆ１９〕確変中に移行することで、上記のように主制御ＣＰＵ７２の処理において「リミッタ回数」の再設定が発生することに対応させたものである。
【０４８６】
ステップＳ６０２：そして演出制御ＣＰＵ１２６は、演出用のリミッタ残数カウンタの値を最大値に設定した状態で、チャンス中演出パターン選択処理を実行する。
【０４８７】
これに対し、先のステップＳ６０４で今回の当選図柄が「時短ありの単発図柄」に該当しないことを確認した場合（ステップＳ６０４：Ｎｏ）、演出制御ＣＰＵ１２６はステップＳ６０８に進む。
【０４８８】
ステップＳ６０８：この場合、演出制御ＣＰＵ１２６は終了処理フラグをセットする。これにより、普通図柄当り後演出管理処理（図４４）に復帰した後の実行選択処理（図４４中のステップＳ５００）において、次のジャンプ先として終了演出処理（図４４中のステップＳ５０８）が選択されることになる。
【０４８９】
〔チャンス中演出パターン選択処理〕
図４６は、先の大役開始後演出処理の中で実行されるチャンス中演出パターン選択処理の手順例を示すフローチャートである。以下、手順例に沿って説明する。
【０４９０】
ステップＳ７００：先ず演出制御ＣＰＵ１２６は、リミッタ残数カウンタの値を取得する。リミッタ残数カウンタは、上記のようにＲＡＭ１３０のカウント領域内に記憶されており、通常はリミッタ残数コマンドの値に基づいて更新（減算更新）されているか、もしくはリミッタリセット（上乗せ）発生に対応して最大値に設定されている。
【０４９１】
ステップＳ７０２：次に演出制御ＣＰＵ１２６は、液晶表示器４２の画面内で表示しているリミッタ残数と内部的なリミッタ残数との差から優先する演出内容を選択する。例えば、演出制御ＣＰＵ１２６は、先ず現時点で画面内に表示されているリミッタ残数メータＭの表示数とリミッタ残数カウンタの値との差を算出する。そして演出制御ＣＰＵ１２６は、その算出結果に応じて優先演出選択テーブル（図示していない）から優先する演出内容を選択する。
【０４９２】
〔演出優先度の考え方〕
チャンス中演出パターンとしては、主に上記のリミッタ上乗せ演出（図３９）、リミッタ到達後演出（図４０）、背景チェンジ演出（図４１）等があるが、いずれの演出を優先して実行するかは、ゲームフローの進行状況によって判断されることが望ましい。例えば、内部的に「リミッタ回数」の上乗せが発生した場合であっても、実際の上乗せ回数は、その発生時点でのリミッタ残数との関係で大小に異なるし、遊技者にとってはどの段階で実際の上乗せが発生したかを外見上で判別することは困難である。したがって、例えばリミッタ残数が充分に多い段階（例えば残り１７回）で上乗せが発生しても、この場合の上乗せ回数は相対的に少ないため、このタイミングでリミッタ上乗せ演出（図３９）を実行しても遊技者にとってそれほどの驚き（喜び）はない。これに対し、リミッタ残数がかなり少なくなった段階（例えば残り３回以下）で上乗せが発生すると、それだけ多くの上乗せ回数が得られることから、このタイミングでリミッタ上乗せ演出（図３９）を実行すれば、それだけ遊技者にとって驚き（喜び）が大きくなる。またリミッタ到達後の復活演出（図４０中（Ｂ））については、実際に「リミッタ回数」が残り０回になったタイミングで実行することが自然である。本実施形態では以上のような演出優先度の考え方に基づき、リミッタ残数メータＭの表示数とリミッタ残数カウンタの値との差に応じて優先する演出内容を図示しない優先演出選択テーブルで規定している。
【０４９３】
ステップＳ７０４：演出制御ＣＰＵ１２６は、先のステップＳ７０２で回数増演出（リミッタ上乗せ演出）を優先演出として選択したか否かを確認する。そして、実際に回数増演出（リミッタ上乗せ演出）が今回の優先演出である場合（Ｙｅｓ）、演出制御ＣＰＵ１２６は次にステップＳ７０６を実行する。
【０４９４】
ステップＳ７０６：この場合、演出制御ＣＰＵ１２６はリミッタ回数増演出パターン選択処理を実行する。この処理において、演出制御ＣＰＵ１２６は例えば演出抽選乱数を用いた演出抽選を行い、これに当選した場合はリミッタ上乗せ演出（図３９）のパターン番号を選択する。ここで選択したリミッタ上乗せ演出パターン番号は、上記の表示出力処理（図４３中のステップＳ４０５）において演出表示制御装置１４４（表示制御ＣＰＵ１４６及びＶＤＰ１５２）に出力される。これにより、実際に液晶表示器４２の画面内において図３９中（Ａ），（Ｂ）等に示されるリミッタ上乗せ演出が実行されることになる。
【０４９５】
一方、先のステップＳ７０２で回数増演出（リミッタ上乗せ演出）を優先演出として選択しなかった場合、演出制御ＣＰＵ１２６回数増演出（リミッタ上乗せ演出）が今回の優先演出でないと判断し（Ｎｏ）、次にステップＳ７０８を実行する。
【０４９６】
ステップＳ７０８：この場合、演出制御ＣＰＵ１２６はその他演出パターン選択処理を実行する。この処理においても、演出制御ＣＰＵ１２６は演出抽選乱数を用いた演出抽選を行い、これに当選した場合に例えば上記の背景チェンジ演出（図４１）のパターン番号を選択する。あるいは、例えばリミッタ残数メータＭの表示数と実際のリミッタ残数カウンタの値との差がなく、両者がともに０回である場合、演出制御ＣＰＵ１２６は演出抽選（確率１／１）でリミッタ到達後の復活演出（図４０中（Ａ）及び（Ｂ））のパターン番号を選択する。ここで選択した背景チェンジ演出パターン番号又は復活演出パターン番号もまた、上記の表示出力処理（図４３中のステップＳ４０５）において演出表示制御装置１４４（表示制御ＣＰＵ１４６及びＶＤＰ１５２）に出力される。これにより、実際に液晶表示器４２の画面内において図４１中（Ａ）〜（Ｄ）等に示される背景チェンジ演出が実行されたり、あるいは、図４０中（Ａ）及び（Ｂ）に示される復活演出が実行されたりすることになる。
【０４９７】
なお、先のステップＳ７０６及びステップＳ７０８のそれぞれにおいて、特に演出抽選に当選しなかった（演出非当選）場合、演出制御ＣＰＵ１２６はリミッタ残数メータＭの表示数を減少させる演出パターン番号を選択する。これにより、いずれの場合についても液晶表示器４２の画面内においてリミッタ残数メータＭの表示数を減少させる演出が実行されることになる。
【０４９８】
〔演出手法のまとめ〕
上述した演出手法の例によれば、パチンコ機１におけるゲームフローの進行に即して遊技者に有益な情報を演出として提供することができる。具体的には、（１）普通図柄当りにより「右打ち」の必要性が発生したこと、（２）可変始動入賞装置２８（始動入賞口２８ａ）への入賞により内部抽選（特図変動）が実行されたこと、（３）内部抽選で当選（初当り時は時短付きとなる）が得られたこと、（４）ゲームフローが〔Ｆ１９〕確変中又は〔Ｆ３１〕時短中に移行（突入）したこと、（５）〔Ｆ１９〕確変中に「リミッタ回数」の残りが減少していくこと、（６）「リミッタ回数」に上乗せが発生したこと、（７）リミッタ到達後に〔Ｆ３１〕時短中を経て〔Ｆ１９〕確変中へ復活する契機が発生したこと、逆に（８）リミッタ到達によって〔Ｆ１９〕確変中が終了し、ゲームフローが〔Ｆ１〕通常遊技中に戻ったこと等の情報を演出によって遊技者に分かりやすく提供（伝達、教示、示唆）することができる。また上記（３）に関して、逆に内部抽選で確変図柄での当選が得られなかったことも情報として提供することができる。
【０４９９】
これにより、ゲームフローの進捗状況が遊技者に理解されないまま遊技が漫然と行われるのを防止しつつ、本実施形態のパチンコ機１によるゲーム性を十二分に遊技者に堪能させることができる。また、実際にゲームフロー上で「リミッタ回数」の上乗せが発生したことを演出内容から明確に実感させることで、遊技者に対して自己の遊技成果（〔Ｆ１９〕確変中に３％の単発当選を引き当てたこと）を実感させ、それによって一定の満足感や達成感を遊技者に抱かせることができる。あるいは、ゲームフロー上でリミッタ到達後に復活が発生したことを演出内容から明確に実感させることで、ここでも遊技者に対して自己の遊技成果（リミッタ到達後に３５％で時短あり単発当選を引き当てたこと）実感させ、それによって一定の満足感や達成感を遊技者に抱かせることができる。
【０５００】
特に内部的なゲームフロー上、上記（６）や（７）の仕組みについては、実際の制御処理の内容が複雑であるが、本実施形態ではこれを演出情報として遊技者に分かりやすく伝達することができ、その点でゲームフローだけでなく演出手法もまた秀逸である。
【０５０１】
〔ゲームフロー上の有用性〕
加えて本実施形態では、本来のゲームフローそのものに以下の有用性がある。
（１）例えば、〔Ｆ１〕通常遊技中からの〔Ｆ１６〕確変図柄１，２当選により、１回目を含めて連続１８回の〔Ｆ１９〕確変中のループを発生させる権利（可能性）が発生する。これにより、ループごとに〔Ｆ２２〕可変始動入賞装置作動と〔Ｆ１８〕可変入賞装置作動を通じて賞球が得られる機会を遊技者に付与し、その利益を増加させることができる。
【０５０２】
（２）さらに、〔Ｆ１９〕確変中のループ途中で〔Ｆ２９〕単発図柄１当選を引き当てると、〔Ｆ３１〕時短中を経て〔Ｆ３８〕確変図柄１，２当選（確変比率９７％）が発生しやすく、それによって〔Ｆ１９〕確変中への再ループが発生する。そして、この場合は上記のように「リミッタ回数」が再設定（リセット）されているため、先のループ中に消化し終わった分に対して新たな「リミッタ回数」の上乗せが発生することになる。これにより、上乗せ分でさらに〔Ｆ２２〕可変始動入賞装置作動と〔Ｆ１８〕可変入賞装置作動を通じて賞球が得られる機会を遊技者に付与し、その利益をさらに増加させることができる。
【０５０３】
（３）また、〔Ｆ１９〕確変中のループ中に上乗せが発生せず、「リミッタ回数」の残りが０回に到達した場合であっても、そこで〔Ｆ４３〕単発図柄１当選又は〔Ｆ４５〕確変図柄１当選→強制単発図柄１に該当する（合成選択比率３５％）ことで、そこから〔Ｆ３１〕時短中を経て〔Ｆ１９〕確変中のループを再開させることができる。そして、この場合も同じく「リミッタ回数」が再設定（リセット）されているため、リミッタ到達前のループ中に消化し終わった分に対して新たな「リミッタ回数」の上乗せが発生することになる。これにより、上乗せ分でさらに〔Ｆ２２〕可変始動入賞装置作動と〔Ｆ１８〕可変入賞装置作動を通じて賞球が得られる機会を遊技者に付与し、その利益をさらに増加させることができる。
【０５０４】
（４）また、上記（２）又は（３）の利益は特別図柄（内部抽選）の結果に応じてランダムに発生する可能性があるため、上記（２），（３）が連鎖的に発生していけば、その都度、出玉を上乗せしていくことが可能なゲーム性を実現することができる。
【０５０５】
（５）加えて、従来この種のパチンコ遊技では、基本的に確変図柄を引くことが利益の連続性（いわゆる連チャン）を発生させるものであり、単発図柄を引くと、それによって利益の連続性が終了するというのが遊技の常識であった。しかしながら、本実施形態では〔Ｆ１９〕確変中に敢えて単発図柄を引くことで利益の連続性に上積みを発生させており、従来とは逆転の発想を用いたゲーム性を実現している点で大きな有用性を発揮している。
【０５０６】
〔その他の実施形態〕
図４７は、別実施形態のパチンコ機１０１を示す正面図である。別実施形態（第２実施形態）のパチンコ機１０１は、上述の一実施形態（第１実施形態）とは異なる盤面構成を有している。
【０５０７】
〔全体構成〕
別実施形態のパチンコ機１０１は、先の一実施形態で挙げたパチンコ機１０１と共通の外枠ユニット２、一体扉ユニット４及び内枠アセンブリ７（プラ枠、遊技機枠）を備えている。したがって、一体扉ユニット４の左トップレンズユニット４７、右上電飾ユニット４９、ガラス枠トップランプ４６、左側のガラス枠装飾ランプ４８、右側のガラス枠装飾ランプ５０、左右のガラス枠装飾ランプ５２等の構成も共通である。
【０５０８】
また同様に、ガラス枠上スピーカ５４，５５及び外枠スピーカ５６についても一実施形態と共通である。以下の説明では、一実施形態と基本的に共通する構成については図示とともに共通の符号を付し、重複した説明を省略する。なお、一実施形態と符号を共通としていても、別実施形態では一実施形態と異なる名称を用いていることがあるが、この場合でも機能的には共通の構成であるものとする。
【０５０９】
〔盤面構成〕
別実施形態のパチンコ機１０１は、いわゆる「１種タイプ（旧基準）」の盤面構成を有している。以下、別実施形態のパチンコ機１０１における盤面構成について説明する。
【０５１０】
遊技領域８ａ内には、始動ゲート２０や普通入賞口２２，２４、上始動入賞口２６、可変始動入賞装置２８、可変入賞装置３０等が設置されている。なお、始動ゲート２０は、一実施形態でいう「中始動ゲート２０」と機能的には同じである。
【０５１１】
別実施形態のパチンコ機１０１において、遊技領域８ａ内に放り込まれた遊技球は、その流下の過程で無作為に始動ゲート２０を通過したり、あるいは、普通入賞口２２，２４や上始動入賞口２６、作動時の可変始動入賞装置２８に入球（入賞）したりする。始動ゲート２０を通過した遊技球は続けて遊技領域８ａ内を流下するが、入賞した遊技球は遊技板に形成された貫通穴を通じて遊技盤８の裏側へ回収される。
【０５１２】
別実施形態においても可変始動入賞装置２８は、所定の条件が満たされた場合（普通図柄が当りの態様で停止表示された場合）に作動し、それに伴って下始動入賞口２８ａへの入賞を可能にする（普通電動役物）。ここで下始動入賞口２８ａは、一実施形態でいう「始動入賞口２８ａ」と機能的に同じものである。
【０５１３】
別実施形態のパチンコ機１０１で用いる可変始動入賞装置２８は、例えば左右一対の可動片２８ｂを有しており、これら可動片２８ｂは、例えば図示しないソレノイドを用いたリンク機構の働きにより、盤面に沿って左右方向に往復動作する。すなわち、図示のように先端が上を向いた状態で左右の可動片２８ｂは閉位置にあり、このとき下始動入賞口２８ａへの入球は不能（遊技球が流入できる隙間がない状態）となっている。一方、可変始動入賞装置２８が作動すると、左右の可動片２８ｂはそれぞれ閉位置から開放位置に向けて変位（拡開）し、下始動入賞口２８ａの開口幅を左右に拡大する。この間に可変始動入賞装置２８は遊技球の流入が可能な状態となり、下始動入賞口２８ａへの入賞を発生させる。なお、遊技盤８に設置されている障害釘の配列は、基本的に可変始動入賞装置２８に向けて遊技球の流下を案内しやすい態様となっているが、必ず遊技球が可変始動入賞装置２８に流入するというわけではなく、あくまで流入は無作為に発生する。
【０５１４】
また上記の可変入賞装置３０は、規定の条件が満たされた場合（特別図柄が非当選以外の態様で停止表示された場合）に作動し、大入賞口（参照符号なし）への入賞を可能にする（特別電動役物）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置（閉鎖状態）にあり、このとき大入賞口への入賞は常に不能（大入賞口は閉鎖中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入（入球）が不能ではない状態となり、大入賞口への入賞という事象を発生させることができる。なお、このとき開閉部材３０ａは大入賞口への遊技球の流入を案内する部材としても機能する。
【０５１５】
このように別実施形態のパチンコ機１０１は、（１）可変始動入賞装置２８が一対の可動片２８ｂを有する構造である点、（２）可変入賞装置３０が１つの開閉部材３０ａを有する構造である点が一実施形態のパチンコ機１０１とは異なっている。
【０５１６】
また別実施形態のパチンコ機１０１の場合、遊技盤８において例えば窓４ａ内の右下位置に普通図柄表示装置３３と普通図柄作動記憶ランプ３３ａが設けられている他、第１特別図柄表示装置３４、第２特別図柄表示装置３５、第１特別図柄作動記憶ランプ３４ａ、第２特別図柄作動記憶ランプ３５ａ及び遊技状態表示装置３８が設けられている。
【０５１７】
すなわち、別実施形態のパチンコ機１０１は、２つの特別図柄として第１特別図柄及び第２特別図柄を有しており、それぞれについて第１特別図柄表示装置３４、第２特別図柄表示装置３５を有する点も一実施形態のパチンコ機１０１と異なっている。なお、第１特別図柄表示装置３４は、一実施形態でいう「特別図柄表示装置３４」と機能的に同じ（同等の）ものである。
【０５１８】
図４８は、遊技盤８の一部（窓４ａ内の右下位置）を拡大して示す正面図である。第１特別図柄表示装置３４及び第２特別図柄表示装置３５は、例えばそれぞれ７セグメントＬＥＤ（ドット付き）により特別図柄の変動状態と停止状態とを表示することができる（図柄表示手段）。なお第１特別図柄表示装置３４及び第２特別図柄表示装置３５は、複数のドットＬＥＤを幾何学的（例えば円形状）に配列した形態であってもよい。
【０５１９】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【０５２０】
第１特別図柄作動記憶ランプ３４ａは、上記の上始動入賞口２６に遊技球が流入するごとに、入賞が発生したことを記憶する意味で１個ずつ増加後の表示態様へと変化していき（最大４個まで）、その入賞を契機として第１特別図柄の変動が開始されるごとに１個ずつ減少後の表示態様へと変化していく。また第２特別図柄作動記憶ランプ３５ａは、上記の可変始動入賞装置２８（下始動入賞口）に遊技球が流入するごとに、入賞が発生したことを記憶する意味で１個ずつ増加後の表示態様へと変化し（最大４個まで）、その入賞を契機として第２特別図柄の変動が開始されるごとに１個ずつ減少後の表示態様へと変化する。なお、第１特別図柄作動記憶ランプ３４ａが未点灯（記憶数が０個）の場合、第１特別図柄が既に変動開始可能な状態（停止表示時）で上始動入賞口２６に遊技球が流入しても表示態様は変化しない。また第２特別図柄作動記憶ランプ３５ａが未点灯（記憶数が０個）の場合、第２特別図柄が既に変動開始可能な状態（停止表示時）で可変始動入賞装置２８（下始動入賞口）に遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【０５２１】
また遊技状態表示装置３８には、例えば大当り種別表示ランプ３８ａ，３８ｂ、確率変動状態表示ランプ３８ｃ、時短状態表示ランプ３８ｄにそれぞれ対応する４つのＬＥＤが含まれている。上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、１枚の統合表示基板８９に実装された状態で遊技盤８に取り付けられている。
【０５２２】
〔遊技盤のその他の構成：図４７を参照〕
また、別実施形態のパチンコ機１０１において、遊技盤８には、その中央位置から右側部分にかけて演出ユニット４０が設置されている。演出ユニット４０は、その上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤８の装飾性を高めるとともに、例えば内蔵された発光器（ＬＥＤ等）により透過光を発することで、演出的な動作をすることができる。また演出ユニット４０の内側には液晶表示器４２（画像表示器）が設置されており、この液晶表示器４２には特別図柄に対応させた演出図柄をはじめ、各種の演出画像が表示される。なお、遊技盤８にベニヤ板でなく透明板（例えばアクリル板）を用いる場合、透明板の前面や背後に配置された各種の装飾体（可動体や発光体を含む）による装飾性が付加される。
【０５２３】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｆが形成されており、このとき転動ステージ４０ｅから球放出路１４０ｆに流下した遊技球は、その真下にある上始動入賞口２６に流入しやすくなる。
【０５２４】
その他に演出ユニット４０には、演出用の可動体として装飾体４００が付属している。装飾体４００は、例えばハート型を象った装飾部品であり、図４７に示される状態では液晶表示器４２の表示画面より上方位置で演出ユニット４０に格納されている。装飾体４００は、図４７に示されない装飾体モータ４０２やリンク機構等の働きにより、演出ユニット４０に格納された位置から下降して、その全体が液晶表示器４２の表示画面より手前の位置まで移動することができる。また、装飾体４００には図４７に示されない装飾体ランプ４０４が設けられており、装飾体４００は、装飾体ランプの点灯・点滅により発光演出を行うことができる。このような装飾体４００は、液晶表示器４２による画像を用いた演出や発光器による演出に加えて、有形物の動作を伴う演出を実行するものとなる。このような装飾体４００を用いた演出により、二次元の画像を用いた演出とは別のインパクトを持たせることができる。
【０５２５】
〔制御上の構成〕
図４９は、別実施形態のパチンコ機１０１に装備された各種の電子機器類を示すブロック図である。以下、別実施形態のパチンコ機１０１について、一実施形態のパチンコ機１と異なる構成を中心として説明する。
【０５２６】
上述した始動ゲート２０には、遊技球の通過を検出するためのゲートスイッチ２７８が一体的に設けられている。また、上始動入賞口２６、可変始動入賞装置２８及び可変入賞装置３０にそれぞれ対応して上始動入賞口スイッチ１８０、下始動入賞口スイッチ１８２及びカウントスイッチ８４が設けられている。
【０５２７】
別実施形態のパチンコ機１０１においても、遊技盤８にはパネル電飾基板１３８が設置されている。そして、装飾体モータ４０２及び装飾体ランプ４０４は、パネル電飾基板１３８を介して演出制御装置１２４（演出制御ＣＰＵ１２６）に接続されている。装飾体モータ４０２は、図示しないリンク機構等を介して装飾体４００を昇降させることができる。また装飾体ランプ４０４は、例えばＬＥＤの発光により装飾体４００を装飾的に発光させることができる。
【０５２８】
〔可変始動入賞装置の制御〕
別実施形態のパチンコ機１０１において、可変始動入賞装置２８を作動させる制御手法は基本的に一実施形態のパチンコ機１と同じである。すなわち、遊技中に始動ゲート２０での遊技球の通過を契機として普通図柄当り決定乱数を取得し、その作動記憶を消費して普通図柄に対応する作動抽選が行われる。なお、別実施形態のパチンコ機１０１では、作動抽選の当り確率が一実施形態のパチンコ機１よりも低く（例えば２５０分の１程度に）設定されているものとする。
【０５２９】
そして、作動抽選で当選（普通図柄当り）が得られると、普通図柄の変動表示が行われた後、当りの結果を表す態様で普通図柄が停止表示される。普通図柄の停止表示時間が経過すると、開放待ち状態を経て可変始動入賞装置２８を閉鎖状態から開放状態に移行させた後、閉鎖状態に復帰させる制御が行われる（図１５：可変始動入賞装置管理処理を参照）。
【０５３０】
〔スイッチ入力イベント処理〕
図５０は、別実施形態（第２実施形態）のスイッチ入力イベント処理の手順例を示すフローチャートである。以下、各手順を追って説明する。なお、上記のように第１実施形態においては、特別図柄に関する始動入賞口が１つだけ（始動入賞口２８ａ）であったのに対し、第２実施形態においては、特別図柄に関する始動入賞口が上始動入賞口２６と下始動入賞口２８ａの２つである点が異なっている。したがって、第２実施形態におけるスイッチ入力イベント処理は、上始動入賞口２６に関する処理（ステップＳ８、ステップＳ９）が追加されることとなり、その追加された処理を中心に具体的に説明する。なお、第２実施形態における他の処理（ステップＳ１０〜ステップＳ１８）は、第１実施形態における処理（ステップＳ１０〜ステップＳ１８）の内容と同一であり、始動入賞口の名称が下始動入賞口であるか否か、及び、特別図柄の名称が第２特別図柄であるか否かであるかの違いだけである。
【０５３１】
ステップＳ８：主制御ＣＰＵ７２は、第１特別図柄に対応する上始動入賞口スイッチ８０から入賞検出信号が入力（第１事象が発生）されたか否かを確認する。この入賞検出信号の入力が確認された場合（Ｙｅｓ）、主制御ＣＰＵ７２は次のステップＳ９に進んで第１特別図柄記憶更新処理を実行する。具体的な処理の内容については、第１実施形態における特別図柄記憶処理と同様であるため省略する。一方、入賞検出信号の入力がなかった場合（Ｎｏ）、主制御ＣＰＵ７２はステップＳ１０に進む。
【０５３２】
ステップＳ１０：次に主制御ＣＰＵ７２は、第２特別図柄に対応する下始動入賞口スイッチ８２から入賞検出信号が入力（第２事象が発生）されたか否かを確認する。この入賞検出信号の入力が確認された場合（Ｙｅｓ）、主制御ＣＰＵ７２は次のステップＳ１１に進む。一方、入賞検出信号の入力がなかった場合（Ｎｏ）、主制御ＣＰＵ７２はステップＳ１５に進む。
【０５３３】
ステップＳ１１：主制御ＣＰＵ７２は、時間短縮機能が作動中か否か、又は、大当り中か否かを確認する。具体的には、主制御ＣＰＵ７２は、ＲＡＭ７６のフラグ領域を参照し、変動時間短縮機能作動フラグの値（０１Ｈ）がセットされているか否か、又は、内部状態フラグとして「大役開始（大当り遊技中）」がセットされているか否かを確認する。確認の結果、変動時間短縮機能作動フラグ又は内部状態フラグとして「大役開始（大当り遊技中）」がセットされている場合（Ｙｅｓ）、主制御ＣＰＵ７２は次にステップＳ１３に進む。一方、変動時間短縮機能作動フラグや内部状態フラグとして「大役開始（大当り遊技中）」がセットされていない場合（Ｎｏ）、主制御ＣＰＵ７２は次にステップＳ１２に進む。
【０５３４】
ステップＳ１２：主制御ＣＰＵ７２は、普通電動役物が作動中か否か、又は、入賞有効タイマが０より大きいか否かを確認する。具体的には、主制御ＣＰＵ７２は、ＲＡＭ７６のフラグ領域を参照し、普通電動役物作動フラグの値（０１Ｈ）がセットされているか否か、又は、入賞有効タイマをカウントしているタイマカウンタ値を参照し、カウント値が０であるか否かを確認する。確認の結果、普通電動役物作動フラグの値（０１Ｈ）がセットされている又は入賞有効タイマが０より大きい場合（Ｙｅｓ）、主制御ＣＰＵ７２は次にステップＳ１３に進む。一方、普通電動役物作動フラグの値（０１Ｈ）がセットされておらず、さらに、入賞有効タイマが０である場合（Ｎｏ）、主制御ＣＰＵ７２は次にステップＳ１４に進む。
【０５３５】
ステップＳ１３：主制御ＣＰＵ７２は、第２特別図柄記憶処理を実行する。なお、第２特別図柄記憶処理（ステップＳ１３）の具体的な内容については、第１実施形態における特別図柄記憶処理と同様であるため省略する。
【０５３６】
ステップＳ１４：主制御ＣＰＵ７２は可変始動入賞装置２８（下始動入賞口２８ａ）についての入賞検出信号をクリア、つまり、ＯＮになっているビットをＯＦＦに書き換える（入賞検出情報消去手段）。これにより、この後の制御プロセスでは、可変始動入賞装置２８（下始動入賞口２８ａ）への入賞が発生しなかったものとして取り扱うことができるため、不正入賞による特別図柄の変動や内部抽選が行われたり、賞球の払い出しが行われたりすることを確実に防止することができる。
【０５３７】
ステップＳ１５：主制御ＣＰＵ７２は、大入賞口に対応するカウントスイッチ８４から入賞検出信号が入力されたか否かを確認する。この入賞検出信号の入力が確認された場合（Ｙｅｓ）、主制御ＣＰＵ７２は次のステップＳ１６に進んで大入賞口カウント処理を実行する。大入賞口カウント処理では、主制御ＣＰＵ７２は大当り遊技中に１ラウンドごとの可変入賞装置３０への入賞球数をカウントする。一方、入賞検出信号の入力がなかった場合（Ｎｏ）、主制御ＣＰＵ７２はステップＳ１７に進む。
【０５３８】
ステップＳ１７：主制御ＣＰＵ７２は、普通図柄に対応する中ゲートスイッチ７８又は右ゲートスイッチ８０から通過検出信号が入力されたか否かを確認する。この通過検出信号の入力が確認された場合（Ｙｅｓ）、主制御ＣＰＵ７２は次のステップＳ１８に進んで普通図柄記憶更新処理を実行する。普通図柄記憶更新処理（ステップＳ１８）の具体的な内容については、第１実施形態と同様であるため省略する。一方、入賞検出信号の入力がなかった場合（Ｎｏ）、主制御ＣＰＵ７２は割込管理処理（図８）に復帰する。
【０５３９】
〔可変始動入賞装置の動作例〕
図５１は、別実施形態のパチンコ機１０１で用いる可変始動入賞装置２８の動作例について説明する図である。なお、図５１（及び以下の図５２）に示される可変始動入賞装置２８の形態は図４７に示されるものと若干異なっているが、基本的な機能や構造は同じである。また、ここで挙げる可変始動入賞装置２８の動作例については、一実施形態のパチンコ機１で用いる可変入賞装置３０の動作にも基本的に適用することができるものとする。ただし、一実施形態のパチンコ機１で用いる可変入賞装置３０の場合、開放回数や開放時間、閉鎖時間等に関して、可変始動入賞装置２８とは異なる設定となる。
【０５４０】
〔閉鎖中〕
図５１中（Ａ）：可変始動入賞装置２８が閉鎖中である場合、左右の可動片２８ｂは各先端が上を向いた状態で閉位置にあり、遊技球３００が入球できる隙間がない状態であるため、可変始動入賞装置２８への入賞は不能となっている。このため、遊技領域を流下する遊技球３００は、可変始動入賞装置２８に衝突（接触）することはあっても、可変始動入賞装置２８に入球することはない。
【０５４１】
〔開放開始〕
図５１中（Ｂ）：普通図柄抽選にて当選の結果が得られ、普通図柄が当選の態様で停止表示されると、左右の可動片２８ｂはそれぞれ閉位置から開放位置に向けて変位（拡開）し、下始動入賞口２８ａの開口幅を左右に拡大する。この場合、可変始動入賞装置２８は遊技球３００の流入が可能な状態となり、下始動入賞口２８ａへの入賞を発生させることができる。
【０５４２】
〔開放中〕
図５１中（Ｃ）：可変始動入賞装置２８は、予め定められた開放時間が経過するまで開放状態を継続する。ただし、開放時間内に規定数（例えば５個程度）以上の入賞が検出されると、開放時間の経過を待たずに、可変始動入賞装置２８は閉鎖状態となる。なお、可変始動入賞装置２８の開放時間は、非時間短縮状態と時間短縮状態とでその値が異なっており、非時間短縮状態であればショート開放時間（例えば、０．５秒）が適用され、時間短縮状態であればロング開放時間（例えば、５．０秒）が適用される。
【０５４３】
〔閉鎖中〕
図５１中（Ｄ）：可変始動入賞装置２８の開放時間が経過するか、開放時間内に規定数以上の入賞が検出されると、左右の可動片２８ｂは各先端が上を向いた状態の閉位置に復帰し、可変始動入賞装置２８は閉鎖される。可変始動入賞装置２８が閉鎖状態に復帰すると、遊技領域を流下する遊技球３００は、可変始動入賞装置２８に入球することはない。
【０５４４】
以上は、可変始動入賞装置２８の基本的な動作であるが、可変始動入賞装置２８の開放中に球噛みが発生すると、以下のような動作となる。可変始動入賞装置２８における「球噛み」とは、可変始動入賞装置２８が開放状態にある間に正規の入球が発生したが、何らかの事情で遊技球が詰まってしまうことをいう。
【０５４５】
〔可変始動入賞装置の球噛み時の動作例〕
図５２は、可変始動入賞装置２８において球噛みが発生した場合の動作例について説明する図である。なお、別実施形態のパチンコ機１０１で用いる可変始動入賞装置２８は、一実施形態のパチンコ機１で用いる可変入賞装置３０と構造が共通している。このため、一実施形態のパチンコ機１で用いる可変入賞装置３０についても、ここで挙げる動作例と同様の原理によって球噛みが発生することがある。
【０５４６】
〔閉鎖中〕
図５２中（Ａ）：可変始動入賞装置２８が閉鎖中である場合、左右の可動片２８ｂは各先端が上を向いた状態で閉位置にあり、可変始動入賞装置２８への入球は不能となっている。このため、遊技領域を流下する遊技球３００は、可変始動入賞装置２８に衝突することはあっても、可変始動入賞装置２８に入球することはない。
【０５４７】
〔開放中（球噛み第１例）〕
図５２中（Ｂ）：普通図柄に対応する作動抽選にて当選の結果が得られ、普通図柄が当選の態様で停止表示されると、左右の可動片２８ｂはそれぞれ閉位置から開放位置に向けて変位（拡開）し、下始動入賞口２８ａの開口幅を左右に拡大する。この場合、可変始動入賞装置２８は遊技球３００の流入が可能な状態となり、下始動入賞口２８ａへの入賞を発生させることができる。
【０５４８】
ただし、本動作例の場合、可変始動入賞装置２８の内部で球噛みが発生している。可変始動入賞装置２８は、左右の可動片２８ｂが可動して開放状態となると、可変始動入賞装置２８の左右のいずれの方向からも遊技球３００の入球が可能となる。
このため、可動片２８ｂが開放している可変始動入賞装置２８の両側から、２つの遊技球３００が略同時に進入することがある。
【０５４９】
このように、２つの遊技球３００が同時に可変始動入賞装置２８に進入すると、左右の可動片２８ｂの間に２つの遊技球３００が並んでしまうことがある。この場合、２つの遊技球３００は、左右方向から可動片２８ｂで挟まれた状態となり、２つの遊技球３００が移動できなくなって球詰まりが発生する。
【０５５０】
図５２中（Ｃ）：このとき、球噛みの度合いが緩やかであれば、遊技球３００の自重により球噛みが自然と解消されて、可変始動入賞装置２８にそのまま流入していくことがある。あるいは、次に可変始動入賞装置２８に入球してきた遊技球３００が球詰まりを発生させている２つの遊技球３００に衝突することにより、その衝撃によって球噛みが解消されることもある。いずれにしても、球噛みが解消した後には、遊技球３００の滞留は解除されるため、遊技球３００は可変始動入賞装置２８の内部に進入していくことになる。
【０５５１】
〔開放中（球噛み第２例）〕
図５２中（Ｄ）：一方、可変始動入賞装置２８の片側からのみの遊技球３００の入球であっても、可動片２８ｂが閉じる瞬間に遊技球３００が入球すると、可動片２８ｂとその他の部材（符号なし）との間に遊技球３００が挟まって、球噛みが発生することもある。通常、可動片２８ｂが閉鎖位置に戻る力は、それほど強く設定されていない。このため、可動片２８ｂが閉じる瞬間に遊技球３００が可変始動入賞装置２８に進入しても、遊技球３００が自重により可動片２８ｂを開放させる力（遊技球３００が可動片２８ｂを開放方向に押し込む力）は、可動片２８ｂが閉鎖位置に戻る力に勝ることになる。したがって、通常は遊技球３００の進入が優先されて可変始動入賞装置２８での入賞が発生するものであるが、それでも稀に両者の力関係が均衡することにより、可変始動入賞装置２８にて球噛みが発生することがある。
【０５５２】
図５２中（Ｅ）：このとき、球噛みの度合いが緩やかであれば、遊技球３００の自重により、球噛みが自然と解消されて、可変始動入賞装置２８に入賞していくことがある。あるいは、次に可変始動入賞装置２８に接近してきた遊技球３００が球詰まりを発生させている遊技球３００に衝突することにより球噛みが解消されることもある。いずれにしても、球噛みが解消した後には、遊技球３００の停滞は解除されるため、遊技球３００は可変始動入賞装置２８の内部に進入していくことになる。
【０５５３】
〔閉鎖中〕
図５２中（Ｆ）：そして、球噛みが解消された頃には、既に可変始動入賞装置２８の開放時間は経過しているため、左右の可動片２８ｂは各先端が上を向いた状態の閉位置に復帰し、可変始動入賞装置２８は閉鎖される。ただし、この場合、球噛みが解消するにはある程度の時間がかかるため、遊技球が下始動入賞口スイッチ８２を通過した時点で可変始動入賞装置２８の閉鎖時間が終了していることがある。
【０５５４】
ここで、本来なら可変始動入賞装置２８の作動が終了したことでこの入球は不正な入球としてされ、入賞が発生しなかったものとして取り扱われるが、上述したスイッチ入力イベント処理において、入賞有効タイマが０より大きいことが確認されることで入賞が発生したものとして取り扱われる。また、上述したスイッチ入力イベント処理において、時間短縮機能作動中もしくは大当り遊技中であることが確認された場合、入賞有効タイマを確認することなく、その球噛みにより遅延した入球が確認されると、入賞が発生したものとして取り扱われる。いずれにしても、「球噛み」が発生した場合、全ての遊技状態において、入球が確認されると、入賞が発生したものとして取り扱われる。すなわち、「球噛み」が発生したとしても、遊技状態が大当り遊技中もしくは時間短縮機能作動中であれば、そのまま入賞が発生したものとして取り扱われ、遊技状態が通常状態であれば入賞有効タイマを確認することで、入賞が発生したものとして取り扱われる。したがって、可変始動入賞装置２８が非作動中に行われる不正行為の対策を実施しつつ、「球噛み」により遅延した入球を入賞が発生しないこととして取り扱うといった遊技者に不利益を与えることを防止するすることができる。
【０５５５】
図５３及び図５４は、第２実施形態におけるパチンコ機１による遊技を通じて発生する各種状態の変化を示すタイミングチャートである。図５３は、通常の遊技を行った場合の各種状態の変化を示しており、図５４は、不正な遊技を行った場合の各種状態の変化を示している。ここで、不正な遊技とは、普通図柄に関する作動抽選に当選していないにもかかわらず、可変始動入賞装置２８を不正に開放して遊技球を可変始動入賞装置２８（下始動入賞口２８ａ）に入賞させた場合を想定する。
【０５５６】
〔時刻ｔｎ１まで〕
図５３中（Ａ）：例えば、時刻ｔｎ１以前における遊技状態が通常状態である場合を想定する。すなわち、特別図柄や普通図柄に関する確率変動機能が作動しておらず、特別図柄や普通図柄に関する変動時間短縮機能が作動していない場合を想定する。したがって、遊技球を先ずは上始動入賞口２６に入賞させる状況にある場合を想定する。
【０５５７】
〔時刻ｔｎ１〕
図５３中（Ｂ）：例えば、時刻ｔｎ１において、遊技球が上始動入賞口２６に入球（入賞）し、上始動入賞口スイッチ８０によりその検出信号が出力される。また、この上始動入賞口スイッチ８０による遊技球の検出に伴い、特別図柄に関する内部抽選が行われ、その結果当選した場合を想定する。なお、その際に特別図柄の変動パターン（変動時間）が選択され、そして、その変動パターンと可変入賞装置３０の作動条件が設定される。具体的には、特別図柄が例えば１２０秒間（図中Ｔｎ１）にわたって変動表示し、その変動表示後（確定停止表示終了後）に大当り遊技が開始される。なお、大当り遊技中には可変入賞装置３０が１６ラウンドにわたり作動（開放）し（図中Ｔｎ６）、その後終了処理（図中Ｔｎ８）が行われた後に大当り遊技が終了する。
図５３中（Ｃ）：上記で選択された特別図柄の変動パターン通り（変動時間１２０秒間（図中Ｔｎ１））に変動表示が開始される。この特別図柄の変動表示に連動させて、液晶表示器４２においてリーチ演出などが実行される。
図５３中（Ａ）：なお、遊技状態は「通常状態」のままであり、遊技状態は可変入賞装置３０の作動が終了した後に「通常状態」か「時間短縮状態」に移行するためしばらく変化することはない。
図５３中（Ｍ）：上始動入賞口スイッチ８０により遊技球の入賞検出信号が出力されると、賞球払出処理が実行され、例えば、３個の賞球が払い出される。
【０５５８】
〔時刻ｔｎ２〕
図５３中（Ｆ）：例えば、時刻ｔｎ２において、遊技球が始動ゲート２０を通過し、ゲートスイッチ７８によりその検出信号が出力される。また、このゲートスイッチ７８による遊技球の検出に伴い、普通図柄に関する作動抽選が行われ、その結果当選した場合を想定する。なお、その際に普通図柄の変動パターン（変動時間）が選択され、そして、その変動パターンと可変始動入賞装置２８の作動条件が設定される。具体的には、普通図柄が例えば３０秒間（図中Ｔｎ２）にわたって変動表示し、その変動表示後（確定停止表示終了後）に可変始動入賞装置２８が６秒間（図中Ｔｎ３）作動（開放）し、その後１０秒間（図中Ｔｎ４）にわたって終了処理を行うといったことが設定される。
図５３中（Ｇ）：上記で選択された普通図柄の変動パターン通り（変動時間３０秒間（図中Ｔｎ２））に変動表示が開始される。なお、この普通図柄の変動表示に連動させて、液晶表示器４２において特別な演出（例えば、キャラクターによるスロット演出）などが実行されてもよい。
【０５５９】
〔時刻ｔｎ３〕
図５３中（Ｇ）：普通図柄の変動表示が設定された３０秒（図中Ｔｎ２）で終了した後に、当選の結果を表す態様で確定停止表示が行われ、時刻ｔｎ３に確定停止表示が終了される。
図５３中（Ｈ）：普通図柄の確定停止表示後、作動条件に基づいて可変始動入賞装置２８の作動が６秒間（図中Ｔｎ３）にわたって行われる。具体的には、普通電動役物ソレノイド８８が６秒間（図中Ｔｎ３）作動し、可変始動入賞装置２８が開放状態にされる。
図５３中（Ｋ）：可変始動入賞装置２８の作動の開始に伴い、下始動入賞口有効条件が無効状態から有効状態に変化する。したがって、時刻ｔｎ３から有効状態が終了するまで、下始動入賞口２８ａに遊技球が入球した場合、下始動入賞口２８ａでび入賞が確認され、その入賞に伴う賞球が払出されることとなり、特別図柄に関する作動記憶処理が可能であれば記憶処理が行われる。
【０５６０】
〔時刻ｔｎ４〕
図５３中（Ｌ）：例えば、時刻ｔｎ４において、遊技球が、時刻ｔｎ３から開放作動している可変始動入賞装置２８の下始動入賞口２８ａに入球し、下始動入賞口スイッチ８２によりその検出信号が出力される。また、下始動入賞口有効条件が有効状態にある際に、下始動入賞口スイッチ８２により遊技球の入賞検出信号が出力されたため、下始動入賞口２８ａでの入賞が確認される（検出信号は無効とされない）。しかしながら、特別図柄に関する内部抽選について、特別図柄が変動表示中又は可変入賞装置３０が作動中である場合は、直ぐに内部抽選が実行されることはなく、その抽選要素の記憶（作動記憶）が行われ、特別図柄の変動表示が終了した後（はずれ時）や可変入賞装置３０の作動が終了した後（大当り時）、作動記憶に基づいて特別図柄の内部抽選が行われ変動表示が開始される（図中ｔｎ１７）。
図５３中（Ｍ）：上記のように、下始動入賞口有効条件が有効状態にある際に、下始動入賞口２８ａでの入賞が確認されたため、賞球払出処理が実行され、例えば、４個の賞球が払い出される。
【０５６１】
〔時刻ｔｎ４〜時刻ｔｎ５〕
図５３中（Ｌ）：上記と同様に、可変始動入賞装置２８が作動している際に、可変始動入賞装置２８の下始動入賞口２８ａに入球すると、下始動入賞口スイッチ８２によりその検出信号が出力される。そして、下始動入賞口有効条件が有効状態にある際に、下始動入賞口スイッチ８２により遊技球の入賞検出信号が出力されたため、下始動入賞口２８ａでの入賞が確認され、作動記憶が上限値に達していない限り特別図柄の内部抽選に関する抽選要素の記憶（作動記憶）が行われる。
図５３中（Ｍ）：また、下始動入賞口有効条件が有効状態にある際に、下始動入賞口２８ａへ入賞したことが確認されたため、賞球払出処理が実行され、例えば、４個の賞球が払い出される。
【０５６２】
〔時刻ｔｎ５〕
図５３中（Ｈ）：時刻ｔｎ５において、時刻ｔｎ３から６秒間（図中Ｔｎ３）にわたって作動していた可変始動入賞装置２８の作動が終了される。具体的には、普通電動役物ソレノイド８８の６秒間（図中Ｔｎ３）の作動が終了し、可変始動入賞装置２８が開放状態から閉鎖状態に変位される。
図５３中（Ｉ）：可変始動入賞装置２８の作動終了後、上記で設定された可変始動入賞装置２８の終了処理が１０秒間（図中Ｔｎ４）にわたって実行される。ここで、この終了処理に要する時間を１０秒間と設定しているがそれよりも短時間（例えば、１秒間）でもよい。
図５３中（Ｊ）：可変始動入賞装置２８の終了処理の開始に伴い、時刻ｔｎ７までの５秒間（図中Ｔｎ５）にわたって入賞有効タイマが設定される。なお、上記のように終了処理に要する時間が短時間（例えば、１秒間）であったとしても、この入賞有効タイマは５秒間に設定される。したがって、普通図柄による変動表示が行われている場合も入賞有効タイマがカウントダウンされていることもありうる（第１実施形態においては終了処理内でカウントダウンを実行していたが、他の処理において、割込処理が行われる毎にカウントダウンをしてもよい）。
図５３中（Ｋ）：５秒間にわたる入賞有効タイマの設定に伴い、可変始動入賞装置２８が作動していない（閉鎖状態である）にもかかわらず、下始動入賞口有効条件が有効状態のまま継続される。したがって、時刻ｔｎ５から有効状態が終了するまで、下始動入賞口２８ａに遊技球が入賞した場合、入賞に伴う賞球が払出されることとなり、特別図柄に関する作動記憶が可能であれば記憶処理が行われる。
【０５６３】
〔時刻ｔｎ５〜時刻ｔｎ６〕
可変始動入賞装置２８が開放状態から閉鎖状態に変位する際に、可変始動入賞装置２８の入り口で開閉部材２８ｂに遊技球が挟まった（球噛みした）場合を想定する（例えば、図５２中（Ｂ）〜図５２中（Ｄ））。
【０５６４】
〔時刻ｔｎ６〕
図５３中（Ｌ）：例えば、時刻ｔｎ６において、上記で球噛みしていた遊技球が、可変始動入賞装置２８の下始動入賞口２８ａに入球し、下始動入賞口スイッチ８２によりその検出信号が出力される。なお、下始動入賞口有効条件が有効状態にあることから、下始動入賞口２８ａでの入賞が確認される（有効とされる）。なお、入賞したことが確認されたため、作動記憶が上限値に達していない限り特別図柄の内部抽選に関する抽選要素の記憶（作動記憶）が行われる。
図５３中（Ｍ）：可変始動入賞装置２８が作動していない（閉鎖状態である）にもかかわらず下始動入賞口有効条件が有効状態にある際に、下始動入賞口２８ａでの入賞が確認されると、賞球払出処理が実行され、例えば、４個の賞球が払い出される。
【０５６５】
〔時刻ｔｎ７〕
図５３中（Ｊ）：時刻ｔｎ７において、時刻ｔｎ５から５秒間（図中Ｔｎ５）にわたる
入賞有効タイマが０になり（ＯＦＦになり）終了する。
図５３中（Ｋ）：入賞有効タイマがＯＦＦになったことことに伴い、下始動入賞口有効条件が有効状態から無効状態に変化する。したがって、時刻ｔｎ７から有効状態になるまで、下始動入賞口２８ａに遊技球が入球したとしても、入球したことが確認されるだけであり、入賞したことにはならず、その検出信号は無効とされ、入賞に伴う賞球が払出されることはなく、特別図柄に関する記憶処理が行われることもなくなる。
【０５６６】
〔時刻ｔｎ８〕
図５３中（Ｉ）：時刻ｔｎ８において、時刻ｔｎ５から１０秒間（図中Ｔｎ４）にわたって処理していた可変始動入賞装置２８の終了処理が終了する。なお、この可変始動入賞装置２８の終了処理の終了に伴い、新たな普通図柄に関する作動抽選が可能とされる。
【０５６７】
〔時刻ｔｎ９〕
図５３中（Ｃ）：特別図柄の変動表示が設定された１２０秒（図中Ｔｎ１）で終了した後に、確変図柄１で確定停止表示が行われ、時刻ｔｎ９に確定停止表示が終了される。
図５３中（Ａ）：特別図柄が大当りの態様で確定停止表示されると、大当り遊技状態（遊技者にとって有利な特別遊技状態）に移行する契機が発生する。
図５３中（Ｄ）：特別図柄の確定停止表示後、作動条件に基づいて可変入賞装置３０の作動が行われる。具体的には、２９秒経過するまで、もしくは、所定の個数の入賞を検出するまで特別電動役物ソレノイド９０を作動させ（開放状態にする）、その後インターバル時間（例えば０．５秒間）停止させる（閉鎖状態にする）、といった動作を１６回（１６ラウンド分）行う。
図５３中（Ｋ）：遊技状態が特別遊技状態に移行したことに伴い、可変始動入賞装置２８が作動していない（閉鎖状態である）にもかかわらず、下始動入賞口有効条件が無効状態から有効状態に変化する。したがって、時刻ｔｎ９から有効状態が終了するまで、下始動入賞口２８ａに遊技球が入球した場合、下始動入賞口２８ａでの入賞が確認され、その入賞に伴う賞球が払出されることとなり、特別図柄に関する作動記憶処理が可能であれば記憶処理が行われる。
【０５６８】
〔時刻ｔｎ１０〕
図５３中（Ｆ）：例えば、時刻ｔｎ１０において、遊技球が始動ゲート２０を通過し、ゲートスイッチ７８によりその検出信号が出力される。また、このゲートスイッチ７８による遊技球の検出に伴い、普通図柄に関する作動抽選が行われ、その結果当選した場合を想定する。なお、その際に普通図柄の変動パターン（変動時間）が選択され、そして、その変動パターンと可変始動入賞装置２８の作動条件が設定される。具体的には、普通図柄が例えば４０秒間（図中Ｔｎ７）にわたって変動表示し、その変動表示後（確定停止表示終了後）に可変始動入賞装置２８が６秒間（図中Ｔｎ３）作動（開放）し、その後１０秒間（図中Ｔｎ４）にわたって終了処理を行うといったことが設定される。
図５３中（Ｇ）：上記で選択された普通図柄の変動パターン通り（変動時間４０秒間（図中Ｔｎ２））に変動表示が開始される。なお、この普通図柄の変動表示に連動させて、液晶表示器４２において特別な演出（例えば、キャラクターによるスロット演出）などが実行されてもよい。
【０５６９】
〔時刻ｔｎ１１〕
図５３中（Ｇ）：普通図柄の変動表示が設定された４０秒（図中Ｔｎ７）で終了した後に、当選の結果を表す態様で確定停止表示が行われ、時刻ｔｎ１１に確定停止表示が終了される。
図５３中（Ｈ）：普通図柄の確定停止表示後、作動条件に基づいて可変始動入賞装置２８の作動が６秒間（図中Ｔｎ３）にわたって行われる。具体的には、普通電動役物ソレノイド８８が６秒間（図中Ｔｎ３）作動し、可変始動入賞装置２８が開放状態にされる。
【０５７０】
〔時刻ｔｎ１２〕
図５３中（Ｌ）：例えば、時刻ｔｎ１２において、遊技球が、時刻ｔｎ１１から開放作動している可変始動入賞装置２８の下始動入賞口２８ａに入球し、下始動入賞口スイッチ８２によりその検出信号が出力される。また、下始動入賞口有効条件が有効状態にある際に、下始動入賞口スイッチ８２により遊技球の入賞検出信号が出力されたため、下始動入賞口２８ａでの入賞が確認される（検出信号は無効とされない）。しかしながら、特別図柄に関する内部抽選について、特別図柄が変動表示中又は可変入賞装置３０が作動中である場合は、直ぐに内部抽選が実行されることはなく、その抽選要素の記憶（作動記憶）が行われ、特別図柄の変動表示が終了した後（はずれ時）や可変入賞装置３０の作動が終了した後（大当り時）、作動記憶に基づいて特別図柄の内部抽選が行われ変動表示が開始される（図示せず）。
図５３中（Ｍ）：下始動入賞口有効条件が有効状態にある際に、下始動入賞口２８ａでの入賞が確認されたため、賞球払出処理が実行され、例えば、４個の賞球が払い出される。
【０５７１】
〔時刻ｔ１２〜時刻ｔ１３〕
図５３中（Ｌ）：上記と同様に、可変始動入賞装置２８が作動している際に、可変始動入賞装置２８の下始動入賞口２８ａに入球すると、下始動入賞口スイッチ８２によりその検出信号が出力される。そして、下始動入賞口有効条件が有効状態にある際に、下始動入賞口スイッチ８２により遊技球の入賞検出信号が出力されたため、下始動入賞口２８ａでの入賞が確認される。ここで、作動記憶がすでに上限値（例えば、４個）に達しているため特別図柄の内部抽選に関する抽選要素の記憶（作動記憶）は行われない。
図５３中（Ｍ）：また、下始動入賞口有効条件が有効状態にある際に、下始動入賞口２８ａでの入賞が確認されたため、賞球払出処理が実行され、例えば、４個の賞球が払い出される。
図５３中（Ｆ）：また、遊技球が始動ゲート２０を通過し、ゲートスイッチ７８によりその検出信号が出力される。しかしながら、普通図柄に関する作動抽選について、普通図柄が変動表示中又は可変始動入賞装置２８が作動中である場合は、直ぐに作動抽選が実行されることはなく、その抽選要素の記憶（作動記憶）が行われ、普通図柄の変動表示が終了した後（はずれ時）や可変始動入賞装置２８の作動が終了した後（当り時）、作動記憶に基づいて普通図柄の作動抽選が行われ変動表示が開始される（図中ｔｎ１５）。
【０５７２】
〔時刻ｔ１３〕
図５３中（Ｈ）：時刻ｔｎ１３において、時刻ｔｎ１１から６秒間（図中Ｔｎ３）にわたって作動していた可変始動入賞装置２８の作動が終了される。具体的には、普通電動役物ソレノイド８８の６秒間（図中Ｔｎ３）の作動が終了し、可変始動入賞装置２８が開放状態から閉鎖状態に変位される。
図５３中（Ｉ）：可変始動入賞装置２８の作動終了後、上記で設定された可変始動入賞装置２８の終了処理が１０秒間（図中Ｔｎ４）にわたって実行される。
図５３中（Ｋ）：遊技状態が特別遊技状態（大当り遊技中）であることに伴い、可変始動入賞装置２８が作動していない（閉鎖状態である）にもかかわらず、下始動入賞口有効条件が有効状態のまま継続される。したがって、時刻ｔｎ１３から有効状態が終了するまで、下始動入賞口２８ａに遊技球が入賞した場合、入賞に伴う賞球が払出されることとなり、特別図柄に関する作動記憶が可能であれば記憶処理が行われる。
図５３中（Ｊ）：ここで、可変始動入賞装置２８の終了処理の開始に伴い、５秒間（図中Ｔｎ５）にわたって入賞有効タイマが設定されるが、すでに下始動入賞口有効条件が有効状態にあるため、入賞有効タイマの影響は受けずに、下始動入賞口有効条件は有効状態のまま継続される。なお、終了処理において、大当り遊技中は入賞有効タイマを設定しないといった処理を実行してもよい。
【０５７３】
〔時刻ｔｎ１３〜時刻ｔｎ１４〕
可変始動入賞装置２８が開放状態から閉鎖状態に変位する際に、可変始動入賞装置２８の入り口で開閉部材２８ｂに遊技球が挟まった（球噛みした）場合を想定する（例えば、図５２中（Ｂ）〜図５２中（Ｄ））。
【０５７４】
〔時刻ｔｎ１４〕
図５３中（Ｌ）：例えば、時刻ｔｎ１４において、上記で球噛みしていた遊技球が、可変始動入賞装置２８の下始動入賞口２８ａに入球し、下始動入賞口スイッチ８２によりその検出信号が出力される。なお、下始動入賞口有効条件が有効状態にあることから、下始動入賞口２８ａでの入賞が確認される（有効とされる）。なお、作動記憶がすでに上限値（例えば、４個）に達しているため特別図柄の内部抽選に関する抽選要素の記憶（作動記憶）は行われない。
図５３中（Ｍ）：可変始動入賞装置２８が作動していない（閉鎖状態である）にもかかわらず下始動入賞口有効条件が有効状態にある際に、下始動入賞口２８ａへ入賞したことが確認されると、賞球払出処理が実行され、例えば、４個の賞球が払い出される。
【０５７５】
〔時刻ｔｎ１５〕
図５３中（Ｅ）：時刻ｔｎ１５において、時刻ｔｎ１３から１０秒間（図中Ｔｎ４）にわたって処理していた可変始動入賞装置２８の終了処理が終了する。なお、この可変始動入賞装置２８の終了処理の終了に伴い、新たな普通図柄に関する作動抽選が可能とされる。
図５３中（Ｇ）： ここで、時刻ｔｎ１２〜ｔｎ１３において記憶された作動記憶に基づく普通図柄の作動抽選が行われる。そして、その際に普通図柄の変動パターン（変動時間）が選択され、そして、その変動パターンが設定され、その変動パターン通りに変動表示が開始される。なお、この普通図柄の変動表示に連動させて、液晶表示器４２において特別な演出（例えば、キャラクターによるスロット演出）などが実行されてもよい。
【０５７６】
〔時刻ｔｎ１６〕
図５３中（Ｄ）：時刻ｔｎ１６において、時刻ｔｎ９から作動していた可変入賞装置３０の作動が終了される。具体的には、特別電動役物ソレノイド９０の１６ラウンドにわたる作動が終了し、可変入賞装置３０が閉鎖状態にされる。
図５３中（Ｅ）：可変入賞装置３０の作動終了後、上記で設定された可変入賞装置３０の終了処理が０．５秒（図中Ｔｎ８）にわたって実行される。
【０５７７】
〔時刻ｔｎ１７〕
図５３中（Ｅ）：時刻ｔｎ１７において、時刻ｔｎ１６から０．５秒間（図中Ｔｎ８）にわたって処理していた可変入賞装置３０の終了処理が終了される。なお、この終了処理において、大当り遊技状態（特別遊技状態）は終了される。そして、大当り遊技が終了した後、当選図柄に基づいて設定された各機能作動フラグ通りに各機能が作動することとなり、遊技状態も「通常状態」又は「時間短縮状態」のいずれかに移行される。今回の場合、当選図柄が確変図柄１であるため、特別図柄に関する確率変動機能及び変動時間短縮機能が作動され、普通図柄に関する確率変動機能及び変動時間短縮機能が作動される。
図５３中（Ａ）：上記のように、大当り遊技が終了したことにより、特別遊技状態は終了される。また、特別図柄や普通図柄に関する確率変動機能や変動時間短縮機能が作動されるため、遊技状態は「時間短縮状態」に移行される。
図５３中（Ｋ）：遊技状態が時間短縮状態に移行したことに伴い、可変始動入賞装置２８が作動していない（閉鎖状態である）にもかかわらず、下始動入賞口有効条件が有効状態のまま継続される。
【０５７８】
〔その後〕
図５３中（Ａ）：特別図柄に関する内部抽選において、当選図柄の種類として確変図柄が選択されると、遊技状態は「時間短縮状態」と「特別遊技状態」とが繰り返される。一方、当選図柄の種類として通常図柄が選択されると、遊技状態は「特別遊技状態（大当り遊技）」終了後に「時間短縮状態」に移行され、特別図柄に関する変動表示が規定回数行われると時間短縮機能がＯＦＦとなり「通常状態」に移行される。
図５３中（Ｋ）：遊技状態が「時間短縮状態」と「特別遊技状態」とが繰り返される間は、可変始動入賞装置２８が作動していない（閉鎖状態である）にもかかわらず、始動入賞口有効条件が有効状態のまま継続される。一方、遊技状態が「特別遊技状態（大当り遊技）」終了後に「通常状態」に移行されると、無効状態にされる。
【０５７９】
以上のように、可変始動入賞装置２８の作動終了後から所定の時間（例えば、５秒間）入賞有効タイマをセットしたり、特別遊技状態中（大当り遊技中）や時間短縮状態中の下始動入賞口有効条件を有効状態にしたりしている。したがって、可変始動入賞装置２８が作動していない（閉鎖状態である）にもかかわらず、下始動入賞口有効条件が有効状態にある際に、下始動入賞口スイッチ８２により遊技球の入賞検出信号が出力されると、その入賞検出信号が有効とされ、下始動入賞口２８ａでの入賞が確認され、賞球払出処理が実行される（１５個の賞球が払い出される）。
【０５８０】
上記においては、通常の遊技を行った場合の各種状態の変化を説明したが、次に、不正な遊技を行った場合の各種状態の変化を図５４により具体的に説明する。
【０５８１】
〔時刻ｔｐ１まで〕
図５４中（Ａ）：例えば、時刻ｔｐ１以前における遊技状態が通常状態である場合を想定する。すなわち、特別図柄や普通図柄に関する確率変動機能が作動しておらず、特別図柄や普通図柄に関する変動時間短縮機能が作動していない場合を想定する。したがって、遊技球を先ずは上始動入賞口２６に入賞させる状況にある場合を想定する。
ほかにも、普通図柄に関する変動表示が行われておらず（図５４中（Ｇ））、可変始動入賞装置２８も作動しておらず（図５４中（Ｈ））、可変始動入賞装置２８の終了処理も実行されておらず（図５４中（Ｉ））、入賞有効タイマも設定されていない（図５４中（Ｊ））場合を想定する。
したがって、下始動入賞口有効条件（図５４中（Ｋ））は無効状態である場合を想定する。
【０５８２】
〔時刻ｔｐ１〕
図５４中（Ｌ）：例えば、時刻ｔｐ１において、遊技者が可変始動入賞装置２８を違法に開放状態にし（ゴト行為の実行）、遊技球を可変始動入賞装置２８の下始動入賞口２８ａに不正に入球させ、下始動入賞口スイッチ８２によりその検出信号が出力される。しかしながら、上記のように下始動入賞口有効条件（図５４（Ｋ））は有効状態ではなく無効状態であるため、下始動入賞口スイッチ８２により遊技球の入賞検出信号が出力されたとしても、入球したことが確認されるだけであり、下始動入賞口２８ａに入賞したことにはならず、その検出信号は無効とされる。したがって、入賞に伴う賞球払出処理は実行されない（図５４中（Ｍ））。さらに、その入賞検出信号も無効とされるため、特別図柄に関する抽選要素の記憶も行われず、内部抽選が実行されることはないため、特別図柄の変動表示が開始されることもない（図５４中（Ｃ））。
【０５８３】
以上のように、入球有効条件を設けて、可変始動入賞装置２８に関する終了処理で入賞有効タイマがセットされていない場合や、特別遊技状態中（大当り遊技中）や時間短縮状態中ではない場合、始動入賞口有効条件を無効状態にしている。したがって、可変始動入賞装置２８の開閉部材２８ｂが不正に開放されて、下始動入賞口スイッチ８２により遊技球の入賞検出信号が出力されたとしても、下始動入賞口有効条件が無効状態にあることから、その入賞検出信号は無効とされ、賞球払出処理、特別図柄に関する記憶更新処理、変動表示処理などは実行されることはない。なお、上記説明では可変始動入賞装置２８に関して、入球を検出した場合、入賞として取り扱うか否かを、入球有効条件に基づいて判断していたが、可変入賞装置３０に関しても同様の入球有効条件を設けて、入球を検出した場合、入賞として取り扱うか否かを判断してもよい。
【０５８４】
本発明は、上述した実施形態に制約されることなく、各種の変形を採用することができる。例えば、各種演出手法の例として挙げた画像や動作はあくまで一例であり、これらは適宜に変形することができる。
【０５８５】
また、実施形態（一実施形態及び別実施形態）で挙げた抽選の確率や図柄の変動時間、可変始動入賞装置２８や可変入賞装置３０の開放時間、閉鎖時間、開放回数、賞球数等の条件はあくまで例示であり、これらは適宜に変形してもよい。また、遊技領域８内の各種始動ゲート２０，２１、可変始動入賞装置２８、可変入賞装置３０等の配置は種々に変形して実施してもよい。
【０５８６】
その他、パチンコ機１の構造や盤面構成等は図示のものも含めて好ましい例示であり、これらを適宜に変形可能であることはいうまでもない。
【符号の説明】
【０５８７】
１    パチンコ機
８    遊技盤
８ａ  遊技領域
２０    中始動ゲート
２１    右始動ゲート
２８    可変始動入賞装置
３０    可変入賞装置
３３    普通図柄表示装置
３３ａ  普通図柄作動記憶ランプ
３４    特別図柄表示装置
４２    液晶表示器
７０    主制御装置
７２    主制御ＣＰＵ
７４    ＲＯＭ
７６    ＲＡＭ
１２４    演出制御装置
１２６    演出制御ＣＰＵ
【図２】
2013215350.tif 000003
【図４】
2013215350.tif 000004
【図５】
2013215350.tif 000005
【図６】
2013215350.tif 000006
【図７】
2013215350.tif 000007
【図８】
2013215350.tif 000008
【図９】
2013215350.tif 000009
【図１０】
2013215350.tif 000010
【図１１】
2013215350.tif 000011
【図１２】
2013215350.tif 000012
【図１３】
2013215350.tif 000013
【図１４】
2013215350.tif 000014
【図１５】
2013215350.tif 000015
【図１６】
2013215350.tif 000016
【図１７】
2013215350.tif 000017
【図１８】
2013215350.tif 000018
【図１９】
2013215350.tif 000019
【図２０】
2013215350.tif 000020
【図２１】
2013215350.tif 000021
【図２２】
2013215350.tif 000022
【図２３】
2013215350.tif 000023
【図２４】
2013215350.tif 000024
【図２５】
2013215350.tif 000025
【図２６】
2013215350.tif 000026
【図２７】
2013215350.tif 000027
【図２８】
2013215350.tif 000028
【図２９】
2013215350.tif 000029
【図３０】
2013215350.tif 000030
【図３１】
2013215350.tif 000031
【図３２】
2013215350.tif 000032
【図３３】
2013215350.tif 000033
【図３４】
2013215350.tif 000034
【図３５】
2013215350.tif 000035
【図３６】
2013215350.tif 000036
【図３７】
2013215350.tif 000037
【図３８】
2013215350.tif 000038
【図３９】
2013215350.tif 000039
【図４０】
2013215350.tif 000040
【図４１】
2013215350.tif 000041
【図４２】
2013215350.tif 000042
【図４３】
2013215350.tif 000043
【図４４】
2013215350.tif 000044
【図４５】
2013215350.tif 000045
【図４６】
2013215350.tif 000046
【図４７】
2013215350.tif 000047
【図４８】
2013215350.tif 000048
【図４９】
2013215350.tif 000049
【図５０】
2013215350.tif 000050
【図５１】
2013215350.tif 000051
【図５２】
2013215350.tif 000052
【図５３】
2013215350.tif 000053
【図５４】
2013215350.tif 000054
【図１】
2013215350.tif 000055
【図３】
2013215350.tif 000056